(57)【要約】多層記録型の情報記録媒体において、情報の記録密度を高めつつ、高精度のトラッキングサーボ及びトラックジャンプを可能ならしめる。情報記録媒体（１１）は、予めトラック（ＴＲ）が形成されたガイド層（１２）と、該ガイド層上に積層された複数の記録層（１３）とを備える。トラックには、ガイド用のガイド情報を担持する物理構造を夫々有する複数のガイド領域（２２）が、トラック方向に予め設定された所定距離以下の配置間隔にて離散的に、且つ径方向に相隣接する複数のトラックに渡って該複数のトラック間でずらされて、配置されている。トラックには更に、所定パターンを夫々有する複数の特定領域（２４）が、トラッキングサーボがオープンの状態で前記所定パターンが検出可能なように、径方向において内周から外周に渡って同一位相に夫々配置されている。
2011128985.tif 000002
【特許請求の範囲】
【請求項１】
予め同心円状又は螺旋状のトラックが形成されたガイド層と、
該ガイド層上に積層された複数の記録層と
を備え、
前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている
ことを特徴とする情報記録媒体。
【請求項２】
前記所定パターンは、グルーブ及びランドが所定ルールで組み合わせられることで、前記ガイド層に物理的に夫々造り込まれていることを特徴とする請求項１に記載の情報記録媒体。
【請求項３】
前記所定パターンは、ウォブル及びプリピット構造、並びにウォブル及び一部切欠き構造のうち少なくとも一方を夫々有することを特徴とする請求項２に記載の情報記録媒体。
【請求項４】
前記所定パターンは、前記トラック方向に沿って配列された、(i)第１のＳＹＮＣパターン、(ii)前記グルーブ及び前記ランドの前記所定ルールによる組み合わせを有する本体部、並びに(iii)前記第１のＳＹＮＣパターンと異なる第２のＳＹＮＣパターンを含む
ことを特徴とする請求項２に記載の情報記録媒体。
【請求項５】
前記第１のＳＹＮＣパターンは、その検出に対応して前記本体部の存在を検知可能となるように規定されており、
前記第２のＳＹＮＣパターンは、その検出に対応して前記本体部の終了を検知可能となるように規定されている
ことを特徴とする請求項４に記載の情報記録媒体。
【請求項６】
当該情報記録媒体は、ゾーンＣＡＶ方式であり、
前記トラックは、同心円状又は螺旋状である
ことを特徴とする請求項１に記載の情報記録媒体。
【請求項７】
前記複数の特定領域は、前記複数の記録層に夫々記録されるデータのＥＣＣの並びが前記径方向に揃う部分の直前に対応する位置に夫々配置されていることを特徴とする請求項１に記載の情報記録媒体。
【請求項８】
前記ガイド情報は、前記トラック方向に沿って内周から外周へ向う第１記録用アドレス情報及び前記外周から前記内周へ向う第２記録用アドレス情報のうち少なくとも一方を含むことを特徴とする請求項１に記載の情報記録媒体。
【請求項９】
前記トラックは、トラッキングサーボ用のガイドトラックであり、
前記物理構造は、前記ガイド情報の少なくとも一部を構成する前記トラッキングサーボ用の信号を、発生可能であり、
前記複数のガイド領域は夫々、前記トラッキングサーボ用の信号を発生するためのサーボ用領域であり、
前記所定距離は、前記トラッキングサーボが所定の帯域で動作可能な距離に予め設定されており、
前記複数のサーボ用領域は、前記トラッキングサーボ用の光ビームの径に基づいて、前記光ビームが同時に照射されないように前記複数のトラック間でずらされて、配置されている
ことを特徴とする請求項１に記載の情報記録媒体。
【請求項１０】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記所定パターンを検出すると共に前記担持されたガイド情報を取得する情報取得手段と、
前記トラッキングサーボが前記オープンの状態で、前記複数の特定領域において前記検出された所定パターンの一種類に基づき、前記トラッキングサーボの引き込み動作の開始又は継続を制御する第１引込制御手段と、
前記トラッキングサーボが前記オープンの状態又は引き込み途中の状態で、前記複数の特定領域において前記検出された所定パターンの他種類に基づき、前記引き込み動作の継続又は停止を制御する第２引込制御手段と、
前記取得されたガイド情報に基づき前記複数のトラックのうち所望のトラックに対して前記トラッキングサーボをかけるように前記光照射手段を制御するトラッキングサーボ手段と、
前記トラッキングサーボがかけられているサーボクローズの状態で、前記一の記録層に前記第２光ビームを照射し且つ集光することで、前記データを記録するように前記光照射手段を制御するデータ記録制御手段と
を備えることを特徴とする情報記録装置。
【請求項１１】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体に、データを記録する情報記録装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記所定パターンを検出すると共に前記担持されたガイド情報を取得する情報取得手段と、
前記トラッキングサーボがかけられているサーボクローズの状態で、前記複数の特定領域において前記検出された所定パターンの一種類に基づき、前記トラックに係るトラックジャンプを制御するジャンプ制御手段と、
前記トラックジャンプをした場合に、前記取得されたガイド情報に基づき、前記複数のトラックにおける所望の位置を検索し、前記サーボクローズの状態で、前記一の記録層に前記第２光ビームを照射し且つ集光することで、前記データを記録するように前記光照射手段を制御するデータ記録制御手段と
を備えることを特徴とする情報記録装置。
【請求項１２】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記所定パターンを検出すると共に前記担持されたガイド情報を取得する情報取得工程と、
前記トラッキングサーボが前記オープンの状態で、前記複数の特定領域において前記検出された所定パターンの一種類に基づき、前記トラッキングサーボの引き込み動作の開始又は継続を制御する第１引込制御工程と、
前記トラッキングサーボが前記オープンの状態又は引き込み途中の状態で、前記複数の特定領域において前記検出された所定パターンの他種類に基づき、前記引き込み動作の継続又は停止を制御する第２引込制御工程と、
前記取得されたガイド情報に基づき前記複数のトラックのうち所望のトラックに対して前記トラッキングサーボをかけるように前記光照射手段を制御するトラッキングサーボ工程と、
前記トラッキングサーボがかけられているサーボクローズの状態で、前記一の記録層に前記第２光ビームを照射し且つ集光することで、前記データを記録するように前記光照射手段を制御するデータ記録制御工程と
を備えることを特徴とする情報記録方法。
【請求項１３】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、
前記ガイド層からの前記照射され且つ集光された第１光ビームに基づく第１光を受光し、該受光された第１光に基づき前記所定パターンを検出すると共に前記担持されたガイド情報を取得する情報取得工程と、
前記トラッキングサーボがかけられているサーボクローズの状態で、前記複数の特定領域において前記検出された所定パターンの一種類に基づき、前記トラックに係るトラックジャンプを制御するジャンプ制御工程と、
前記トラックジャンプをした場合に、前記取得されたガイド情報に基づき、前記複数のトラックにおける所望の位置を検索し、前記サーボクローズの状態で、前記一の記録層に前記第２光ビームを照射し且つ集光することで、前記データを記録するように前記光照射手段を制御するデータ記録制御工程と
を備えることを特徴とする情報記録方法。
【請求項１４】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体から、データを再生する情報再生装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記所定パターンを検出すると共に前記担持されたガイド情報を取得する情報取得手段と、
前記トラッキングサーボが前記オープンの状態で、前記複数の特定領域において前記検出された所定パターンの一種類に基づき、前記トラッキングサーボの引き込み動作の開始又は継続を制御する第１引込制御手段と、
前記トラッキングサーボが前記オープンの状態又は引き込み途中の状態で、前記複数の特定領域において前記検出された所定パターンの他種類に基づき、前記引き込み動作の継続又は停止を制御する第２引込制御手段と、
前記取得されたガイド情報に基づき前記複数のトラックのうち所望のトラックに対して前記トラッキングサーボをかけるように前記光照射手段を制御するトラッキングサーボ手段と、
前記トラッキングサーボがかけられているサーボクローズの状態で、前記一の記録層からの前記照射され且つ集光された第２光ビームに基づく第２光を受光し、該受光された第２光に基づき前記データを取得するデータ取得手段と
を備えることを特徴とする情報再生装置。
【請求項１５】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体から、データを再生する情報再生装置であって、
前記ガイド層にトラッキング用の第１光ビームを照射し且つ集光することが可能であると共に前記複数の記録層のうち一の記録層にデータ記録用の第２光ビームを照射し且つ集光することが可能である光照射手段と、
前記ガイド層からの前記照射され且つ集光された第１光ビームに基づく第１光を受光し、該受光された第１光に基づき前記所定パターンを検出すると共に前記担持されたガイド情報を取得する情報取得手段と、
前記トラッキングサーボがかけられているサーボクローズの状態で、前記複数の特定領域において前記検出された所定パターンの一種類に基づき、前記トラックに係るトラックジャンプを制御するジャンプ制御手段と、
前記トラックジャンプをした場合に、前記取得されたガイド情報に基づき、前記複数のトラックにおける所望の位置を検索し、前記サーボクローズの状態で、前記一の記録層からの前記照射され且つ集光された第２光ビームに基づく第２光を受光し、該受光された第２光に基づき前記データを取得するデータ取得手段と
を備えることを特徴とする情報再生装置。
【請求項１６】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記所定パターンを検出すると共に前記担持されたガイド情報を取得する情報取得工程と、
前記トラッキングサーボが前記オープンの状態で、前記複数の特定領域において前記検出された所定パターンの一種類に基づき、前記トラッキングサーボの引き込み動作の開始又は継続を制御する第１引込制御工程と、
前記トラッキングサーボが前記オープンの状態又は引き込み途中の状態で、前記複数の特定領域において前記検出された所定パターンの他種類に基づき、前記引き込み動作の継続又は停止を制御する第２引込制御工程と、
前記取得されたガイド情報に基づき前記複数のトラックのうち所望のトラックに対して前記トラッキングサーボをかけるように前記光照射手段を制御するトラッキングサーボ工程と、
前記トラッキングサーボがかけられているサーボクローズの状態で、前記一の記録層からの前記照射され且つ集光された第２光ビームに基づく第２光を受光し、該受光された第２光に基づき前記データを取得するデータ取得工程と
を備えることを特徴とする情報再生方法。
【請求項１７】
予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている情報記録媒体から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、
前記ガイド層からの前記照射され且つ集光された第１光ビームに基づく第１光を受光し、該受光された第１光に基づき前記所定パターンを検出すると共に前記担持されたガイド情報を取得する情報取得工程と、
前記トラッキングサーボがかけられているサーボクローズの状態で、前記複数の特定領域において前記検出された所定パターンの一種類に基づき、前記トラックに係るトラックジャンプを制御するジャンプ制御工程と、
前記トラックジャンプをした場合に、前記取得されたガイド情報に基づき、前記複数のトラックにおける所望の位置を検索し、前記サーボクローズの状態で、前記一の記録層からの前記照射され且つ集光された第２光ビームに基づく第２光を受光し、該受光された第２光に基づき前記データを取得するデータ取得工程と
を備えることを特徴とする情報再生方法。
【発明の詳細な説明】
【技術分野】
【０００１】
本発明は、例えば多層型或いは多層記録型の光ディスク等の情報記録媒体、該情報記録媒体に情報を記録する記録装置及び方法、並びに該情報記録媒体から情報を再生する情報再生装置及び方法の技術分野に関する。
【背景技術】
【０００２】
この種の情報記録媒体では、予めトラックが形成された単一のガイド層上に、複数或いは多数の記録層が重ねて形成されており、ガイド層を用いて記録層における記録や再生が行われる（例えば、特許文献１から３参照）。【０００３】
具体的には、その記録時や再生時には、トラッキング用の第１光ビーム（例えばＤＶＤと同じく赤色レーザからなるガイド光ビーム或いはサーボ光ビーム）が照射され、記録層を介してガイド層に集光される。これにより、各記録層に対するトラッキングが可能となる。即ち、ガイド層に対するフォーカスサーボ及びガイド層に予め形成されたトラックを用いてのトラッキングサーボが可能となる。【０００４】
このようなトラッキング動作と並行して、同一の光ピックアップを用いる或いは同一の対物レンズを介するなど、第１ビームとの位置関係が固定されている若しくは既知である情報記録再生用の第２ビーム（例えば、ブルーレイと同じく青色レーザからなるメイン光ビーム）が、典型的には第１ビームに同心的に重ねられた形で照射され、記録又は再生対象となっている一の記録層に集光される。これにより、各記録層における情報の記録や再生が可能となる。即ち、各記録層に対するフォーカスサーボ及び情報の書込若しくは読取が可能となる。【０００５】
加えて、この種の情報記録媒体の記録及び再生は、ディスクチルト或いは単にチルト（典型的には、光ディスク面の傾きなど）を補正する補正機構によって、光ピックアップに対し、所謂“チルト補正”が施されつつ、実行される。より一般には、チルト補正以外にも、ディスクの偏心補正、ディスク面の傾き補正、光学系の収差補正、光ビームの位相差補正やゆがみの補正、光吸収補正、ストラテジーの設定など、各種の処理が施されつつ、記録や再生が実行される。
【先行技術文献】
【特許文献】
【０００６】
【特許文献１】特開平４−３０１２２６号公報
【特許文献２】特開２００３−６７９３９号公報
【特許文献３】国際公開ＷＯ２００９／０３７７７３号公報
【発明の概要】
【発明が解決しようとする課題】
【０００７】
しかしながら、特許文献に開示された技術では、第１光ビームがガイド層における相隣接する複数のトラックに同時に照射される程度に、第１光ビームの径に対して、トラックピッチを狭めるようとすると、実用に耐える程度に正確なトラッキング引き込み動作又は所望のトラックへ所望のタイミングでトラックジャンプ動作を行うことは困難である。或いは、そのようなトラックに、制御用の情報（例えば、サーボマークやアドレス情報など）を書き込んだとしても、記録層において記録若しくは再生できるトラックピッチや記録線密度（線記録密度、ピットピッチ或いは情報転送速度）を、多層型の情報記録媒体における本来の目的である「高密度記録」と言える程度にまで高めることは実際には困難となる。【０００８】
特に、ゾーンＣＡＶ（Constant Angular Velocity）方式を採用する場合、径方向位置が異なるゾーン毎に、角速度が増大するが故に、ガイド層のトラックに記録された制御用の情報の配置関係、或いはチルトエラー検出用のパターンの配置関係が半径位置に応じて任意となる。【０００９】
更に、同心円状のトラックを採用する場合には、トラックジャンプが特に頻繁に行われ、或いは螺旋状のトラックを採用する場合にもトラックジャンプが適宜に行われる。このため、半径位置によらずに、このように高密度記録を実現するための高密度のトラックピッチや記録線密度に対応することは極めて困難になる。即ち、多層型の情報記録媒体にてゾーンＣＡＶ方式を採用すると、多層型本来の目的である高密度記録に対応し得るような高精度或いは高解像度にて、トラッキングサーボを実行することや更には所望のトラックに対してトラックジャンプを的確に行うことやトラッキングサーボの引き込みを的確に行うことは、実践上極めて困難になるという技術的課題がある。【００１０】
また特に、ゾーンＣＡＶ方式の多層型の光ディスク等の場合、層別且つゾーン別に適宜に各種制御を変更する必要がある。このため、各記録層及び各ゾーンに対し、チルト補正等の特定種類の処理を適宜に施すことや、特に、所望のトラックに対してトラックジャンプやトラッキングサーボの引き込みを高信頼性にて実行することは、極めて重要となり更に高密度化及び高転送レート化を図る上ではより一層重要となる。【００１１】
本発明は、例えば上述した問題点に鑑みなされたものであり、情報の記録密度を高めつつ、高精度のトラッキングサーボ及びトラックジャンプを可能ならしめる多層型の情報記録媒体、そのような情報記録媒体に情報を記録する記録装置及び方法、並びにそのような情報記録媒体から情報を再生する情報再生装置及び方法を提供することを課題とする。
【課題を解決するための手段】
【００１２】
本発明の情報記録媒体は上記課題を解決するために、予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている。【００１３】
本発明の第１の情報記録装置は上記課題を解決するために、上述した本発明の情報記録媒体に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボが前記オープンの状態で、前記複数の特定領域において前記検出された所定パターンの一種類に基づき、前記トラッキングサーボの引き込み動作の開始又は継続を制御する第１引込制御手段と、前記トラッキングサーボが前記オープンの状態又は引き込み途中の状態で、前記複数の特定領域において前記検出された所定パターンの他種類に基づき、前記引き込み動作の継続又は停止を制御する第２引込制御手段と、前記取得されたガイド情報に基づき前記複数のトラックのうち所望のトラックに対して前記トラッキングサーボをかけるように前記光照射手段を制御するトラッキングサーボ手段と、前記トラッキングサーボがかけられているサーボクローズの状態で、前記一の記録層に前記第２光ビームを照射し且つ集光することで、前記データを記録するように前記光照射手段を制御するデータ記録制御手段とを備える。【００１４】
本発明の第２の情報記録装置は上記課題を解決するために、上述した本発明の情報記録媒体に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボがかけられているサーボクローズの状態で、前記複数の特定領域において前記検出された所定パターンの一種類に基づき、前記トラックに係るトラックジャンプを制御するジャンプ制御手段と、前記トラックジャンプをした場合に、前記取得されたガイド情報に基づき、前記複数のトラックにおける所望の位置を検索し、前記サーボクローズの状態で、前記一の記録層に前記第２光ビームを照射し且つ集光することで、前記データを記録するように前記光照射手段を制御するデータ記録制御手段とを備える。【００１５】
本発明の第１の情報記録方法は上記課題を解決するために、上述した本発明の情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボが前記オープンの状態で、前記複数の特定領域において前記検出された所定パターンの一種類に基づき、前記トラッキングサーボの引き込み動作の開始又は継続を制御する第１引込制御工程と、前記トラッキングサーボが前記オープンの状態又は引き込み途中の状態で、前記複数の特定領域において前記検出された所定パターンの他種類に基づき、前記引き込み動作の継続又は停止を制御する第２引込制御工程と、前記取得されたガイド情報に基づき前記複数のトラックのうち所望のトラックに対して前記トラッキングサーボをかけるように前記光照射手段を制御するトラッキングサーボ工程と、前記トラッキングサーボがかけられているサーボクローズの状態で、前記一の記録層に前記第２光ビームを照射し且つ集光することで、前記データを記録するように前記光照射手段を制御するデータ記録制御工程とを備える。【００１６】
本発明の第２の情報記録方法は上記課題を解決するために、上述した本発明の情報記録媒体に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボがかけられているサーボクローズの状態で、前記複数の特定領域において前記検出された所定パターンの一種類に基づき、前記トラックに係るトラックジャンプを制御するジャンプ制御工程と、前記トラックジャンプをした場合に、前記取得されたガイド情報に基づき、前記複数のトラックにおける所望の位置を検索し、前記サーボクローズの状態で、前記一の記録層に前記第２光ビームを照射し且つ集光することで、前記データを記録するように前記光照射手段を制御するデータ記録制御工程とを備える。【００１７】
本発明の第１の情報再生装置は上記課題を解決するために、上述した本発明の情報記録媒体から、データを再生する情報再生装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボが前記オープンの状態で、前記複数の特定領域において前記検出された所定パターンの一種類基づき、前記トラッキングサーボの引き込み動作の開始又は継続を制御する第１引込制御手段と、前記トラッキングサーボが前記オープンの状態又は引き込み途中の状態で、前記複数の特定領域において前記検出された所定パターンの他種類に基づき、前記引き込み動作の継続又は停止を制御する第２引込制御手段と、前記取得されたガイド情報に基づき前記複数のトラックのうち所望のトラックに対して前記トラッキングサーボをかけるように前記光照射手段を制御するトラッキングサーボ手段と、前記トラッキングサーボがかけられているサーボクローズの状態で、前記一の記録層からの前記照射され且つ集光された第２光ビームに基づく第２光を受光し、該受光された第２光に基づき前記データを取得するデータ取得手段とを備える。【００１８】
本発明の第２の情報再生装置は上記課題を解決するために、上述した本発明の情報記録媒体から、データを再生する情報再生装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボがかけられているサーボクローズの状態で、前記複数の特定領域において前記検出された所定パターンの一種類に基づき、前記トラックに係るトラックジャンプを制御するジャンプ制御手段と、前記トラックジャンプをした場合に、前記取得されたガイド情報に基づき、前記複数のトラックにおける所望の位置を検索し、前記サーボクローズの状態で、前記一の記録層からの前記照射され且つ集光された第２光ビームに基づく第２光を受光し、該受光された第２光に基づき前記データを取得するデータ取得手段とを備える。【００１９】
本発明の第１の情報再生方法は上記課題を解決するために、上述した本発明の情報記録媒体から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボが前記オープンの状態で、前記複数の特定領域において前記検出された所定パターンの一種類に基づき、前記トラッキングサーボの引き込み動作の開始又は継続を制御する第１引込制御工程と、前記トラッキングサーボが前記オープンの状態又は引き込み途中の状態で、前記複数の特定領域において前記検出された所定パターンの他種類に基づき、前記引き込み動作の継続又は停止を制御する第２引込制御工程と、前記取得されたガイド情報に基づき前記複数のトラックのうち所望のトラックに対して前記トラッキングサーボをかけるように前記光照射手段を制御するトラッキングサーボ工程と、前記トラッキングサーボがかけられているサーボクローズの状態で、前記一の記録層からの前記照射され且つ集光された第２光ビームに基づく第２光を受光し、該受光された第２光に基づき前記データを取得するデータ取得工程とを備える。【００２０】
本発明の第２の情報再生方法は上記課題を解決するために、上述した本発明の情報記録媒体から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボがかけられているサーボクローズの状態で、前記複数の特定領域において前記検出された所定パターンの一種類に基づき、前記トラックに係るトラックジャンプを制御するジャンプ制御工程と、前記トラックジャンプをした場合に、前記取得されたガイド情報に基づき、前記複数のトラックにおける所望の位置を検索し、前記サーボクローズの状態で、前記一の記録層からの前記照射され且つ集光された第２光ビームに基づく第２光を受光し、該受光された第２光に基づき前記データを取得するデータ取得工程とを備える
本発明のこのような作用及び利得は次に説明する実施の形態から明らかにされる。
【図面の簡単な説明】
【００２１】
【図１】本発明の実施例に係る、情報記録媒体の基本構成を示す模式的な斜視図である。
【図２】実施例における、ガイド用の第１ビーム及び記録（若しくは再生）用の第２ビームを集光する対物レンズと、情報記録媒体とを示す、模式的な部分拡大断面図である。
【図３】実施例における、ガイド層の一部拡大斜視図である。
【図４】実施例の比較例における、図３と同趣旨の一部拡大斜視図である。
【図５】実施例における、プリピットの一例を有する場合の、図２と同趣旨の一部拡大斜視図である。
【図６】実施例における、プリピットの他の例を有する場合の、図２と同趣旨の一部拡大斜視図である。
【図７】低密度記録用のトラックを示す、模式的な部分拡大平面図である。
【図８】高密度記録用のトラックを示す、模式的な部分拡大平面図である。
【図９】実施例における、ガイド層に設けられる、４つの領域が配置されているトラックの構成、及び４つの領域の各々内の概略構造を示す概念図である。
【図１０】図９に示した４つの領域のうちの一つである、特定領域の詳細構造の一例を示す、ガイド層の模式的な部分拡大平面図である。
【図１１】実施例における、複数本のトラックを一つのグループにまとめたトラック、及びそれらの中央に位置するセンタートラックを示すと共に、特定領域の配置を示す、ガイド層の模式的な全体平面図である。
【図１２】実施例における、ゾーンＣＡＶ方式に従って区分けされたゾーンを示すと共に、特定領域の配置の一例を示す、ガイド層の模式的な全体平面図である。
【図１３】実施例における、ゾーンＣＡＶ方式に従って区分けされたゾーンを示すと共に、特定領域の配置の他の例を示す、ガイド層の模式的な全体平面図である。
【図１４】実施例における、ガイド層に設けられる４つの領域のうちの３つである、サーボ用領域、パターン領域及び特定領域の配置の一例を示す、ガイド層の模式的な平面図である。
【図１５】グルーブトラックのピッチと光スポットとの関係における、トラッキングエラー信号（特に「ゼロクロス信号」）の発生・検出原理を説明する、模式図である。
【図１６】実施例における、特定領域の詳細構造の他の例を示す、ガイド層の模式的な部分拡大平面図である。
【図１７】実施例における、特定領域の詳細構造の他の例を示す、ガイド層の模式的な部分拡大平面図である。
【図１８】実施例における、特定領域の詳細構造の他の例を示す、ガイド層の模式的な部分拡大平面図である。
【図１９】実施例における、特定領域の詳細構造の他の例を示す、ガイド層の模式的な部分拡大平面図である。
【図２０】実施例における、２層兼用型のプリフォーマット構成例を示す、概念図である。
【図２１】実施例における、スロット内に記録される各種データの一例の構成例を示す概念図である。
【図２２】実施例における、スロット内に記録される各種データの他の構成例を示す概念図である。
【図２３】実施例における、スロット内におけるデータの割り当ての一例を示す、概念図である。
【図２４】実施例における、スロット（「Ｂ  Ｓｌｏｔ」）内に記録される各種データの他の構成例を示す概念図である。
【図２５】実施例における、スロット（「Ａ  Ｓｌｏｔ」）内に記録される各種データの他の構成例を示す概念図である。
【図２６】実施例において、ガイド層に形成された同心円のトラックＴＲの内周側でトラックジャンプが行われる様子を示す、模式的な平面図である。
【図２７】実施例において、ガイド層に形成された同心円のトラックＴＲの外周側でトラックジャンプが行われる様子を示す、模式的な平面図である。
【図２８】実施例において、ガイド層に形成された螺旋状のトラックＴＲの内周側でトラックジャンプが行われることなく、往復記録を行う様子を示す、模式的な平面図である。
【図２９】実施例において、ガイド層に形成された螺旋状のトラックＴＲの外周側でトラックジャンプが行われる様子を示す、模式的な平面図である。
【図３０】実施例における、情報記録再生装置のブロック図である。
【図３１】図３０の情報記録再生装置が備える、チルト検出系の構成を示すブロック図である。
【図３２】図３０のチルト検出系で用いられる、各種信号のタイミングチャートである。
【図３３】実施例における、情報記録再生方法のフローチャートである。
【図３４】実施例における、新規ディスクに対する記録方法のフローチャートである。
【図３５】実施例における、新規ディスクに対する再生方法の一例を示すフローチャートである。
【図３６】実施例における、トラッキングサーボの引き込み動作の一例を示すフローチャートである。
【図３７】実施例における、トラッキングジャンプ動作の一例を示すフローチャートである。
【図３８】実施例の情報記録再生装置のうち、トラッキングサーボを行う回路部分のブロック図である。
【図３９】図３８の回路部分に含まれるサンプラー（Sampler）のトラッキングエラーをサンプルする動作を示す特性図である
【図４０】実施例において、トラックに沿って相隣接する二つのガイド領域の配置間隔を規定する、位相回りを示す特性図である。
【図４１】実施例において、トラックに沿って相隣接する二つのガイド領域の配置間隔を規定する、トラッキングサーボにおけるゲインの周波数特性を示す特性図である。
【図４２】一の変形例における、特定領域の模式的な拡大平面図である。
【図４３】他の変形例における、特定領域の模式的な拡大平面図である。
【図４４】他の変形例における、特定領域の模式的な拡大平面図である。
【図４５】他の変形例における、特定領域の模式的な拡大平面図である。
【図４６】他の変形例における、特定領域の模式的な拡大平面図である。
【図４７】他の変形例における、光ディスクの図１と同趣旨の模式的な斜視図である。
【発明を実施するための形態】
【００２２】
以下、発明を実施するための最良の形態として、駆動装置に係る実施形態について順に説明する。
（情報記録媒体）
＜１＞
本実施形態の情報記録媒体は上記課題を解決するために、予め同心円状又は螺旋状のトラックが形成されたガイド層と、該ガイド層上に積層された複数の記録層とを備え、前記トラックには、(i)ガイド用のガイド情報を担持する物理構造を夫々有する複数のガイド領域が、前記トラックに沿ったトラック方向に予め設定された所定距離以下の配置間隔にて離散的に、且つ前記トラックに交わる径方向に相隣接する複数のトラックに渡って該複数のトラック間でずらされて、配置されていると共に、(ii)所定パターンを夫々有する複数の特定領域が、トラッキングサーボがオープンの状態で前記所定パターンが検出可能なように、前記径方向において内周から外周に渡って同一位相に夫々配置されている。
【００２３】
本実施形態の情報記録媒体によれば、典型的には、ガイド層に設けられた同心円状又は螺旋状のトラックをガイド用或いはトラッキング用に利用することで、該ガイド層上又は下に積層されている複数の記録層のうちの所望の記録層に対し、該トラックに沿って、例えばゾーンＣＡＶ（Constant Angular Velocity）方式又はにて光学的に情報を記録することが可能とされる。更に、同じくトラックをガイド用に利用することで又は利用することなく、記録済とされた所望の記録層から、例えばゾーンＣＡＶ方式にて光学的に情報を再生することが可能とされる。
【００２４】
ここに「ガイド層」とは、典型的には少なくとも各記録層への情報記録時或いは書込時に、各記録層に係る記録面内の位置（即ち、記録面に沿った、径方向の位置及びトラック方向の位置）を、ガイド用或いはトラッキング用の第１光ビーム（以下単に「第１光ビーム」と呼ぶ）により、ガイドする又は案内するための層を意味する。「ガイド層」は、典型的には、トラッキングエラー信号（或いはその元となるウォブル信号やプリピット信号など）が発生可能に構成されたトラックが予め物理的に作り込まれている層である。
【００２５】
またガイド層に形成される「トラック」とは、少なくとも情報記録時に、第１光ビームがなぞられる或いは追従される軌道を意味し、典型的には、例えば、ウォブリングされたり、これに加えて又は代えてピットが形成されたグルーブトラック又はランドトラックとして、ガイド層内或いはガイド層上に予め物理的に作り込まれている。なお、記録層において記録後に形成される情報トラックは、当初はトラックが何も無かった記録面内にて、記録された情報ピットの並び或いは配列として構築される点で、ここにいう予め作りこまれた「トラック」とは、明確に区別される。
【００２６】
このようにガイドされる、ガイド層内のトラック上の第１光ビームの各位置に対応する、所望の記録層における、記録後に情報トラック上をなす各位置にて、典型的には、情報記録用或いは情報書込用の第２光ビーム（以下単に「第２光ビーム」と呼ぶ）による情報記録が行われる。
【００２７】
なお、ガイド層は、典型的には、全記録層に対して一層だけ設けられていれば足りるが、例えば二層など複数備えられて、各々が適宜に用いられる或いは役割分担される構成でもかまわない。いずれにせよ、ガイド層と複数の記録層とは、相互に別層として設けられる。
【００２８】
複数の記録層は、例えば１６層など、各々に独立して情報を記録可能更に再生可能となるように構成される。複数の記録層は夫々、未記録状態では、例えばストレートグルーブ若しくはストレートランド又は鏡面など、なるべく単純な構造を持つのが好ましい。複数の記録層の相互間の位置合わせや、ガイド層との間での位置あわせが殆ど又は実践上全く不要であるのが、製造上好ましいからである。記録層の構造は、光ビームの照射側から見て、奥側の記録層或いはガイド層に対しても、光ビームが到達するように、各々の記録層における透過率及び反射率が所定範囲に収まるよう設定された各種記録方式で記録可能に構成されている。
【００２９】
より具体的には、情報記録時には、例えば、ガイド層に存在するトラックに対し、第１光ビーム（例えば、比較的大径の光スポットを形成する赤色レーザ）が集光された場合に得られる反射光から、トラッキングエラー信号（或いはその元となるウォブル信号及びこれに加えてプリピット信号）が検出可能とされる。このトラッキングエラー信号に従って、ガイド動作の一種としてトラッキング或いはトラッキングサーボが実行可能とされる。このトラッキングが行われている或いはトラッキングサーボが閉じられている状態で、トラックの上層又は下層側における所望の記録層に対し、第２光ビーム（例えば、比較的小径の光スポットを形成する青色レーザ）が集光されることで、情報の記録が行われる。言い換えれば、ガイド層に予め形成されたトラックの位置を基準として、予めトラック或いはトラックの如きが何ら存在していない（例えば、鏡面状態）他の層である所望の記録層における情報を記録する際の面内位置決めが行われる。（なお、フォーカスについては集光する際に別途行われている。）
ここで、光ピックアップ等における、第１及び第２光ビームを照射する光学系が固定されていれば、それらにより形成される光スポットの位置関係も固定されている。このため、第１光ビームの位置（即ち、それにより形成されるトラック上の光スポットの位置）についてトラッキングサーボ等のガイド動作を実行することは、第２光ビーム（即ち、それにより形成される記録面内における光スポットの位置）についても、再現性を持ってガイド動作を行っていることになる。言い換えれば、予め存在するトラック上における第１光ビームを利用して、予めトラックが存在しない記録面内における第２光ビームを、トラッキング或いはガイド可能となる。
【００３０】
このような記録方式を採用すれば、相互に積層形成される、ガイド層及び各記録層間で、或いは複数の記録層の相互間で、トラック相互間の記録面に沿った方向についての位置合わせを行う必要が元より殆ど又は実践上全くない。これは、製造上極めて有利である。
【００３１】
他方、情報再生の際には、同様にトラックはガイド用に利用されてもよいし、或いは、この情報再生の際には、既に記録層に書き込まれた情報を追従することで、ガイド層をガイド用に（典型的にはトラッキング用に）利用することなく、記録後の情報トラックに対してトラッキング動作を行うことで再生することも可能である。
【００３２】
ガイド層に形成されたトラックには、ガイド情報を担持する物理構造を夫々有する複数のガイド領域が、配置されている。ここに「ガイド情報」とは、第１光ビームをガイド若しくは案内する又は追従させるための情報であり、典型的には、光学的にトラッキングエラー信号（或いはその元となるウォブル信号及びこれに加えてプリピット信号）を発生させるための情報である。更に、ガイド情報は、トラッキング用の光ビームを位置決めするためのマークとなるという意味から「マーク情報」と言い換えることも出来る。
【００３３】
このようなガイド情報を担持する物理構造は、典型的には、グルーブトラック又はランドトラックの側壁又は内部若しくは外部に造作されたウォブル及びプリピット構造（即ちランドプリピット、グルーブプリピットなど）、ウォブル及び一部切欠き構造、グルーブ及びランドがない面（例えば、鏡面）上におけるプリピットの配列や連なりなどによって、実現される。ここに「物理構造」とは、論理構造、単なるデータにより構築される概念的な或いは仮想的な構造とは異なり、物理的に実在する構造を意味する。物理構造は、当該情報記録媒体の完成時に既にガイド上に造り込まれている。
【００３４】
ここで本願発明者による研究の結果、例えば所定の帯域でトラッキングを行うなどの、ガイド動作を実行可能とするといった特定目的は、いずれかのトラックにてガイド情報を検出可能とする必要があるにせよ、従前の或いは既存の光ディスクにおけるトラックの如く、当該ガイド情報を検出するための特殊な仕掛けを、トラック方向に連続して形成しなくても、達成可能であることが判明している。即ち、ガイド情報が検出される時間間隔に相当するガイド情報の配置間隔（即ち、配置ピッチ）を、ガイド動作を可能ならしめるのに最低限必要な距離よりも小さく（例えばトラッキングサーボが所定の帯域で動作可能な最長距離以下などに）設定しておく限りにおいて、トラックに沿った全域にこのような特殊な仕掛けを施しておかなくても、上記目的は達成可能であることが判明している。同時に、相隣接する複数のトラックについて言えば、径方向に揃った複数の位置或いは領域の各々に、このような特殊な仕掛けを並べておかなくても、即ち、径方向に一列に規則正しくこのような特殊な仕掛けを並べて（或いは整列させて）おかなくても、上記目的は達成可能であることが判明している。
【００３５】
そこで本発明では、複数のガイド領域は、螺旋状又は同心円状であるトラックに沿ったトラック方向（言い換えれば、トラックの接線方向）に、相互に、予め設定された所定距離又はそれ未満の距離を、配置間隔（即ち、配置ピッチ）として離散的に配置されている。ここに「所定距離」とは、典型的には、所定の帯域でトラッキング或いはトラッキング動作である、ガイド或いはガイド動作が機能し得る最長の距離（例えば、トラッキング動作を所定の帯域で安定的に実行可能ならしめる頻度にてトラッキング信号を連続的或いは継続的に発生し得る最長の距離）よりも若干のマージンを持って短い距離である。また「所定の帯域」とは、情報記録時に用いられる帯域との関係で定まる、トラッキング動作が行われる、データフォーマット或いはデータ規格に対して固有の帯域を意味する。
【００３６】
このような所定距離は、予め実験的、経験的に又はシミュレーション等により、固有の情報記録媒体におけるガイド層に対して、ガイド動作（典型的には、所定の帯域でのトラッキング動作）が機能する限界の距離を求めることと、適当なマージンを決定することで、設定されればよい。仮に、ガイド領域が、所定距離よりも長い配置間隔（即ち、配置ピッチ）で、離散的に配置されていたとすれば、例えば所定の帯域で安定したトラッキングサーボを可能ならしめるだけの頻度にてトラッキングエラー信号を生成できないなど、安定したガイド動作を実行できない。
【００３７】
なお「離散的に」とは、各記録層に係る記録面上で平面的に見て、相互に連続しておらず、相互間に、鏡面、緩衝領域、ガイド領域以外の領域など他の平面領域が介在している意味である。
【００３８】
複数のガイド領域は、トラックに交わる径方向（即ち、半径方向）に、相隣接する複数のトラックに渡って、該複数のトラック間でずらされて、配置されている。ここに「複数のトラックに渡って」とは、各記録層に係る記録面上で平面的に見て、相互に隣接する二本又は二本以上のトラック及びそれらの間隙を占める領域を含めて、それらに渡って或いは跨ってという意味である。また「径方向に、複数のトラック間でずらされて」とは、径方向（即ち半径方向）について複数のトラック間が同一位相（例えば、ディスク上の角度）或いは同一位相に相当する位置（例えば、ディスク上の角度位置）にない、或いは同一半径上にないという意味である。この際、相対的に径方向について近接して並ぶ複数のガイド領域は、完全に（即ち、間に間隙を隔てて）離間している必要は無く、典型的には、情報記録時又は再生時におけるトラッキングサーボ用の光ビームが、該複数のガイド領域に同時にかからない程度に（例えば５トラックに渡って）、径方向の位相がずらされていれば足りる。或いは、光ビームにより、該複数のガイド領域から読み取り可能な信号や情報が相互から識別可能である程度にずらされていれば足りる。
【００３９】
このため、光ビームのスポットが相隣接する二つの或いは二つ以上のトラック或いはトラック部分に跨るまで（例えば５トラックに渡るまで）トラック密度を高めても、これに対応してガイド領域が上述の如くずらされている限りにおいて、トラック方向及び径方向の双方についてガイド情報が重なること（或いは他のガイド領域からの信号成分がノイズとして影響を及ぼすこと）に起因して、即ち検出されるガイド情報のクロストークにより、ガイド情報が検出不能となってしまう事態が回避可能となる。このようにトラック密度を高めても、ガイド或いはトラッキングが可能となり、ガイド層としての、典型的にはトラッキング信号を発生する本来の機能は保証される。
【００４０】
従って、第１光ビームがガイド層における相隣接する複数のトラックに同時に照射される程度に、第１光ビームの径に対して、トラックピッチを狭めつつも、例えば第１光ビームに起因する反射光等から得られるプッシュプル信号をサンプリングするなどして、トラッキングエラー信号或いはその元となるウォブル信号及びこれに加えてプリピット信号等のガイド情報を、安定して連続的に発生させることが可能となる。即ち、所定の帯域での安定したトラッキング動作等のガイド動作が実行可能となる。或いは、ガイド情報に、制御用の情報（例えば、サーボマークやアドレス情報など）を含めた場合に、これを第１光ビームに起因する反射光等に基づく情報として、確実に読み取ることが可能となる。即ち、安定的にプリフォーマット情報を取得可能となる。
【００４１】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラックなど多数のトラック）に渡って同時に照射されるという技術的性質を有する。このため、相対的に大きな光スポットを形成する第１光ビームを用いて、狭ピッチの記録層に対応したトラッキング動作等のガイド動作を行う必要があるからである。
【００４２】
なお、第１光ビームが、第２光ビームに比べてビーム径が小さい場合においても、或いは、これらの径が殆ど又は全く同じ場合においても、トラックのピッチに対して光ビームの径が大きい場合に適切にガイド動作を行おうとする限りにおいて、やはり、上述の如き本実施形態における独自の構成は、相応の作用効果を齎すものである。
【００４３】
このように、ガイド用のトラックについては、所定の帯域でトラッキングサーボを可能ならしめること或いはプリフォーマット情報を読み取らせることなどのガイド機能を損なわないようにしつつ、そのピッチを（例えば、記録層における記録により構築されると共に第２光ビームのビーム径に相応しい情報トラックが有することになる、狭ピッチと同程度にまで）狭ピッチにする（即ち、第１光ビームに対して不相応なまでに狭ピッチにする）ことが可能となる。
【００４４】
加えて特に、例えばゾーンＣＡＶ方式を採用しているので、ゾーン又は書込位置若しくは読取位置が内周側になる程、角速度が増大するが故に（言い換えれば、外周側になる程、角速度が減少するが故に）、例えばガイド層のトラックに予め記録されたガイド情報の配置関係が、半径位置に応じて任意となる。例えばＣＡＶ（Constant Angular Velocity）方式であれば可能なように、特定長の情報を複数のトラックに渡って径方向に一列に整列させるといった配置をとることは、根本的に不可能である。すると、例えばゾーンＣＡＶ方式にて仮に何らの対策も施さないとすれば、第１光ビームが複数トラックに渡る光スポットを形成する場合に、その光スポット内部に入るトラック部分が半径位置に応じて任意となり（即ち、いずれにせよ特定長の情報であっても径方向位置に応じてトラック方向にずれ）、ガイド情報の取得が半径位置に応じて、極めて不安定とならざるを得ない。
【００４５】
しかしながら、ガイド領域は、上述の如く意識的に或いは積極的に、径方向に複数のトラック間でずらされて配置されている。このため、径方向位置によらずに（即ち内周寄りや外周寄りを問わずに）、高密度記録を実現するための高密度のトラックピッチや記録線密度に対応して、所定の帯域でのトラッキングサーボ等のガイド動作を安定して実行可能となる。逆に言えば、例えばゾーンＣＡＶ方式であることを前提として、径位置に応じて、予め所定距離やずらし方を規定しておけば、例えばゾーンＣＡＶ方式であっても何ら問題は生じない。
【００４６】
しかも本実施形態では特に、トラックには、このような複数のガイド領域とは別に、所定パターンを夫々有する複数の特定領域が配置されている。複数の特定領域は、その少なくとも一部については、少なくとも記録時に（或いはこれに加えて再生時に）トラッキングサーボがオープンの状態で、それが有する所定パターンが検出可能なように、径方向において内周から外周に渡って同一位相に夫々配置されている。
【００４７】
即ち、「所定パターン」は、径方向において内周から外周に渡って同一位相に夫々配置されていることを条件に、トラッキングサーボがオープンの状態でも、検出可能なパターンを意味する。所定パターンは、典型的には、径方向に相隣接する複数のトラックの一本一本に作り込まれたグルーブトラック或いはランドトラックからなる部分を含む。
【００４８】
言い換えれば、「トラッキングサーボがオープンの状態で検出可能である所定パターン」は、開始位置が径方向に概略揃い、終了位置が少なくとも、例えばゾーンＣＡＶにおける各ゾーン等の一定範囲のまとまった領域内において、径方向に概略揃った領域に作り込まれる。しかも、所定パターンのうちの一種類のパターン（例えば第１ＳＹＮＣパターン）が、開始位置と終了位置とが径方向に略揃った、少なくとも１区間以上から成る、マーク又はピット又は部分グルーブ等の物理的形状で形成され、且つ、λ／ＮＡ（即ち、波長／開口数）から決まる第１光ビームのビーム径に含まれる隣接トラックのうち、少なくとも一つのトラックに該物理的形状が形成されている。更に、この一種類のパターンとトラックに沿う方向の長さが異なる、所定パターンのうちの他の種類のパターン（例えば第２ＳＹＮＣパターン）が、前記領域の終了位置側に、一種類のパターンと同様に物理的形状で形成されている。「トラッキングサーボがオープンの状態で検出可能である所定パターン」は、典型的には、このようなパターンを意味する。
【００４９】
またここに、「同一位相において」或いは「同一位相に配置されている」とは、トラック方向に離間することなくことなく、同一半径に沿って或いはそのように配置されているという意味である。よって、これは、文字通り完全に同一半径上に乗る或いは同一半径上に完全に一列に配列された場合の他、例えばゾーンＣＡＶのゾーンの単位で同一半径に沿って少なくとも若干の幅（即ち、トラック方向に沿った幅）だけ重なりを持って配列された場合或いはトラック方向に沿って若干ずらされつつも或る幅だけ重なりを持って配列された場合をも含む趣旨である。また「径方向において内周から外周に渡って同一位相」とは、典型的には、最内周から最外周へ至る全域に渡っての意味であるが、最内周若しくは最外周又は途中における若干の部分を除いてであってもかまわない趣旨である。即ち、若干の部分を除く部分について、以下に述べるトラッキングサーボの引き込みやトラックジャンプを可能ならしめるという本願発明における作用効果が相応に得られる。
【００５０】
しかも、複数の特定領域については、少なくともその一部或いは本体部分（例えば、後述の実施例における特定領域２４のうちの本体部２４−２）において、複数のガイド領域の場合と異なり、同一位相について、即ち同一半径に対して夫々交差すると共に相互に隣接する複数のトラックに、典型的にはトラックを一本たりとも飛ばすことなく無く配置されている。言い換えれば、複数の特定領域は、典型的には、同一位相における複数のトラックの一本一本に（飛ばすことなく）配置されている。このように「同一位相に夫々配置されている」は、典型的には「同一位相における、相隣接する複数のトラックの一本一本に配置されている」という意味である。
【００５１】
ここで一般に、トラッキングサーボの引き込み動作を、開始、継続、又は停止するためには、トラッキングサーボがオープンの状態でも、光照射位置（即ち、光ピックの書込位置又は読取位置）が、複数のトラックを横切ったことを示す信号（例えば「ゼロクロス信号」）が検出されることが必要となる。トラックジャンプをした場合にも、同様に、いわばトラックを横切ったことを示す信号が検出されることが必要となる。例えば、仮に、敢えて離散的に配置された複数のガイド領域にて、このようなトラックを横切ったことを示す信号を検出しようとしても、何本かに一本の割合（例えば、トラック７本につき１本の割合）でしか同一半径上にグルーブやランドが存在していないため、基本的に、そのような割合でしか、該信号は得られない。即ち、このような径方向に間を置いて配列された複数のガイド領域の如き配列では、トラッキングサーボの引き込み動作やトラックジャンプを実行することは、相当程度困難となる。
【００５２】
しかるに、本実施形態では上述のように所定パターンを有する複数の特定領域が配置されているので、当該情報記録媒体の記録時又は再生時に、トラッキングサーボの引き込みを行う場合に、複数の特定領域に沿うように径方向に沿って光照射位置の移動を行うことにより特定領域の少なくとも一部を占める所定パターンを検出するようにすれば、トラッキングサーボを引き込む動作の開始、継続、及び停止を何ら問題なく行うことが可能となる。即ち、トラッキングサーボの引き込み動作との関係では、ビーム径内に含まれるグルーブ等が１つ以下となるように特定領域の一部が構成されていると、サーボ引込み動作を行うのに十分なゼロクロス信号群が得られる。或いは、当該情報記録媒体の記録時又は再生時に、トラックジャンプを行う場合に、複数の特定領域に沿うように径方向に沿って光照射位置の移動を行うことにより特定領域の少なくとも一部を占める所定パターンをトラッキングサーボがクローズの状態でも検出するようにすれば、トラックジャンプを何ら問題なく行うことが可能となる。この場合にもやはり、トラックジャンプとの関係では、ビーム径内に含まれるグルーブ等が１つ以下となるように特定領域の一部が構成されていると、トラックジャンプ動作を行うのに十分なゼロクロス信号が得られる。他方で、トラッキングサーボの引き込み動作が完了した後には、或いはトラックジャンプが行われた後やトラッキングサーボが閉じたままの状態においては、上述した如く特定領域以外のガイド領域を利用してトラッキングを行えばよい。
【００５３】
以上の結果、特定領域を利用することでトラッキングサーボの引き込み動作やトラックジャンプ動作を適宜に実行し且つガイド領域を利用することでトラッキング動作を適宜に実行しつつ、記録層において記録若しくは再生できるトラックピッチや記録線密度（例えば、線記録密度、ピットピッチ或いは情報転送速度（即ち、記録線密度×移動速度））を、多層型の情報記録媒体における本来の目的である「高密度記録」と言える程度にまで高めることが可能となる。
＜２＞
本実施形態の情報記録媒体の一態様では、前記所定パターンは、グルーブ及びランドが所定ルールで組み合わせられることで、前記ガイド層に物理的に夫々造り込まれている。
【００５４】
この態様によれば、所定パターンは、その少なくも一部分において、グルーブ及びランドの所定ルールの組み合わせとして、同一位相に配置される。ここに「所定ルール」とは、例えば、トラック方向に一定の長さや規定の長さを持ちつつ交互に配置されるなど、グルーブ及びランドの組み合わせについて予め設定されたルール或いは決まりであり、例えば切り欠き、ノッチ、ウォブル等についてのルールまで含んでもよい。ビーム径内に含まれるグルーブ等が１つ以下となるように特定領域の一部が構成されていれば、所定のゼロクロス信号群が得られる。
＜３＞
このグルーブ及びランドの組み合わせに係る態様では、前記所定パターンは、ウォブル及びプリピット構造、並びにウォブル及び一部切欠き構造のうち少なくとも一方を夫々有する。
【００５５】
このように構成すれば、各特定領域における所定パターンは、ウォブル及びプリピット構造並びにウォブル及び一部切欠き構造のうち少なくとも一方を含む物理構造を夫々有する。ここに「ウォブル及びプリピット構造」とは、ウォブル或いはウォブリングされたグルーブ又はランドトラックが形成されていると共に、そのグルーブ内又はランド内にプリピットが形成されている構造を意味する。更に「プリピット」とは、グルーブ内若しくは上、又はランド上若しくは内におけるトラック上に、グルーブ幅又はランド幅よりも狭くなるように形成された凸状又は凹状のピット或いは位相ピットを意味する。言い換えれば、プリピットは、ランドプリピットでも、グルーブプリピットであってもよい。
【００５６】
他方、「ウォブル及び一部切欠き構造」とは、ウォブル或いはウォブリングされたグルーブ又はランドトラックが形成されていると共に、そのグルーブ内又はランド内にグルーブ幅又はランド幅と同等の切欠きが施されている構造を意味する。相隣接するグルーブ間に存在するランドの一部が切欠きされている場合、相隣接するランド間に存在するグルーブの一部が切欠きされている場合、及びそれらを組み合わせた場合が考えられる。言い換えれば、物理構造は、一部切欠きという広義のプリピットを含んで構成されてもよく、更に、この広義のプリピットは、広義のランドプリピットでも、広義のグルーブプリピットであってもよい。更に、そのような構造に加えて、前述した狭義のプリピット（即ち、一部切欠き構造を伴わないプリピット）を併せて形成することも可能である。
【００５７】
このように、トラックは、ウォブリングされ且つピットが形成されたグルーブトラック又はランドトラックとして、或いは、ランド又はグルーブの一部が切欠きされたグルーブトラック又はランドトラックとして、ガイド層に予め構築される。よって、その構築は、比較的容易であり、最終的には、信頼性及び安定性の高いガイド動作が可能とされる。
【００５８】
なお、所定パターンを構成するグルーブやランドは、少なくとも部分的に、ストレートグルーブやストレートランドであってもよい。更に、このようなストレートグルーブやストレートランドに、ピット、ノッチ、切り欠きなどが付加されていてもよい。「ストレートグルーブ」や「ストレートランド」とは、ウォブルやピットなどが形成されていない単なる真っ直ぐな溝（グルーブ）又は溝と溝との間にある土手（ランド）を意味する。なお、グルーブとランドとは、相対的な凹凸であり、第１及び第２光ビームが照射される方向から見て、どちらが凹でありどちらが凸であっても構わない。例えば、情報記録媒体を構成する本体基板を基準に凹となるのがグルーブであり、凸となるのがランドである。この場合、第１及び第２光ビームが照射される方向から見て、グルーブが凸となり且つランドが凹となったりする。また、グルーブトラック、ランドトラック等も何ら形成されていない「鏡面」は、特に情報が埋め込まれてないプレーンな素面を意味し、ガイド層にて光反射率が最も高い面となる。
＜４＞
上述のグルーブ及びランドの組み合わせに係る態様では、前記所定パターンは、前記トラック方向に沿って配列された、（ｉ）第１のＳＹＮＣパターン、（ｉｉ）前記グルーブ及び前記ランドの前記所定ルールによる組み合わせを有する本体部、並びに（ｉｉｉ）前記第１のＳＹＮＣパターンと異なる第２のＳＹＮＣパターンを含んでもよい。
【００５９】
このように構成すれば、記録時や再生時に、第１のＳＹＮＣパターンで、例えば本体部の始まりを事前に検知することが可能となり、これを行うことなどにより、本体部にて、準備万端の状態にて肝心のトラッキングサーボの引き込み動作又はトラックジャンプ動作を開始したり、継続したりが可能となる。更に、第２のＳＹＮＣパターンで、例えば本体部の終わりを遅延無く検知することが可能となり、これを行うことなどにより、本体部にて、肝心のトラッキングサーボの引き込み動作又はトラックジャンプ動作を継続したり、停止するが可能となる。なお、好ましくは、複数の特定領域に渡って、複数の第１のＳＹＮＣパターンは同一位相に配置され且つ複数の第２のＳＹＮＣパターンは、同一位相に配置される。
【００６０】
加えて、「ＳＹＮＣ（Synchronization）パターン」とは、記録時又は再生時に所定周波数或いは所定頻度で固有の信号波形を出現させ得るパターンを意味する。特定領域にて検出される信号である第１及び第２ＳＹＮＣ信号は夫々、固有の信号波形を有するが故に、それらの検出は、簡単且つ確実に実行可能である。
＜５＞
この場合更に、前記第１のＳＹＮＣパターンは、その検出に対応して前記本体部の存在を検知可能となるように規定されており、前記第２のＳＹＮＣパターンは、その検出に対応して前記本体部の終了を検知可能となるように規定されてもよい。
【００６１】
このように構成すれば、固有の信号波形を出現させる第１のＳＹＮＣパターンの検出にて、次に本体部が到来すること、即ち、該本体部にてトラックを横切る際に発生する信号の検出を開始すべき時期（言い換えれば、トラッキングサーボの引き込み動作やトラックジャンプ動作を行うべき時期）或いは該時期の到来を特定することが可能となる。これにより、トラッキングサーボの引き込み動作やトラックジャンプ動作の開始を適宜に行うことが可能となる。その後、該本体部にてトラックを横切る際に発生する信号の検出（言い換えれば、トラッキングサーボの引き込み動作やトラックジャンプ動作）が、ある程度継続的に行われた後に、固有の信号波形を出現させる第２のＳＹＮＣパターンの検出にて、該本体部の終焉が検知される。これにより、トラッキングサーボの引き込み動作やトラックジャンプ動作の停止を適宜に行うことが可能となる。この場合、第２のＳＹＮＣ信号が検出されるまでにトラッキングサーボの引込み動作やトラックジャンプが完了すれば問題はないが、仮に、完了できなかった場合でも、この第２のＳＹＮＣ信号が検出されることで、特定領域の終了が認識できるので、今回の特定領域を利用しての動作は強制終了して、周回遅れで再実行することも含めて、他の選択肢を遅延無く実行できる。
【００６２】
なお、本体部だけでなく、第１及び第２ＳＹＮＣパターンの少なくとも一方を含めた所定パターンにて、トラックを横切る際に特有の信号が発生するように、本体部並びに第１及び第２ＳＹＮＣパターンは、構成されてもよい。
＜６＞
本実施形態の情報記録媒体の他の態様では、当該情報記録媒体は、ゾーンＣＡＶ方式であり、前記トラックは、同心円状又は螺旋状である。
【００６３】
この態様によれば、ゾーンＣＡＶ方式を採用しているので、同心円状のトラックを採用する場合には特に、トラックジャンプが頻繁に行われ、或いは螺旋状のトラックを採用する場合にも適宜にトラックジャンプが行われる。しかるに、ガイド層には、上述した所定パターンを有する特定領域が配置されているので、これを利用することにより、トラッキングサーボの引き込みの開始、継続、及び停止を何ら問題なく行うことが可能となり、トラックジャンプ動作を何ら問題なく行うことが可能となる。
【００６４】
＜７＞
本実施形態の情報記録媒体の他の態様では、前記複数の特定領域は、前記複数の記録層に夫々記録されるデータのＥＣＣの並びが前記径方向に揃う部分の直前に対応する位置に夫々配置されている。
【００６５】
この態様によれば、特定領域は、記録層に記録されることになるデータのＥＣＣ（Error Correction Code）の並びが径方向に揃う部分の直前に、即ちトラック方向についての直前に対応する、ガイド層における位置に予め配置されている。このため、内周から外周、或いは、外周から内周に記録する際のいずれの場合も、トラックジャンプをすべき位置やすべきタイミングを容易にして取得できる。同様に、ランド又はグルーブを対象とする、トラッキングサーボの引き込み動作の切替タイミング或いは切替位置についても、容易にして取得できる。なお「直前に」とは、間に他の領域を介することなく前にという場合と、間に緩衝領域及び鏡面領域以外領域の領域を介することなく（即ち、緩衝領域及び鏡面領域のみを介して）前にという両方の意味を含む。
＜８＞
本実施形態の情報記録媒体の他の態様では、前記ガイド情報は、前記トラック方向に沿って内周から外周へ向う第１記録用アドレス情報及び前記外周から前記内周へ向う第２記録用アドレス情報のうち少なくとも一方を含む。
【００６６】
この態様によれば、単一層のガイド層に、第１記録用アドレス情報及び第２記録用アドレス情報が記録される。或いは、二層（又はそれ以上の層数の）のガイド層に、第１記録用アドレス情報及び第２記録用アドレス情報が夫々記録される。すると、記録層について、第１アドレス情報に従って記録される第１記録層と第２アドレス情報に従って記録される第２記録層とに使い分けが可能となる。よって、一又は複数の第１記録層にて、内周から外周へ向って情報を記録し、一又は複数の第２記録層にて、外周から内周へ向って情報を記録する動作が、効率良くなる或いは容易となる。
【００６７】
しかも、記録動作の信頼性及び安定性についても、二種類のアドレス情報を使い分けることによって、顕著に高められる。よって、連続して双方向に又は任意若しくは独立にて双方向に記録可能な情報記録媒体を実現可能となる。
【００６８】
特に、記録層の１層目を内周から外周に向かって記録再生し、記録層の２層目を外周から内周に向って記録再生をすることにすれば、これら二層間で記録再生を切り替える時間は、ほぼ層間ジャンプを行うだけの時間で済むので、複数の記録層に跨るように連続して、記録再生を行う際に、極めて有利となる。
【００６９】
この際、第１規則で配列された二種類のスロットのうちの一方に、第１記録用アドレス情報を予め記録しておき、第１規則とは異なる第２規則で配列された二種類のスロットのうちの一方に、第１記録用アドレス情報を予め記録しておけば、クロストークの影響を低減しつつ、その時点で必要な方のアドレス情報を確実且つ安定的に検出可能となる。
＜９＞
本実施形態の情報記録媒体の他の態様では、前記トラックは、トラッキングサーボ用のガイドトラックであり、前記物理構造は、前記ガイド情報の少なくとも一部を構成する前記トラッキングサーボ用の信号を、発生可能であり、前記複数のガイド領域は夫々、前記トラッキングサーボ用の信号を発生するためのサーボ用領域であり、前記所定距離は、前記トラッキングサーボが所定の帯域で動作可能な距離に予め設定されており、前記複数のサーボ用領域は、前記トラッキングサーボ用の光ビームの径に基づいて、前記光ビームが同時に照射されないように前記複数のトラック間でずらされて、配置されている。
【００７０】
この態様によれば、ガイド層は、少なくとも各記録層への情報記録時に、各記録層に係る記録面内の位置を、第１光ビームによりトラッキングするために、トラッキングエラー信号等が発生可能に構成されたトラックが作り込まれている層である。
【００７１】
より具体的には、情報記録時には、ガイド層に存在するトラックに対し、第１光ビームが集光された場合に得られる反射光から、トラッキングエラー信号等が検出可能とされる。このトラッキングエラー信号に従って、ガイド動作の一種としてトラッキング或いはトラッキングサーボが実行可能とされる。
【００７２】
ここで本実施形態では特に、複数のサーボ用領域は、トラック方向に、予め設定されたトラッキングサーボが所定の帯域で動作可能な距離以内だけ相互から離間して、配置されている。即ち、トラック方向に相前後する二つのサーボ用領域間は、トラッキング動作を安定的に実行可能ならしめる頻度にて、サーボ用領域からトラッキング信号を連続的或いは継続的に発生し得る最長の距離以内にて、離散的に配置されている。
【００７３】
しかも、複数のサーボ用領域は、トラッキングサーボ用の第１光ビームの径に基づいて、この光ビームが同時に照射されないように複数のトラック間でずらされて、配置されている。
【００７４】
このため、第１光ビームのスポットが相隣接する二つの或いは二つ以上のトラック部分に跨るまでトラック密度を高めても、これに対応してサーボ用領域が上述の如くずらされている限りにおいて、トラック方向及び径方向の双方についてトラッキングエラー信号（或いはその元となるウォブル信号）が重なること（或いは他のサーボ用領域からのトラッキングエラー信号の成分がクロストークのノイズとして影響を及ぼすこと）に起因して、トラッキングエラー信号が検出不能となってしまう事態が回避可能となる。即ち、このようにトラック密度を高めても、トラッキングが可能となり、ガイド層としての、トラッキング信号を発生する本来の機能は保証される。
【００７５】
従って、トラックピッチを狭めつつも、例えば第１光ビームに起因する反射光等から得られるプッシュプル信号をサンプリングするなどして、或いは、位相差法（ＤＰＤ）により位相差信号をサンプリングするなどして、トラッキングエラー信号を、安定して連続的に発生させることが可能となる。即ち、安定したトラッキング動作等のガイド動作が実行可能となる。
【００７６】
しかも、このようにトラッキングサーボが閉じた状態でのトラッキングがガイド領域を利用して安定に行われる他方で、トラッキングサーボが開いた状態でのトラッキングサーボの引き込み動作やトラックジャンプ動作を安定して実行可能である。
【００７７】
なお、本実施形態では主にガイド領域については、以下の如き各種態様を採ることも可能である。
＜信号検出用領域に関する実施形態＞
本実施形態で好ましくは、前記トラックには更に、前記トラックに交わる径方向に相隣接する複数のトラック部分のうち少なくとも前記径方向の中央寄りに位置するセンタートラック部分にて特定種類のパターン信号が検出可能なように、前記複数のトラック部分に跨る一まとまりの所定パターンを夫々有する複数の信号検出用領域が、配置されている。
【００７８】
この態様によれば、複数の信号検出用領域は、センタートラック部分にて、特定種類のパターン信号が検出可能なように、径方向に相隣接する複数のトラック部分に跨る一まとまりの所定パターンを、夫々有する。ここに「センタートラック部分」とは、各信号検出用領域において径方向に相隣接する複数のトラック部分のうち、径方向の中央若しくは中心又は中心線上に位置するなど、少なくとも径方向の中央寄りに位置するトラック部分である。例えば、複数のトラック部分が、３本、５本、７本、…といった奇数本であれば、好ましくは、その丁度真ん中のトラック部分が、センタートラック部分とされる。
【００７９】
逆に、センタートラック部分以外のトラック部分については、その直上に第１光ビームによる１光スポットの中心が乗っている機会にも、敢えて、パターン信号の検出対象から除外されている。即ち、センタートラック部分以外のトラック部分でも所定パターンに起因する何らか信号或いはノイズが検出可能であろうが、そのような信号或いはノイズは、ノイズとして元より検出されないか、検出後にノイズとして破棄される。
【００８０】
複数の信号検出用領域は、典型的には、トラック方向に離散的に配置されており、径方向にも離散的に配置されている。このため、光ビームのスポットが相隣接する二つの或いは二つ以上のトラック或いはトラック部分に跨るまで（例えば５トラック、７トラックなどに渡るまで）トラック密度を高めても、検出されるパターン信号のクロストークにより、パターン信号が検出不能となってしまう事態が回避可能となる。
【００８１】
例えば、パターン信号として、チルトエラー信号などのチルト検出信号が発生可能なように、所定パターンを典型的には予め作り込んでおけば、或いは、使用開始後の任意の時点にて記録しておけば、チルト発生時に、パターン信号における大きな信号変化が得られるので、実践上極めて有益である。
【００８２】
具体的には、例えば、径方向（即ち、ラジアル方向）のチルトならば、センタートラックを中心線として線対称の所定パターンを、複数のトラックに跨る方向に面的に広がりを持つように形成しておけば、径方向のチルトに対して、感応性に優れたチルト検出信号を発生可能となる。或いは、トラック方向（即ち、タンジェンシャル方向）のチルトならば、トラックに対して直交する線分を中心線として線対称の所定パターンを、複数のトラックに跨る方向に面的に広がりを持つように形成しておけば、トラック方向のチルトに対して、感応性に優れたチルト検出信号を発生可能となる。或いは、斜め方向のチルトならば、トラックに対して斜めに交差する線分を中心線として線対称の所定パターンを、複数のトラックに跨る方向に面的に広がりを持つように形成しておけば、斜め方向のチルトに対して、感応性に優れたチルト検出信号を発生可能となる。
【００８３】
チルト補正用のチルト検出信号以外にも、ディスクの偏心補正用の偏心信号、ディスク面の傾き補正用の傾き信号、光学系の収差補正用の収差信号、光ビームの位相差補正用の位相差信号、ゆがみの補正用のゆがみ信号、光吸収補正用の光吸収信号、ストラテジーの設定用のストラテジー信号など、各種の信号が、パターン信号として検出されるように、所定パターンは構成されてよい。
【００８４】
所定パターンは、例えば、複数のトラックに跨る形で外輪形状が円形、矩形等である、環状（即ち、中抜き型）又はベタ状（即ち、中詰め型）の平面領域内における複数トラックの各部に、複数のピット、複数の微小な光学的特殊部分が形成されてなる。言い換えれば、所定パターンは、複数のピット、複数の微小な光学的特殊部分等の連なり或いは集合により構成される。
【００８５】
ここで本願発明者による研究の結果、例えばチルト検出信号に基づくチルト補正などのパターン信号に基づく特定種類の処理を実行可能とするといった特定目的は、いずれかのトラックにてチルト検出信号等のパターン信号を検出可能とする必要があるにせよ、チルト検出信号等のパターン信号を全てのトラックに連続して形成しなくても、達成可能であることが判明している。特定種類の処理が、恒等的に連続して行われることの方がむしろ稀である。即ち、チルト補正を一定値に保持する時間（言い換えれば、チルトサーボをロックしておく期間）毎に一度ずつ、チルト検出信号が検出されるといったように、特定種類の処理を行う頻度或いは期間に応じて、チルト検出信号等のパターン信号が検出されれば、上記特定目的は達成可能であることが判明している。
【００８６】
よって、一方で、相隣接する複数のトラックについて言えば、複数本おきに、パターン信号の検出が行われれば、実践上は、完全若しくはほぼ完全に又は相応に、パターン信号に基づく所定処理を実行することが可能である。他方、トラックに沿った領域については、多少の間隔を空けて或いはいずれかの位相（例えば、ディスク上の角度）をおいて、パターン信号の検出が行われれば、実践上は、完全若しくはほぼ完全に又は相応に、パターン信号に基づく所定処理を実行することが可能である。結局、例えば５本、７本おきといった複数のトラック毎に、それらを代表するセンタートラック部分にて、パターン信号が断続的に得られれば、実践上は十分ということになる。更に、パターン信号が検出される位相位置（例えば、ディスク上の角度位置）については、揃えられていてもよいし、揃えられていなくてもよい。
【００８７】
そこで本実施形態では、信号検出用領域に対しては、第１光ビームの光スポットの中心がセンタートラック部分に乗っている機会を、パターン信号の検出機会として捕らえる。センタートラック部分以外のトラック部分については、その直上に第１光ビームによる１光スポットの中心が乗っていたとしても、敢えて、パターン信号を検出する機会から除外しているのである。
【００８８】
これは特に、第１光ビーム（例えば、赤色レーザ）が、第２光ビーム（例えば青色レーザ）に比べてビーム径が大きい場合において、第２光ビームの相対的に小さい光スポットを有効活用して（即ち、その小ささに応じて）記録層に情報記録する際における記録密度を限界付近まで高める場合に、極めて有利に働く。即ち、記録層における記録後にトラックとなる狭ピッチの記録領域に対応する狭ピッチのトラックを、ガイド層に予め造り込んだ場合に、必然的に、そのようなトラックに対して大きくなる第１光ビームの光スポットは、複数のトラック（例えば５トラック、７トラックなど、多数のトラック）に渡って同時に照射されるという技術的性質を有する。
【００８９】
このため、相対的に大きな光スポットを形成する第１光ビームを用いて、径方向に相隣接する複数のトラック部分に跨る一まとまりの所定パターンを検出するのは極めて好都合だからである。デメリットを齎し易い、トラックピッチに対して大きな光スポットを、逆に有効活用しているとも言える。
【００９０】
なお、第１光ビームが、第２光ビームに比べてビーム径が小さい場合においても、或いは、これらの径が殆ど又は全く同じ場合においても、トラックのピッチに対して光ビームの径が大きい場合に所定パターンを検出しようとする限りにおいて、やはり、上述の如き本実施形態における独自の構成は、相応の作用効果を齎すものである。
【００９１】
このように所定パターンを夫々有する複数の信号検出用領域がトラックに配置されているので、チルト検出信号等の特定種類のパターン信号の配置についての自由度が格段に増す。また、複数の信号検出用領域を相互から独立して、即ち、離散的に配置することも可能であるので、情報記録媒体全体としても、自由度のある配置が可能となる。パターン信号を、特定の複数種類の処理に対応させて複数種類設けることで、複数種類の処理を適宜に実行することも可能となる。
＜スロットに関連する実施形態＞
本実施形態で好ましくは、複数のガイド領域は、複数のスロットのうち、トラック方向に相隣接しておらず且つ径方向に複数のトラックに渡って相隣接していない一部の複数のスロット内に、配置されている。典型的には、このような一部の複数のスロット内に一つずつ配置されている。
【００９２】
ここに、「スロット」とは、トラックがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。但し、スロットは、トラック方向及び径方向の少なくとも一方については、若干の隙間をあけて配列されてもよい。言い換えれば、ガイド層にて、予めトラック方向に並べられるように作り込まれた複数のスロットにおける、配列、或いは連なりから、トラックが構築される。
【００９３】
ガイド領域は、トラック方向に相隣接しておらず且つ径方向に複数のトラックに渡って相隣接していない一部の複数のスロット内に、配置されているので、複数のガイド領域から検出可能なガイド情報間におけるクロストークを確実に低減或いは無くすことが可能となる。加えて、ガイド層においては、グルーブ、ランド、プリピット等を、ガイド領域が配置されるスロット内にだけ作り込めばよく、これらをトラック全域に連続して作り込む必要は無い。しかも、スロットの存否（例えば、スロットと鏡面との相違）が物理的に明確に区別し易く、よって検出しやすいため、ガイド情報の読み取りが容易にして安定的に実行可能となる。これは、実践上大変有利である。
【００９４】
他方で、記録層における複数のスロットについては、ガイド層の場合と異なり、トラック方向及び径方向の両方についての連続する全てのスロット内に、コンテンツデータ、ユーザデータなどを記録するための個々の記録領域が配置されてよい。記録層におけるいずれのスロットについても、ガイド層におけるガイド領域が配置されたスロットと対応がとれるので、記録層に対して間接的に、所定の帯域におけるトラッキングサーボを実行可能となる。言い換えれば、記録層については、第２光ビームにより形成される光スポットによって、読み取り可能な限界までの高密度にて、全てのスロット内に情報を記録可能となる。
【００９５】
加えて、複数の特定領域については、複数のスロットのうち、トラック方向に相隣接しておらず且つ径方向に複数のトラックに渡って相隣接している一部の複数のスロット内に、配置されている。言い換えれば、径方向に並ぶスロット群内部に配置されている。典型的には、このようなスロット群をなす、一部の複数のスロット内に一つずつ配置されている。
（情報記録装置）
＜１０＞
本実施形態の第１の情報記録装置は上記課題を解決するために、上述した実施形態の情報記録媒体（但し、その各種態様を含む）に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボが前記オープンの状態で、前記複数の特定領域において前記検出された所定パターンの一種類に基づき、前記トラッキングサーボの引き込み動作の開始又は継続を制御する第１引込制御手段と、前記トラッキングサーボが前記オープンの状態又は引き込み途中の状態で、前記複数の特定領域において前記検出された所定パターンの他種類に基づき、前記引き込み動作の継続又は停止を制御する第２引込制御手段と、前記取得されたガイド情報に基づき前記複数のトラックのうち所望のトラックに対して前記トラッキングサーボをかけるように前記光照射手段を制御するトラッキングサーボ手段と、前記トラッキングサーボがかけられているサーボクローズの状態で、前記一の記録層に前記第２光ビームを照射し且つ集光することで、前記データを記録するように前記光照射手段を制御するデータ記録制御手段とを備える。
【００９６】
本実施形態の第１の情報記録装置によれば、例えば二種類の半導体レーザを含む光ピックアップである光照射手段により、ガイド層に対して、第１光ビームが照射され且つ集光される。第１光ビームは、前述の如く、例えば赤色レーザ光ビームの如くスポット径が相対的に大きい光ビームであってよい。即ち、相対的に大きく、複数トラックに渡って照射されるような大きな光スポットを形成するような太い光束の光ビームであっても構わない。
【００９７】
すると、第１光ビームに基づく、ガイド層からの反射光、散乱光、屈折光、透過光等である第１光が、受光手段により、受光される。ここに受光手段は例えば、光照射手段と一体形成され対物レンズ等の光学系を少なくとも部分的に共有する、二分割或いは四分割のＣＣＤ（Charged Coupled Device）等のフォトディテクタ或いは受光素子を含んで構成される。受光手段は例えば、プリズムやダイクロイックミラー、ダイクロイックプリズム等を経由して、第１光を、第２光並びに第１及び第２光ビームと途中から異なる光路にて、受光するように構成される。
【００９８】
ここで特に、初期状態や目標位置検索の途中若しくは前後など、トラッキングサーボがオープンの状態にある場合、受光手段により受光された第１光に基づき、特定領域が有する所定パターンが、例えばプロセッサ、演算回路、論理回路等を含んでなる、情報取得手段により検出される。
【００９９】
この検出と相前後して或いは並行して、情報取得手段により検出された所定パターンの一種類（例えば、トラッキングサーボがオープンの状態で検出される第１ＳＹＮＣパターン）に基づき、トラッキングサーボの引き込み動作の開始が、第１引込制御手段により制御される。
【０１００】
具体的には、第１引込制御手段による制御下で、例えばトラッキングサーボ回路等のトラッキングサーボ手段によって、例えば、所定パターンの一種類の波形が確認されるに応じて、光ピックアップ等の光照射手段がトラックを横切る方向である径方向に移動される。例えば、光照射手段における、トラッキング制御用のアクチュエータが、フィードバック制御或いはフィードフォーワード制御により制御され、第１光ビームにより形成される光ビームが、トラックを横切るように移動される。
【０１０１】
続いて、このようにトラッキングサーボがオープンの状態又は引き込み途中の状態で、情報取得手段により検出された所定パターン（例えば、グルーブとランドの組み合わせを有する本体部）に基づき、光照射手段が、目標のトラック（即ち、記録層にてこれから記録しようとする、記録後に記録済情報トラックとなる径方向位置に対応する、ガイド層におけるトラック）に近付く側に、径方向に移動される。更に、情報取得手段により検出された所定パターンの他種類（例えば、トラッキングサーボがオープンの状態で検出される第２ＳＹＮＣパターン）に基づき、トラッキングサーボの引き込み動作の停止が、第２引込制御手段により制御される。
【０１０２】
具体的には、第２引込制御手段による制御下で、例えばトラッキングサーボ回路等のトラッキングサーボ手段によって、例えば所定パターンの他種類の波形が確認されるのに応じて、光ピックアップ等の光照射手段がトラックを横切る方向である径方向について停止される。例えば、光照射手段における、トラッキング制御用のアクチュエータが、フィードバック制御或いはフィードフォーワード制御により制御され、第１光ビームにより形成される光ビームが、目標のトラックの近傍おける径方向位置にて停止される。この場合、トラッキングサーボの引込み動作が完了できなくとも、この第２のＳＹＮＣ信号が検出されることで、特定領域の終了が認識できるので、今回の特定領域を利用しての動作は強制終了して、周回遅れで再実行することも含めて、他の選択肢を遅延無く実行できる。
【０１０３】
なお、第１及び第２引込制御手段は、単一の回路として構築されてよい。
【０１０４】
以上の第１及び第２引込制御手段による引き込み動作の結果、トラッキングサーボが、目標のトラックに対して引き込まれる。
【０１０５】
続いて、受光手段により受光された第１光に基づき、ガイド領域の物理構造により担持されたガイド情報が、例えばプロセッサ、演算回路、論理回路等を含んでなる、情報取得手段により取得される。
【０１０６】
続いて、この取得されたガイド情報に基づき、トラックに対して所定の帯域でトラッキングサーボをかけるように或いはトラッキングサーボを閉じるように、例えばトラッキングサーボ回路等のトラッキングサーボ手段によって、例えば光ピックアップ等の光照射手段が制御される。例えば、光照射手段における、トラッキング制御用のアクチュエータが、フィードバック制御或いはフィードフォーワード制御により制御され、第１光ビームにより形成される光ビームが、トラック上に追従される。この際特に、所定の帯域でトラッキングサーボをかけるためには、トラックに沿った全てのスロット内にガイド情報を発生可能なガイド領域が配置されている必要は無い。即ち、ガイド領域を含むスロットは、所定の帯域に応じて、トラック方向及び半径方向の双方について離散的に、配置されれば足りる。
【０１０７】
このように所定の帯域でトラッキングサーボがかけられている或いはトラッキングサーボが閉じられた状態で、例えばプロセッサ等のデータ記録制御手段による制御下で、記録すべき情報に対応して変調される第２光ビームが、光照射手段により、照射され且つ集光される。第２光ビームは、情報記録の高密度記録を狙って、前述したように例えば青色レーザ光ビームの如くスポット径が相対的に小さい光ビームであってよい。記録情報の高密度化を図るという観点からは、第２光ビームは、より細い光束であることが望ましい。
【０１０８】
すると、所望の記録層において、ガイド層におけるトラックに対応する情報トラックとなる領域に、データが順次記録されることになる。この際、記録層へのデータの記録を、例えばスロットの整数倍など、スロットに対応する単位で行うようにすれば、記録動作が簡単且つ安定したものとなる。
【０１０９】
このように、上述した実施形態の情報記録媒体における記録層に対し好適に、目標のトラックに対するトラッキングサーボの引き込みを適宜に実行しつつ、例えばコンテンツ情報、ユーザ情報等の記録すべき情報を、高密度にて記録可能となる。
＜１１＞
本実施形態の第２の情報記録装置は上記課題を解決するために、上述した実施形態の情報記録媒体（但し、その各種態様を含む）に、データを記録する情報記録装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボがかけられているサーボクローズの状態で、前記複数の特定領域において前記検出された所定パターンの一種類に基づき、前記トラックに係るトラックジャンプを制御するジャンプ制御手段と、前記トラックジャンプをした場合に、前記取得されたガイド情報に基づき、前記複数のトラックにおける所望の位置を検索し、前記サーボクローズの状態で、前記一の記録層に前記第２光ビームを照射し且つ集光することで、前記データを記録するように前記光照射手段を制御するデータ記録制御手段とを備える。
【０１１０】
本実施形態の第２の情報記録装置によれば、上述した第１の情報記録装置の場合と同様に、光照射手段により、第１光ビームが照射され且つ集光され、受光手段により第１光が受光される。
【０１１１】
ここで特に、初期状態や目標位置検索の途中若しくは前後など、トラッキングサーボがクローズの状態にある場合、受光手段により受光された第１光に基づき、特定領域が有する所定パターンが、例えばプロセッサ、演算回路、論理回路等を含んでなる、情報取得手段により検出される。
【０１１２】
この検出と相前後して或いは並行して、情報取得手段により検出された所定パターンの一種類（例えば、トラッキングサーボがサーボクローズの状態では勿論、オープンの状態でも検出される第１ＳＹＮＣパターンや、グルーブ及びランドの組み合わせを有する本体部）に基づき、トラックジャンプが、ジャンプ制御手段により制御される。この際、トラッキングサーボは、好ましくはホールドされる。
【０１１３】
具体的には、ジャンプ制御手段による制御下で、例えばトラッキングサーボ回路等のトラッキングサーボ手段によって、例えば、所定パターンの一種類の波形が確認されるに応じて、光ピックアップ等の光照射手段がトラックを横切る方向である径方向に移動される。例えば、光照射手段における、トラッキング制御用のアクチュエータが、フィードバック制御或いはフィードフォーワード制御により制御され、第１光ビームにより形成される光ビームが、トラックを横切るように移動される。このような移動と相前後して或いは並行して、横切ったトラックの本数が、検出される所定パターンに相当する信号波形からカウントされることで、ジャンプ手段により、目標トラックへの移動が制御される。
【０１１４】
これらの結果、光照射手段が、目標のトラックに近付くように、径方向にトラックジャンプされ、最終的には、トラックジャンプの停止が、ジャンプ手段により制御される。具体的には、ジャンプ手段による制御下で、例えばトラッキングサーボ回路等のトラッキングサーボ手段によって、（ｉ）横切ったトラックの本数と（ｉｉ）目標となるトラックのトラック番号と（ｉｉｉ）トラックジャンプを開始したトラック番号との関係に応じて、光ピックアップ等の光照射手段が、目標のトラックの近傍おける径方向位置にて停止される。
【０１１５】
以上のジャンプ制御手段によるジャンプ動作の結果、トラッキングサーボが、目標のトラックに対して引き込み可能とされる。
【０１１６】
続いて、このようにトラックジャンプをした場合に、当該トラックジャンプ動作と相前後して又は並行して、データ記録制御手段が有する、例えばプロセッサ、演算回路、論理回路等を含んでなる検索手段により、第１光に基づき取得されたガイド情報に基づき、複数のトラックにおける所望の位置が検索される。即ち、目標のトラックが検索される。更に、この場合、検索された所望の位置にて、上述した第１の情報記録装置の場合と同様に、情報取得手段によりガイド情報が取得され、例えばトラッキングサーボ手段によってトラッキングサーボをかけるように或いはトラッキングサーボを閉じるように光照射手段が制御される。更に、データ記録制御手段による制御下で、第２光ビームが、光照射手段により照射され且つ集光され、データが順次記録されることになる。
【０１１７】
或いは、トラックジャンプをしていない場合にも、上述した第１の情報記録装置の場合と同様に、情報取得手段によりガイド情報が取得され、例えばトラッキングサーボ手段によってトラッキングサーボをかけるように或いはトラッキングサーボを閉じるように光照射手段が制御される。更に、データ記録制御手段による制御下で、第２光ビームが、光照射手段により照射され且つ集光され、データが順次記録されることになる。なお「トラックジャンプをしていない場合」とは、トラッキングサーボを閉じたままの状態でトラックジャンプをしていない場合の意味であり、今回のトラッキングサーボを閉じる以前にトラックジャンプをした場合については当然含む。
【０１１８】
このように、上述した実施形態の情報記録媒体における記録層に対し好適に、目標のトラックに対するトラックジャンプを適宜に実行しつつ、例えばコンテンツ情報、ユーザ情報等の記録すべき情報を、高密度にて記録可能となる。
（情報記録方法）
＜１２＞
本実施形態の第１の情報記録方法は上記課題を解決するために、上述した実施形態の情報記録媒体（但し、その各種態様を含む）に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボが前記オープンの状態で、前記複数の特定領域において前記検出された所定パターンの一種類に基づき、前記トラッキングサーボの引き込み動作の開始又は継続を制御する第１引込制御工程と、前記トラッキングサーボが前記オープンの状態又は引き込み途中の状態で、前記複数の特定領域において前記検出された所定パターンの他種類に基づき、前記引き込み動作の継続又は停止を制御する第２引込制御工程と、前記取得されたガイド情報に基づき前記複数のトラックのうち所望のトラックに対して前記トラッキングサーボをかけるように前記光照射手段を制御するトラッキングサーボ工程と、前記トラッキングサーボがかけられているサーボクローズの状態で、前記一の記録層に前記第２光ビームを照射し且つ集光することで、前記データを記録するように前記光照射手段を制御するデータ記録制御工程とを備える。
【０１１９】
本実施形態の第１の情報記録方法によれば、上述した実施形態の第１の情報記録装置の場合と同様に作用し、トラッキングサーボの引き込みを適宜に実行しつつ、最終的には、上述した実施形態の情報記録媒体における記録層に対し好適に、例えばコンテンツ情報、ユーザ情報等の記録すべき情報を、高密度にて記録可能となる。
＜１３＞
本実施形態の第２の情報記録方法は上記課題を解決するために、上述した実施形態の情報記録媒体（但し、その各種態様を含む）に、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを記録する情報記録方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボがかけられているサーボクローズの状態で、前記複数の特定領域において前記検出された所定パターンの一種類に基づき、前記トラックに係るトラックジャンプを制御するジャンプ制御工程と、前記トラックジャンプをした場合に、前記取得されたガイド情報に基づき、前記複数のトラックにおける所望の位置を検索し、前記サーボクローズの状態で、前記一の記録層に前記第２光ビームを照射し且つ集光することで、前記データを記録するように前記光照射手段を制御するデータ記録制御工程とを備える。
【０１２０】
本実施形態の第２の情報記録方法によれば、上述した実施形態の第２の情報記録装置の場合と同様に作用し、トラックジャンプを適宜に実行しつつ、最終的には、上述した実施形態の情報記録媒体における記録層に対し好適に、例えばコンテンツ情報、ユーザ情報等の記録すべき情報を、高密度にて記録可能となる。
（情報再生装置）
＜１４＞
本実施形態の第１の情報再生装置は上記課題を解決するために、上述した実施形態の情報記録媒体（但し、その各種態様を含む）から、データを再生する情報再生装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボが前記オープンの状態で、前記複数の特定領域において前記検出された所定パターンの一種類に基づき、前記トラッキングサーボの引き込み動作の開始又は継続を制御する第１引込制御手段と、前記トラッキングサーボが前記オープンの状態又は引き込み途中の状態で、前記複数の特定領域において前記検出された所定パターンの他種類に基づき、前記引き込み動作の継続又は停止を制御する第２引込制御手段と、前記取得されたガイド情報に基づき前記複数のトラックのうち所望のトラックに対して前記トラッキングサーボをかけるように前記光照射手段を制御するトラッキングサーボ手段と、前記トラッキングサーボがかけられているサーボクローズの状態で、前記一の記録層からの前記照射され且つ集光された第２光ビームに基づく第２光を受光し、該受光された第２光に基づき前記データを取得するデータ取得手段とを備える。
【０１２１】
本実施形態の第１の情報再生装置によれば、光照射手段により、ガイド層に対して、第１光ビームが照射され且つ集光される。
【０１２２】
すると、第１光ビームに基づく第１光が、受光手段により、受光される。
【０１２３】
ここで特に、トラッキングサーボがオープンの状態にある場合、受光手段により受光された第１光に基づき、特定領域が有する所定パターンが、情報取得手段により検出される。
【０１２４】
この検出と相前後して或いは並行して、情報取得手段により検出された所定パターンの一種類に基づき、トラッキングサーボの引き込み動作の開始が、第１引込制御手段により制御される。
【０１２５】
続いて、このようにトラッキングサーボがオープンの状態又は引き込み途中の状態で、情報取得手段により検出された所定パターンに基づき、光照射手段が、目標のトラックに近付く側に、径方向に移動される。更に、情報取得手段により検出された所定パターンの他種類に基づき、トラッキングサーボの引き込み動作の停止が、第２引込制御手段により制御される。
【０１２６】
以上の第１及び第２引込制御手段による引き込み動作の結果、トラッキングサーボが、目標のトラックに対して引き込まれる。
【０１２７】
続いて、受光手段により受光された第１光に基づき、ガイド領域の物理構造により担持されたガイド情報が、情報取得手段により取得される。
【０１２８】
続いて、この取得されたガイド情報に基づき、トラックに対して所定の帯域でトラッキングサーボをかけるように或いはトラッキングサーボを閉じるように、トラッキングサーボ手段によって、光照射手段が制御される。
【０１２９】
このように所定の帯域でトラッキングサーボがかけられている或いはトラッキングサーボが閉じられた状態で、例えばプロセッサ等のデータ取得手段による制御下で、第２光ビームが、光照射手段により、所望の記録層に照射され且つ集光される。
【０１３０】
すると、所望の記録層において、記録済情報が再生されることになる。
【０１３１】
このように、上述した実施形態の情報記録媒体における記録層に対から好適に、トラッキングサーボの引き込みを適宜に実行しつつ例えばコンテンツ情報、ユーザ情報等の記録済情報を、高密度にて再生可能となる。
【０１３２】
なお、ガイド層によるトラッキングを利用することなく、即ち第１光ビームを利用することなく、専ら第２光ビームにより、記録済の記録情報の配列或いは連なりからなる情報トラックに対してトラッキングを行いつつ、該情報トラックから情報を再生することも可能である。即ち、情報再生時には、第２光ビームのみを利用し、情報記録時には第１及び第２光ビームの両方を利用するという、記録及び再生の別に応じて、光ビームを使い分けるように情報再生装置を構築することも可能である。情報再生時には、第２光ビームのみが使用されるので、相対的に（即ち、再生時にも第１光ビームを使用する場合に比較して）低消費電力且つ単純な制御にて、再生を実行可能となる。特に、情報再生装置を、情報記録時と情報再生時とで光ビームの使い分けをする、記録機能をも備えた「情報記録再生装置」として実現すれば、実践上非常に有利となる。
＜１５＞
本実施形態の第２の情報再生装置は上記課題を解決するために、上述した実施形態の情報記録媒体（但し、その各種態様を含む）から、から、データを再生する情報再生装置であって、前記ガイド層にトラッキング用の第１光ビームを照射し且つ集光することが可能であると共に前記複数の記録層のうち一の記録層にデータ記録用の第２光ビームを照射し且つ集光することが可能である光照射手段と、前記ガイド層からの前記照射され且つ集光された第１光ビームに基づく第１光を受光し、該受光された第１光に基づき前記所定パターンを検出すると共に前記担持されたガイド情報を取得する情報取得手段と、前記トラッキングサーボがかけられているサーボクローズの状態で、前記複数の特定領域において前記検出された所定パターンの一種類に基づき、前記トラックに係るトラックジャンプを制御するジャンプ制御手段と、前記トラックジャンプをした場合に、前記取得されたガイド情報に基づき、前記複数のトラックにおける所望の位置を検索し、前記サーボクローズの状態で、前記一の記録層からの前記照射され且つ集光された第２光ビームに基づく第２光を受光し、該受光された第２光に基づき前記データを取得するデータ取得手段とを備える。
【０１３３】
本実施形態の第２の情報再生装置によれば、上述した第１の情報再生装置の場合と同様に、光照射手段により、第１光ビームが照射され且つ集光され、受光手段により第１光が受光される。
【０１３４】
ここで特に、トラッキングサーボがサーボクローズの状態にある場合、受光手段により受光された第１光に基づき、特定領域が有する所定パターンが、情報取得手段により検出される。
【０１３５】
この検出と相前後して或いは並行して、情報取得手段により検出された所定パターンの一種類に基づき、トラックジャンプがジャンプ制御手段により制御される。
【０１３６】
これらの結果、光照射手段が、目標のトラックに近付くように、径方向にトラックジャンプされ、最終的には、トラックジャンプの停止が、ジャンプ手段により制御される。更に、このように所定の帯域でトラッキングサーボがかけられている或いはトラッキングサーボが閉じられた状態で、第２光ビームが、光照射手段により、所望の記録層に照射され且つ集光され、所望の記録層において、記録済情報が再生されることになる。
【０１３７】
このように、上述した実施形態の情報記録媒体における記録層に対から好適に、トラックジャンプを適宜に実行しつつ例えばコンテンツ情報、ユーザ情報等の記録済情報を、高密度にて再生可能となる。
【０１３８】
なお、ガイド層によるトラッキングを利用することなく、即ち第１光ビームを利用することなく、専ら第２光ビームにより、記録済の記録情報の配列或いは連なりからなる情報トラックに対してトラッキングを行いつつ、該情報トラックから情報を再生することも可能である。
（情報再生方法）
＜１６＞
本実施形態の第１の情報再生方法は上記課題を解決するために、上述した実施形態の情報記録媒体（但し、その各種態様を含む）から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボが前記オープンの状態で、前記複数の特定領域において前記検出された所定パターンの一種類に基づき、前記トラッキングサーボの引き込み動作の開始又は継続を制御する第１引込制御工程と、前記トラッキングサーボが前記オープンの状態又は引き込み途中の状態で、前記複数の特定領域において前記検出された所定パターンの他種類に基づき、前記引き込み動作の継続又は停止を制御する第２引込制御工程と、前記取得されたガイド情報に基づき前記複数のトラックのうち所望のトラックに対して前記トラッキングサーボをかけるように前記光照射手段を制御するトラッキングサーボ工程と、前記トラッキングサーボがかけられているサーボクローズの状態で、前記一の記録層からの前記照射され且つ集光された第２光ビームに基づく第２光を受光し、該受光された第２光に基づき前記データを取得するデータ取得工程とを備える。
【０１３９】
本実施形態の第１の情報再生方法によれば、上述した実施形態の第１の情報再生装置の場合と同様に作用し、トラッキングサーボの引き込みを適宜に実行しつつ、最終的には、上述した実施形態の情報記録媒体における記録層から好適に、例えばコンテンツ情報、ユーザ情報等の記録済情報を、高密度にて再生可能となる。
＜１７＞
本実施形態の第２の情報再生方法は上記課題を解決するために、上述した実施形態の情報記録媒体（但し、その各種態様を含む）から、前記ガイド層にトラッキング用の第１光ビームを照射し且つ集光することが可能であると共に前記複数の記録層のうち一の記録層にデータ記録用の第２光ビームを照射し且つ集光することが可能である光照射手段を用いて、データを再生する情報再生方法であって、前記ガイド層からの前記照射され且つ集光された第１光ビームに基づく第１光を受光し、該受光された第１光に基づき前記所定パターンを検出すると共に前記担持されたガイド情報を取得する情報取得工程と、前記トラッキングサーボがかけられているサーボクローズの状態で、前記複数の特定領域において前記検出された所定パターンの一種類に基づき、前記トラックに係るトラックジャンプを制御するジャンプ制御工程と、前記トラックジャンプをした場合に、前記取得されたガイド情報に基づき、前記複数のトラックにおける所望の位置を検索し、前記サーボクローズの状態で、前記一の記録層からの前記照射され且つ集光された第２光ビームに基づく第２光を受光し、該受光された第２光に基づき前記データを取得するデータ取得工程とを備える
本実施形態の第２の情報再生方法によれば、上述した実施形態の第２の情報再生装置の場合と同様に作用し、トラックジャンプを適宜に実行しつつ、公的に最終的には、上述した実施形態の情報記録媒体における記録層から好適に、例えばコンテンツ情報、ユーザ情報等の記録済情報を、高密度にて再生可能となる。
【０１４０】
本実施形態のこのような作用及び他の利得は次に説明する実施例から明らかにされる。
【０１４１】
以上説明したように、本実施形態に係る情報記録媒体によれば、ガイド層と複数の記録層とを備え、トラックには複数のガイド領域と複数の特定領域が配置されているので、トラッキングサーボの引き込みやトラックジャンプを適宜行いつつ、記録層において記録若しくは再生できるトラックピッチや記録線密度を高めることが可能となる。
【０１４２】
本実施形態に係る第１の情報記録装置によれば、光照射手段と情報取得手段と第１及び第２引込制御手段とトラッキングサーボ手段とデータ記録制御手段とを備え、本実施形態に係る第１の情報記録方法によれば、情報取得工程と第１及び第２引込制御工程とトラッキングサーボ工程とデータ記録制御工程とを備えるので、上述した実施形態の情報記録媒体における記録層に対し好適に、トラッキングサーボの引き込みを適宜行いつつ、例えばコンテンツ情報、ユーザ情報等の記録すべき情報を、高密度にて記録可能となる。
【０１４３】
本実施形態に係る第２の情報記録装置によれば、光照射手段と情報取得手段とジャンプ制御手段とデータ記録制御手段とを備え、本実施形態に係る第２の情報記録方法によれば、情報取得工程とジャンプ制御工程とデータ記録制御工程とを備えるので、上述した実施形態の情報記録媒体における記録層に対し好適に、トラックジャンプを適宜行いつつ、例えばコンテンツ情報、ユーザ情報等の記録すべき情報を、高密度にて記録可能となる。
【０１４４】
本実施形態に係る第１の情報再生装置によれば、光照射手段と情報取得手段と第１及び第２引込制御手段とトラッキングサーボ手段とデータ取得手段とを備え、本実施形態に係る第１の情報再生方法によれば、情報取得工程と第１及び第２引込制御工程とトラッキングサーボ工程とデータ取得工程とを備えるので、上述した実施形態の情報記録媒体における記録層から好適に、トラッキングサーボの引き込みを適宜行いつつ、記録済情報を高密度にて再生可能となる。
【０１４５】
本実施形態に係る第２の情報再生装置によれば、光照射手段と情報取得手段とジャンプ制御手段とデータ取得手段とを備え、本実施形態に係る第１の情報再生方法によれば、情報取得工程とジャンプ制御工程とデータ取得工程とを備えるので、上述した実施形態の情報記録媒体における記録層から好適に、トラックジャンプを適宜行いつつ、記録済情報を高密度にて再生可能となる。
【実施例】
【０１４６】
以下、図面を参照しながら、本発明の各種実施例について説明する。尚、以下では、本発明に係る情報記録媒体を、多層記録型の光ディスクに適用した例について説明する。
＜情報記録媒体の実施例＞
初めに、図１から図２９を参照して、本発明に係る情報記録媒体の一例である多層記録型の光ディスクの実施例について説明する。【０１４７】
先ず、図１〜図８を参照して、本実施例に係る光ディスク１１の基本構成（主に物理的な構造）及び基本原理について説明する。【０１４８】
図１において、光ディスク１１は、多層記録型であり、単一のガイド層１２と複数の記録層１３とを備える。ここに図１は、図中左半面に図示された一枚の光ディスク１１を構成する複数の層を、図中右半面にて、その積層方向（図１中、上下方向）について相互に間隔をあけて分解することで、各層を見易くしてなる模式的な斜視図である。【０１４９】
光ディスク１１に対しては、その記録時に、トラッキングサーボ用であると共に本発明に係る「第１光ビーム」の一例たる第１ビームＬＢ１と、情報記録用であると共に本発明に係る「第２光ビーム」の一例たる第２ビームＬＢ２とが同時に照射される。その再生時に、第１ビームＬＢ１と、情報再生用である第２ビームＬＢ２とが同時に照射される。なお、情報再生時には、第２ビームＬＢ２を、トラッキングサーボ用であり且つ情報再生用である、単一の光ビームとして利用すること（即ち、第１ビームＬＢ１を使用しないこと）も、可能である。【０１５０】
光ディスク１１はゾーンＣＡＶ方式であり、同心円状又は螺旋状のトラックＴＲに予め記録されており、情報記録時又は再生時に検出されるトラッキングエラー信号（或いはその元となるウォブル信号）、アドレス情報（或いはその元となるプリピット信号）等は、ゾーンＣＡＶ方式に準拠してトラックに沿って配列されている。図１中、右半面に示されているように、第１ビームＬＢ１は、ガイド層１２に集光され、トラックＴＲ（即ち、ガイドトラック）を追従するように、トラッキング制御される。【０１５１】
図２に示すように、第２ビームＬＢ２は、ガイド層１２上に積層された複数の記録層１３のうち記録対象又は再生対象たる、所望の一つの記録層１３に集光される。第２ビームＬＢ２は、例えばＢＲ（ブルーレイ）ディスクと同じく比較的小径の青色レーザビームである。これに対して、第１ビームＬＢ１は、例えばＤＶＤと同じく比較的大径の赤色レーザビームである。第１ビームＬＢ１により形成される光スポットの径は、第２ビームＬＢ２により形成される光スポットの径と比べて、例えば数倍程度となる。【０１５２】
複数の記録層は、例えば１６層など、各々に独立して情報を光学的に記録可能、更に再生可能となるように構成される。より具体的には、複数の記録層１３は夫々、例えば、２光子吸収材料を含む半透明の薄膜から構成される。例えば、２光子吸収材料としては、２光子吸収が起こった領域の蛍光強度が変化する蛍光物質を用いる蛍光タイプ、電子の局在化によって屈折率が変化するフォトリフラクティブ物質を用いる屈折率変化タイプなどが、採用可能である。屈折率変化タイプの２光子吸収材料としては、フォトクロミック化合物やビス（アラルキリデン）シクロアルカノン化合物などの利用が有望視されている。【０１５３】
２光子吸収材料を利用した光ディスク構造としては、(i)光ディスク１１の全体が２光子吸収材料からなるバルク型と(ii)２光子吸収材料の記録層及び別の透明材料のスペーサ層を交互に積層した層構造型とがある。層構造型は、記録層１３及びスペーサ層間の界面で反射される光を利用してフォーカスサーボ制御が可能となる利点がある。バルク型は、多層成膜工程が少なく、製造コストを抑えられる利点がある。【０１５４】
記録層１３の材料としては、第２ビームＬＢ２の波長及び強度の少なくとも一方に応じて感応し、屈折率、透過率、吸収率、反射率などの光学特性が変化することで、記録可能であると共に、安定な材料であればよい。例えば、光重合反応を生じるフォトポリマー、光異方性材料、フォトリフラクティブ材料、ホールバーニング材料、光を吸収して吸収スペクトルが変化するフォトクロミック材料など、透光性或いは半透明の光感応材料が、考えられる。例えば、記録層１３としては、波長λ２の第２ビームＬＢ２に感応するともに波長λ１（λ２＜λ１）の第１ビームＬＢ１に感応しない相変化材料、２光子吸収材料などが用いられる。【０１５５】
複数の記録層１３は夫々、上述の２光子吸収材料、相変化材料以外にも、例えば色素材料等であってもよい。複数の記録層１３は夫々、未記録状態では、トラックＴＲは予め形成されておらず、例えば全域が鏡面或いは凹凸のない平面とである。【０１５６】
このような複数の記録層１３がガイド層１２上に積層された光ディスク１１に対し、少なくとも情報記録時には、光ピックアップが有する共通の対物レンズ１０２Ｌを介して、これらの径及び焦点深度が相異なる第１ビームＬＢ１及び第２ビームＬＢ２が、ほぼ又は実践上完全に同軸的に照射される。【０１５７】
図１及び図２において、第２ビームＬＢ２についてのトラッキング動作は、（特に記録時には記録層１３上に何らのトラックも存在しないので）第１ビームＬＢ１によるガイド層１２のトラックＴＲに対するトラッキング動作により、間接的になされる。即ち、第１ビームＬＢ１と第２ビームＬＢ２とは、対物レンズ１０２Ｌ等の共通の光学系（言い換えれば、照射される光ビーム間の位置関係が固定された光学系）を介して、照射される。このため、第１ビームＬＢ１の光ディスク１１の面内における位置決めが、そのまま第２ビームＬＢ２の光ディスク１２の面内（即ち、各記録層１３の記録面内）における位置決めとして、利用できる訳である。【０１５８】
ガイド層１２のトラックＴＲには、トラッキングエラー信号（或いはその元となるウォブル信号などのトラッキングエラーを発生させるための信号）及びプリピット信号を担持する物理構造を夫々有する、複数のサーボ用領域が、配置されている。ここに、トラッキングエラー信号及びプリピット信号は、本発明に係る「ガイド用のガイド情報」の一例を構成する。複数のサーボ用領域は、本発明に係る「複数のガイド領域」の一例を構成している。【０１５９】
ここで図３〜図６を参照して、ガイド層１２の物理的な構造について詳述する。図３〜図６は夫々、ガイド層１２におけるウォブリングが施されたトラック部分を抜粋して拡大表示している。特に、図３は、実施例における単にウォブリングが施されたトラック部分を示し、図４は、各トラックの全域に渡って隙間無くグルーブ及びランド等が作り込まれた比較例における、ガイド層１２のトラック部分を示す。図５は、実施例における「ウォブル及び一部切欠き構造」を有すると共にウォブリングが施されたトラック部分を示し、図６は、実施例における「ウォブル及び狭義のランドプリピット」を有すると共にウォブリングが施されたトラック部分を示す。【０１６０】
図３に示すように、ガイド層１２には、図１におけるトラックＴＲの具体例に相当する、グルーブトラックＧＴが形成されている。グルーブトラックＧＴは、例えば光反射性の材料からなる薄膜である反射膜１２ａが、凹凸溝が形成された基材としての透明膜１２ｃ上に成膜され、更に保護膜としての透明又は不透明な膜１２ｂで埋められることで形成される。図３中で上側に位置する基材としての透明膜１２ｃに掘られた溝という意味で、グルーブトラックＧＴ或いはグルーブは、図２中で、上側に凸状に形成されている。或いは逆に、グルーブトラックＧＴは、反射膜１２ａが、凹凸溝が形成された基材としての透明又は不透明な膜１２ｂ上に成膜され、更に保護膜としての膜１２ｃで埋められることで形成される。【０１６１】
グルーブトラックＧＴは、ウォブルＷＢを側壁に有する。言い換えれば、グルーブトラックＧＴは、側壁がトラック方向に沿ってウォブリング（蛇行）するように形成されている。【０１６２】
図３において、グルーブは局所的にのみ設けられているが、一点差線で示した各グルーブトラックＧＴは、記録後に記録層１３（図１参照）が有することになる記録情報がなす記録済情報トラックのトラックピッチに対応するトラックピッチで配置されている。ここで、既にガイド層１２のトラックＴＲに沿って記録済である、トラックＴＲに沿った記録情報の記録層１３上における配列を、以下適宜、単に「記録済情報トラック」と呼ぶ。情報記録済トラックは、物理的には、記録時に第２ビームＬＢ２の照射により記録層１３の記録面に形成された、蛍光強度が変化した部分、屈折率が変化した部分、相変化部分、色素変化部分などの、ガイド層１２のトラックＴＲに沿った一連のつらなりと言える。即ち図３中では、グルーブが何ら形成されていないグルーブトラックＧＴについても、所定頻度でトラッキングエラーを発生可能な頻度にてグルーブが形成されている。即ち、図３に図示されていない径方向位置及びトラック方向位置においては、グルーブトラックＧＴ上にグルーブが適宜に形成されており、周回に渡って何らのグルーブが形成されていないグルーブトラックＧＴは、基本的に存在しない。【０１６３】
図４において、比較例では、記録後に記録層１３（図１参照）が有することになる記録情報がなす記録済情報トラックのトラックピッチに対応するトラックピッチで、トラック方向及び径方向の全域に渡って、グルーブ及びランドが形成されている。伝統的なＤＶＤ、ＢＲディスク等では、グルーブトラックＧＴは、記録層がガイド層を兼ねているために又は記録層の記録済情報トラックとガイド層のガイドトラックとが一対一対応しているために、ガイド層についても、図４の比較例の如く構成されている。【０１６４】
これに対して、図３の具体例では、グルーブは、グルーブトラックＧＴ上において、トラック方向に沿っての全域に渡って形成されていない。グルーブは、径方向についても、相互に隣接するグルーブトラックＧＴ上に形成されていない。このような配置（より具体的にはトラック方向及び径方向についての配置間隔）の定量的な説明及びそれによる作用効果は、後に図７〜図２１を参照して詳述する。【０１６５】
なお図５に示すように、ガイド層１２（図１参照）に設けられるグルーブトラックには、一部切欠き構造からなるグルーブノッチＧＮ１が作り込まれてもよい。切欠きとは、グルーブトラックの一つのトラック幅に渡って切り欠かれてなる鏡面である。【０１６６】
或いは図６に示すように、ランドパートＬＰには、ランドプリピットＬＰＰ１が作り込まれてもよい。なお、図４の比較例にも、ランドプリピットＬＰＰ１が作り込まれている。図５のグルーブノッチＧＮ１と図６のＬＰＰ１は、ガイド層再生時において、真逆に表れるが同様の効果を持つ。【０１６７】
加えて、図６中では、プリピットが何ら形成されていないランドパートＬＰについても、適宜に、プリピットが形成されてもよい。【０１６８】
ここで図７及び図８を参照して、このようにガイド層１２のトラックＴＲがトラッキングエラー信号（或いはその元となるウォブル信号）を担持する物理構造をトラックＴＲに構築する際における、注意点について検討を加える。【０１６９】
図７に示すように、光スポットＳＰ１が、トラックピッチに対して相対的に大きくない、低密度記録用のトラッキングを行う場合を想定する。この場合、光スポットＳＰ１は（トラックピッチ０．５μｍに対し）直径１μｍ程度であり、自らが集光され追従しているトラックＴＲ２以外のトラックＴＲ１及びＴＲ３上の信号のノイズとしての影響を殆ど又は実践上全く受けない。即ち、全てのトラックＴＲ１、ＴＲ２、ＴＲ３、…に対し、それらの径方向及びトラック方向に隙間無く、グルーブ構造やウォブル構造（図３参照）、更に、一部切欠き構造（図５参照）、プリピット構造（図６参照）を与えても、トラッキングエラー信号（或いはその元となるウォブル信号）にクロストークが発生しない。このため、トラッキングを実行可能となる。【０１７０】
図８に示すように、これに対し、光スポットＳＰ１が、トラックピッチに対して相対的に大きい、高密度記録用のトラッキングを行う場合を想定する。この場合、光スポットＳＰ１は（トラックピッチ０．２５μｍに対し）直径１μｍ程度であり、自らが集光され追従しているトラックＴＲ３以外のトラックＴＲ１、ＴＲ２、ＴＲ４及びＴＲ５上の信号のノイズとしての影響を顕著に受ける。即ち、全てのトラックＴＲ１、ＴＲ２、ＴＲ３、…に対し、それらの径方向及びトラック方向に隙間無く、グルーブ構造やウォブル構造等（図３〜図６参照）を与えてしまうと、トラッキングエラー信号にクロストークが顕著に発生する。このため、トラッキングを実行不可能となる。【０１７１】
特に、本実施例の如くゾーンＣＡＶ方式であると、ＣＡＶ方式の場合と異なり、径方向位置に応じて、隣接する複数のトラックＴＲ上におけるアドレス位置関係（アドレスの差）が変化するので、仮に一の場所でトラッキング可能でも、他の場所で（即ち、径方向に隣接する他の信号発生領域の接近の度合いが強くなる箇所では）トラッキングが不可能となる可能性が顕著に出てきてしまう。【０１７２】
これは、図８に示すように、ランドプリピットＬＰＰ１が近隣に存在する場合にも、同様である。即ち、トラッキング対象となっているトラックＴＲ３に設けられえたランドプリピットＬＰＰ１に対して、他のトラックＴＲ５に設けられた図中、破線の円で囲まれたランドプリピットＬＰＰ１に記録されたプリピット信号（即ち、ランドプリピット信号）が、ノイズとして影響する。この結果、いずれの位置にてもランドプリピットＬＰＰ１が検出不可能となるか、又は径方向位置やトラック方向位置によっては、ランドプリピットＬＰＰ１が検出不可能となる。言い換えれば、プリピット信号によるアドレス情報等が検出不可能となる。このように、隣接するトラックのみならず、２トラックだけ或いはそれ以上離れたトラック同士のクロストークについても低減する配置が求められる。【０１７３】
図８に示した如き状況は、記録層１３に高密度記録に対応する第２ビームＬＢ２（例えば、ＢＲディスクと同じく青色レーザ）を用いて、記録後に情報記録トラックが狭ピッチになるように、狭ピッチのトラックＴＲをガイド層１２に予め形成すると共に、ガイド層１２に対しては低密度記録に対応する第１ビームＬＢ１（例えば、ＤＶＤと同じく赤色レーザ）を用いる場合には、必然的に発生してしまう。即ち、ガイド層１２に対して、第１ビームＬＢ１を利用し、且つ記録層１３に対して、第１ビームよりも小径の第２ビームＬＢ２を利用する場合には、必然的に発生する技術的な制約であると言える。仮に、ガイド層１２に、第１光ビームＬＢ１に対応するピッチのトラックＴＲを形成したのでは、記録層１３での高密度記録用のトラッキングを行う役には全く立たない。【０１７４】
しかるに、所定の周波数帯域でトラッキングを行うという特定目的は、いずれかのトラックＴＲにていずれかのタイミングにてトラッキングエラー信号を発生させる必要があるにせよ、トラッキングエラー信号を検出するためのウォブル構造或いはプリピット構造（図３〜図６参照）を、トラックＴＲ上に、トラック方向に連続して形成しなくても、達成可能である。即ち、所定の周波数帯域でトラッキングサーボが動作可能となる最長の距離以下となる配置間隔（即ち、配置ピッチ）であれば、トラックＴＲ上におけるトラック方向に沿った全域に、トラッキングエラー信号が発生するようにウォブル構造等（図３〜図６参照）を施しておく必要はない。しかも、相隣接する複数のトラックＴＲについて言えば、この特定目的の達成のために、径方向に揃った位置（即ち同一位相又は同一位相となる位置若しくは領域、言い換えれば、光ディスク１１上における同一角度又は同一角度となる位置若しくは領域）の夫々に、トラッキングエラーを発生させるウォブル構造を整列させておく必要もない。【０１７５】
加えて、トラッキングエラー信号のみならず、ランドプリピットＬＰＰ１などのプリピットを用いての、アドレス情報等の他の記録制御用或いは再生制御用の制御情報を構成するプリピット信号を検出するという特定目的のためにも、トラックＴＲ上におけるトラック方向に沿った全域に、ウォブル構造或いはプリピット構造等（図３〜図６参照）を作り込んでおく必要はない。例えば、未記録トラックにスタッフィングビットを詰めるかのように、予め何らかの情報をトラック方向や径方向にくまなく記録しておかなくても、制御情報の検出は可能である。【０１７６】
そこで本実施例では特に、トラックＴＲには、主にトラッキングを可能ならしめるという特定目的を達成するために、複数のサーボ用領域が以下に説明する如くにトラック方向及び径方向の双方について、離散的に設けられる。【０１７７】
次に図９から図１３を参照して、ガイド層１２における、鏡面領域２１、サーボ用領域２２、「領域３」としてのパターン領域２３、及び特定領域２４という４つの領域の物理的な構成について詳細に説明する。【０１７８】
図９に示すように、ガイド層１２には、「領域１」として、鏡面領域２１と、「領域２」として、検出パターンの目印情報を発生可能な「目印領域」を兼ねるサーボ用領域２２と、「領域３」として、チルト検出信号を発生可能な所定パターン２３ａを持つパターン領域２３と、「領域４」としてトラッキングサーボがオープンの状態でも検出可能な所定パターンをトラック２４Ｇ上に有する特定領域２４とが配置されている。尚、図９では、便宜上２段に図示されているが、４つの領域は、ガイド層１２上で、同一トラックに沿って一列に配列されている場合もある。【０１７９】
ここに、鏡面領域２１には、ストレートグルーブ又はストレートランドが形成されてもよく、この場合には、鏡面領域２１を「グルーブ領域」と呼ぶこともできる。或いは、鏡面領域２１における、他のサーボ用領域２２やパターン領域２３を読み込む際における緩衝作用に着目すれば、鏡面領域２１を「緩衝領域」と呼ぶこともでき、この場合には、本発明に係る「緩衝領域」の一例ということになる。【０１８０】
図９において、鏡面領域２１は、本発明に係る「緩衝領域」の一例であり、例えばストレートグルーブを有する領域である。鏡面領域２１は、トラック方向に、複数のサーボ用領域２２の各々における先頭部の前と最後部の後ろに夫々隣接配置されている。【０１８１】
鏡面領域２１における緩衝作用によって、情報記録時等にサーボ系において、サーボ用領域２２からの信号検出に対する準備期間が与えられる。特に、情報記録時においてトラッキングオンの状態で、第１ビームＬＢ１をサーボ用領域２２に突入させられる。即ち、サーボ用領域２２の先頭側に配置される鏡面領域２１が、トラッキングサーボを安定動作させるために極めて効果的な準備期間を与えてくれる。【０１８２】
サーボ用領域２２は、図３〜図６に示した如き、ウォブル構造やプリピット構造が予め作り込まれる領域、即ちトラッキングエラー信号やプリピット信号を検出可能な領域である。サーボ用領域２２は、トラック方向（図９中、左右方向）に、相互に、予め設定された所定距離又はそれ未満の距離を、配置間隔（即ち配置ピッチ）として離散的に配置されている。しかも、複数のサーボ用領域２２は、径方向（即ち図９中、上下方向）に、相隣接する複数のトラックＴＲに渡って、該複数のトラックＴＲ間で積極的に或いは能動的に左右に（即ちトラック方向に沿って）ずらされて配置されている。【０１８３】
目印情報は、センタートラック２３ＴＲ上にて、パターン領域２３の直前に配置されており、そのパターン領域２３が直後に来る旨を示す。よって、記録時又は再生時に、先ずサーボ用領域２２にて目印情報が検出されると、その後遅延無くパターン領域２３のパターン信号が到来することが判明する。或いは、目印情報は、センタートラック２３ＴＲ上にて、後に来るパターン領域２３をサンプリングするべきタイミング又は後に来るパターン領域２３のトラック方向に沿って内周から外周又は外周から内周へ向うアドレス位置を示す。よって、記録時又は再生時に、先ずサーボ用領域２２にて目印情報が検出されると、その後、どのタイミングで又はどのアドレス位置にて、パターン信号が到来するかが判明する。【０１８４】
仮に、第１光ビームが、複数のトラックからなる１つのまとまったセンタートラック上にいない場合は、パターン領域２３内では、プッシュプル信号で検出されたウォブル信号がオフセットを持って検出される。よって、第１光ビームがセンタートラック２３ＴＲ上にあるか否かが認識できる。【０１８５】
パターン領域２３は、本発明に係る「信号検出用領域」の一例であり、センタートラック２３ＴＲ（図９中、左右に延在する一点鎖線で示されたトラック）にて、特定種類のパターン信号が検出可能なように、径方向（図９中、上下方向）に相隣接する７本のトラックに跨る一まとまりの所定パターン２３ａを有する。【０１８６】
逆に、センタートラック２３ＴＲ以外のトラック部分については、その直上に第１光ビームによる第１光スポットＬＳ１の中心が乗っている機会にも、敢えて、パターン信号の検出対象から除外されている。【０１８７】
パターン領域２３は、トラック方向（図９中、左右方向）に離散的に配置されており、径方向（図９中、上下方向）にも離散的に配置されている。このため、光ビームのスポットが相隣接する７本のトラックに跨るまでトラック密度を高めても、検出されるパターン信号のクロストークにより、パターン信号が検出不能となってしまう事態が回避可能となる。【０１８８】
パターン信号として、チルトエラー信号などのチルト検出信号が発生可能なように、所定パターン２３ａを予め作り込んであるので、チルト発生時に、チルト検出信号における大きな信号変化が得られる。【０１８９】
所定パターン２３ａは、局所的な凹凸をなす短く切り欠かれたグルーブやランド、或いはグルーブトラック又はランドトラックに形成された短いピットやエンボス或いはエンボスピットの複数片から形成されている。例えば、７本のトラックに跨る場合には、片側に５個ずつで両側あわせて１０個のエンボスピット等の集合などから構成される。所定パターン２３ａは、光スポットＬＳ１の外輪形状に概ね適合するように形成されており、明環ＬＳ１ａが発生した場合に、概ねそれに沿うことになる形状を有する。所定パターン２３ａにウォブルが組み合わされていてもよい。【０１９０】
なお、パターン領域２３における所定パターン２３ａは、チルト検出信号以外にも、ディスクの偏心補正用の偏心信号、ディスク面の傾き補正用の傾き信号、光学系の収差補正用の収差信号、光ビームの位相差補正用の位相差信号、ゆがみの補正用のゆがみ信号、光吸収補正用の光吸収信号、ストラテジーの設定用のストラテジー信号など、各種の信号が、パターン信号として検出されるように構成されてよい。【０１９１】
ここで、チルト検出信号に基づくチルト補正を実行可能とするといった特定目的は、いずれかのトラックＴＲにてチルト検出信号を検出可能とする必要があるにせよ、チルト検出信号を全てのトラックＴＲに連続して形成しなくても、達成可能である。即ち、チルトサーボをロックしておく期間毎に一度ずつ、チルト検出信号が検出されるといったように、チルト補正を行う頻度或いは期間に応じて、チルト検出信号が検出されれば、上記特定目的は達成可能である。【０１９２】
よって、一方で、１つのＧＲのトラック７本おきに、チルト検出信号が取得できれば、チルト補正を実行可能である。他方、トラックＴＲに沿った領域については、多少の間隔を空けて或いはいずれかの位相（例えば、ディスク上の角度）をおいて、チルト検出信号が取得できれば、チルト補正を実行可能である。結局、１つのグループＧＲの７本おきに、それらを代表するセンタートラック２３ＴＲにて、チルト検出信号が断続的に得られれば、十分ということになる。【０１９３】
本実施例では、第１ビームＬＢ１（例えば、赤色レーザ）が、第２ビームＬＢ２（例えば青色レーザ）に比べてビーム径が大きいことが、第１ビームＬＢ１を用いて、１つのグループＧＲを構成する７本のトラックＴＲに跨る一まとまりの所定パターン２３ａを検出するのに、極めて好都合となっている。【０１９４】
このようにチルト検出パターンを有するパターン領域２３については、自由度のある配置が可能である。加えて、チルト検出信号以外のパターン信号を、チルト補正以外の処理に対応させて設けることで、チルト補正と共に他の処理を並行して或いは適宜に実行することも可能となる。【０１９５】
しかも本実施例では特に、パターン領域２３の、トラック方向におけるセンタートラック２３ＴＲの前に、パターン領域２３が後に来る旨を示す目印情報を担持するサーボ用領域２２が、配置されている。目印情報は、サーボ用領域２２内に離散的に作り込まれたウォブルやプリピットなどに応じたウォブル信号やプリピット信号などにより再生される情報である。【０１９６】
このため、チルト検出信号の読み込みを、目印情報の到来を元に、簡単にして確実に実行可能となる。例えば目印情報の検出後にチルト検出信号の検出開始準備や、更にチルト検出信号に基づくチルト補正の開始準備を始めることが可能となる。例えば、チルト検出信号と目印情報との位相関係や間隔を予め規定しておくことで、目印情報から、チルト検出信号を検出するべきサンプリングタイミングを容易にして特定可能となる。或いは、目印情報にチルト検出信号が記録されているアドレス位置を持たせておけば、チルト検出信号を検出すべきサンプリングタイミングを容易にして特定可能となる。【０１９７】
特定領域２４は、光ディスク１１の記録時や再生時に、トラッキングサーボがオープンの状態で、それが有する所定パターンが検出可能なように、径方向において内周から外周に渡って同一位相に夫々配置されている。【０１９８】
図１０に示すように、特定領域２４は、グルーブトラック２４Ｇにおいて、グルーブ及びランドが所定ルールで組み合わせられることで、ガイド層１２に物理的に造り込まれている。特定領域２４は、トラック方向（図１０中、左右方向）に沿って配列された、（ｉ）所定パターンの「一種類」の一例である、第１のＳＹＮＣパターンを有する第１ＳＹＮＣパターン領域２４−１、（ｉｉ）所定パターンの「本体部」の一例が配置された本体部領域２４−２、並びに（ｉｉｉ）第１のＳＹＮＣパターンと異なる所定パターンの「他種類」の一例である、第２のＳＹＮＣパターンを有する第２ＳＹＮＣパターン領域２４−３を含んで構成されている。【０１９９】
第１及び第２のＳＹＮＣパターンは夫々、ウォブル及びプリピット構造、並びにウォブル及び一部切欠き構造（図３〜図６参照）のうち少なくとも一方を有し、相互から識別可能な固有のパターンを有し、トラック方向の長さについても相互に異なる。所定パターンの本体部は、ストレートグルーブ又はストレートランドが交互に単純に配列された組み合わせを有する。【０２００】
後に詳述するように、このような特定領域２４におけるパターンは、記録時や再生時において、トラッキングサーボがオープンの状態で検出可能であるが、トラッキングサーボがサーボクローズの状態でも検出可能である。オープンの状態で該パターンが検出されることで、トラッキングサーボの引き込み動作が好適に実行され、サーボクローズの状態でも該パターンが検出されることで、トラックジャンプ動作が、より一層好適に実行される。【０２０１】
図１１に示すように、ガイド層１２上に、上述のように４つの領域を含んで構成される同心円状又は螺旋状のトラックＴＲは、複数本のグループＧＲの単位にまとめられ、各グループの中央に位置するトラックが、センタートラック２３ＴＲとして決められる。こうして決められたセンタートラック２３ＴＲの位置を基準に、特に、パターン領域２３の所定パターンが決定される。更に、特定領域２４については、同一位相（図１１中、ディスクの中心から右側にかけて広がる細長い扇型の領域）に配置されている。特定領域２４は、複数の相隣接するグルーブトラック２４Ｇを含む領域である。【０２０２】
図１２に示すようにガイド層１２の一例では、上述のように構成される同心円状又は螺旋状のトラックＴＲが形成されたガイド層１２上におけるトラック形成面は、ゾーンＣＡＶ方式に従って区分けされている。即ち、径方向位置がほぼ同じである円周に沿った細長い領域が、ゾーン１、ゾーン２、ゾーン３、…として割り当てられている。特定領域２４は、複数の相隣接する、これらのゾーン１、…に跨る形或いは連なるように配置されている。【０２０３】
図１３に示すようにガイド層１２の他の例では、特定領域２４は、複数の相隣接する、これらのゾーン１、…に跨る形或いは連なるように配置されており、特に、輪郭線の一方（図１３中、上側の輪郭線）が直線ではなく、ゾーン毎に若干の段差を有する。【０２０４】
図１４に、ガイド層１２に設けられる上述の４つの領域のうち、サーボ用領域２２、パターン領域２３及び特定領域２４内にデータを配置する場合の具体的な構成例を示す。【０２０５】
図１４において、サーボ用領域２２には、目印情報として、スロット単位でウォブルが形成されている。サンプルサーボマーク３００Ｓも、サーボ用領域２２における図中左側の領域（サーボ用領域を兼ねるサーボ用領域２２）に広く分散される形で、各トラックＴＲ（Ｔｒａｃｋ１〜Ｔｒａｃｋ７）に、トラック方向（図１４中、左右方向）に離散的に且つ径方向（図中、上下方向）に２トラック分の間隔を隔てて、スロット単位で形成されている。サーボ用領域２２内には、このようにサンプルサーボマーク３００Ｓが所定規則で広く分散配置された形で、スロット３００Ａが配置されており、パターン領域２３内には、スロット３００Ｂが、概ね半径方向に揃う形で、配置されている。【０２０６】
パターン領域２３には、スロット３００Ｂにパターン信号として、チルト検出用パターンがスロット単位で形成されている。パターン領域２３内では、チルト検出用パターンとして、７本のトラックに跨る形で一つのパターンが構築されている。図中、右下に矩形内に示されたパターン領域２３として示されるように、本例では、サーボ用領域２２の直ぐ後に、光スポットＬＳ１の外輪円周の上半分（即ち、明環ＬＳ１ａ）をカバーするパターンが形成され、それに続いて若干の距離を隔てて、光スポットＬＳ１の外輪円周の下半分（即ち、明環ＬＳ１ａ）をカバーするパターンが形成されている。これらの二つのパターンから、一つのチルト検出パターンが構築されている。【０２０７】
特定領域２４には、後で詳述する所定パターンをなす物理構造（図１６〜図１９参照）が、複数のトラックの一本一本に作り込まれている。【０２０８】
図１４において、仮にサーボ用領域２２にて、トラックジャンプ又はトラッキングサーボの引き込みを行おうとすると、図中、矢印ＡＲ１で示したトラック間では、１本のトラック分のジャンプが可能となり、このジャンプ先へのトラッキングサーボの引き込みも可能である。しかし、矢印ＡＲ２で示した箇所では、３本のトラック分のジャンプが可能となるものの、１本のトラック分のジャンプは不可能である。即ち、後者では、通常の意味におけるトラックジャンプ及びトラッキングサーボの引き込みは、不可能となる。これに対して、特定領域２４内は、矢印ＡＲ３に示したように、いずれの位置においても、１本のトラック分のジャンプは可能とされており、よって、通常の意味におけるトラックジャンプ及びトラッキングサーボの引き込みは、問題なく実行可能とされている。【０２０９】
以下、この点について、図１５〜図１９を参照して詳細に説明する。【０２１０】
図１５において、先ず、図中左半面に示す比較例の場合、光スポットが５本のトラックに同時に照射されるような高密度トラックであるが故に、光スポットを径方向（図中上下方向）に移動させても、トラッキングサーボを引き込んだり或いはトラックジャンプを可能ならしめるのに相応しい振幅を有するトラッキングエラー信号を、Ａ断面の凹凸から得ることはできない。即ち、このような構成を採用しても、トラッキングサーボの引き込みやトラックジャンプの役にたたない。【０２１１】
図１５において、これに対して、図中右半面に示す実施例の場合、光スポットが３本のトラックに同時に照射されるような低密度トラックであるが故に、光スポットを径方向（図中上下方向）に移動させると、トラッキングサーボを引き込んだり或いはトラックジャンプを可能ならしめるのに相応しい振幅を有するトラッキングエラー信号を、Ｂ断面の凹凸から得ることができる。この場合、ＳＹＮＣパターン及びグルーブがグルーブトラックＧＴにのみ設けられ、ランドトラックＬＴは鏡面として残されることで、全体として、間欠グルーブが構築されている。【０２１２】
このため、本実施例では、図中左側に示すようなパターンではなく、図中右半面に示すようなパターンを、特定領域２４における所定パターンの本体部として採用する。なお、図１５には、図中中央に、第１ＳＹＮＣパターン領域が、パターンの本体部の開始を示す旨の信号として利用される旨が示されている。【０２１３】
次に、図１６〜図１９に、図１５中右半面の例の如く、所望のトラッキングエラー信号を発生可能であると共にそのような領域が開始及び終了する旨を識別可能に夫々示す第１及び第２ＳＹＮＣパターンの各種具体例を示す。図１６〜図１９では、夫々、トラック方向に沿って、配列された第１ＳＹＮＣパターン領域２４−１、本体部領域２４−２、及び第２ＳＹＮＣパターン領域２４−３が示されており、図中、トラック上で色濃く描かれた部分が、グルーブ又はランドとして他所に比べて凹凸とされている。【０２１４】
図１６に示す具体例では、内周から最外周まで、本体部領域２４−２には、１トラックおきに「ＳＹＮＣパターン」が設けられている。第１ＳＹＮＣパターン領域２４−１及び第２ＳＹＮＣパターン領域２４−３では、間欠グルーブ、若しくはピットにより「ＳＹＮＣパターン」が、形成されており、夫々の位置が、半径方向に概略揃うように形成されている。第１ＳＹＮＣパターン領域２４−１における「ＳＹＮＣパターン１」と第２ＳＹＮＣパターン領域２４−３における「ＳＹＮＣパターン２」とは、相互に異なる長さとして形成されている。【０２１５】
図１７に示す具体例では、内周から最外周まで、本体部領域２４−２には、全トラックおきに「ＳＹＮＣパターン」が設けられている。第１ＳＹＮＣパターン領域２４−１及び第２ＳＹＮＣパターン領域２４−３では、間欠グルーブ、若しくはピットにより「ＳＹＮＣパターン」が形成されており、夫々の位置が、半径方向に概略揃うように形成されている。第１ＳＹＮＣパターン領域２４−１における「ＳＹＮＣパターン１」と第２ＳＹＮＣパターン領域２４−３における「ＳＹＮＣパターン２」とは、相互に異なる長さとして形成されている。【０２１６】
図１８に示す具体例では、内周から最外周まで、本体部領域２４−２には、２トラックおきに「ＳＹＮＣパターン」が設けられている。第１ＳＹＮＣパターン領域２４−１及び第２ＳＹＮＣパターン領域２４−３では、間欠グルーブ、若しくはピットにより「ＳＹＮＣパターン」が形成されており、夫々の位置が、半径方向に概略揃うように形成されている。第１ＳＹＮＣパターン領域２４−１における「ＳＹＮＣパターン１」と第２ＳＹＮＣパターン領域２４−３における「ＳＹＮＣパターン２」とは、相互に異なる長さとして形成されている。なお、この例では、トラックピッチが他の具体例と比べて小さく設定されている。【０２１７】
図１９に示す具体例では、内周から最外周まで、本体部領域２４−２には、全トラックおきに「ＳＹＮＣパターン」が設けられている。第１ＳＹＮＣパターン領域２４−１及び第２ＳＹＮＣパターン領域２４−３では、間欠グルーブ、若しくはピットにより「ＳＹＮＣパターン」が形成されており、夫々の位置が、半径方向に概略揃うように形成されている。第１ＳＹＮＣパターン領域２４−１における「ＳＹＮＣパターン１」は、所定長さの繰返しパターンとして形成されている。これに対し、第２ＳＹＮＣパターン領域２４−３における「ＳＹＮＣパターン２」は、所定長さの連続グルーブ構造として形成されている。【０２１８】
本実施例では、図１０及び図１６〜図１９に示すように、特定領域２４は、トラッキングサーボがオープンの状態でも、検出可能なパターンを有する。即ち、光スポットＬＳ１が、トラッキングサーボがオープンの状態で、矢印ＡＲ１１のように移動した場合に得られる、トラッキングエラー信号は、トラッキングサーボの引き込み及びトラックジャンプを行うのに十分な振幅を有する（図１５参照）。【０２１９】
より具体的には、特定パターン２４は、いずれの具体例においても、光ディスク１１上での開始位置が径方向に概略揃い、終了位置が少なくとも、例えばゾーンＣＡＶにおける各ゾーン等の一定範囲のまとまった領域内において、径方向に概略揃った領域に作り込まれている（図１１〜図１３参照）。所定パターンのうちの第１ＳＹＮＣパターンが、開始位置と終了位置とが径方向に略揃った、少なくとも１区間以上から成る、マーク又はピット又は部分グルーブ等の物理的形状で形成される。第１ＳＹＮＣパターンは、第１のＳＹＮＣパターン領域２４−１（即ち、特定領域２４の開始位置側）に、少なくとも一つのトラックに該物理的形状が形成されている。しかも、第１ビームＬＳ１のλ／ＮＡ（即ち、波長／開口数）から決まる、光スポットＬＳ１の直径に含まれる隣接トラック２４Ｇのうち、少なくとも一つのトラックに物理的形状が形成されている。【０２２０】
更に、第１ＳＹＮＣパターンとトラックに沿う方向の長さが異なる、第２ＳＹＮＣパターンが、第２のＳＹＮＣパターン領域２４−３（即ち、特定領域２４の終了位置側）に、第１のＳＹＮＣパターンと同様の要領で物理的形状で形成されている。【０２２１】
これら第１及び第２のＳＹＮＣ領域２４−１及び２４−３の間に位置する本体部領域２４−２には、グルーブ又はランドが全トラックに又はトラック一本若しくは二本おきもになど、交互に配列された所定パターンの本体部が、トラック２４Ｇに沿って且つ相互に隣接する複数のトラックに跨る形で作り込まれている。【０２２２】
更に、特定領域２４のうち第１のＳＹＮＣパターン領域２４−１においては、トラッキングサーボがオープンの状態でも、光スポットＬＳ１がトラック２４Ｇを矢印ＡＲ１１に沿って横切る際に、予め特定領域２４が開始される旨を示すものとして規定された固有の第１ＳＹＮＣパターン信号が検出される。他方、特定領域２４のうち第２のＳＹＮＣパターン領域２４−２においては、トラッキングサーボがオープンの状態でも、光スポットＬＳ１がトラック２４Ｇを矢印ＡＲ１１に沿って横切る際に、予め特定領域２４が終了される旨を示すものとして規定された固有の第２ＳＹＮＣパターン信号が検出される。【０２２３】
このようにガイド層１２には、特定領域２４が配置されているので、後に詳述するように、光ディスク１１の記録時又は再生時に、トラッキングサーボの引き込みを行う場合に、特定領域２４に沿うように径方向に沿って光スポットＬＳ１の移動を行うことにより、トラッキングサーボを引き込む動作の開始、継続、及び停止を何ら問題なく行うことが可能となる。トラックジャンプを行う場合にも同様に、何ら問題なく行うことが可能となる。【０２２４】
なお、トラッキングサーボがクローズ状態であれば、特定領域２４では、連続エラー検出、及び、トラックジャンプが可能である。即ち、この部分を利用して、トラッキングサーボがクローズの状態においても、第１ＳＹＮＣパターンが正常に検出されると、第１ＳＹＮＣパターンの検出終了後がグルーブ領域であることが認識できるので、グルーブトラッキングが可能となる。更に第２ＳＹＮＣパターンが検出されると、その検出終了後から、データ記録領域が始まることが認識できる。【０２２５】
しかも、第１ＳＹＮＣパターン及び第２ＳＹＮＣパターンをグルーブのあるトラックにのみ設けることにより、第１ＳＹＮＣパターンの検出時にＲＦ信号（和信号）を検出することにより、グルーブ上をトラッキングしているか、ランド上をトラッキングしているか識別できるので、ロバストネスが顕著に向上する
次に、図２０〜図２５を参照して、ガイド層１２におけるサーボ用領域２２及びパターン領域２３（図９参照）の具体的なデータ構成について詳細に説明する。【０２２６】
なお、この例では、サーボ用領域２２及びパターン領域２３に記録されている信号は、スロットの単位で配置されている。ここに「スロット（Ｓｌｏｔ）」とは、トラックＴＲがトラック方向に区分されてなる論理的な区画若しくは区分、又は物理的な区画若しくは区分である。スロットは、典型的には、トラック方向に隙間無く連続して配列されており且つ径方向にも隙間なく或いは相隣接して配列されている。この場合、トラッキングサーボ、チルトサーボ等の制御をガイド層１２にて間接的に行うことから、記録層１３におけるデータフォーマットも、スロットと一定の関係をもつようにすると制御が容易となる。【０２２７】
図２０は、ガイド層１２における、サーボ用領域２２及びパターン領域２３におけるプリフォーマットの一具体例を示す。【０２２８】
図２０において、プリフォーマット構成は、記録層１３の二層（即ち、往路用の記録層と復路用の記録層）に兼用できるように構成されている。このため、往路用に３アドレス構成とされ且つ復路用に３アドレス構成とされている。更に、チルト検出用のパターン領域２３が設けられている。【０２２９】
より具体的には、１つのＲＵＢは、ＢＤ−Ｒ（Ｂｌｕｅ ｒａｙ Ｄｉｓｃ−Ｒｅｃｏｒｄａｂｌｅ：一回記録可能なブルーレイディスク）のフォーマットに相当して構成されている。【０２３０】
具体的には、１つのＲＵＢは、物理的には、（２４８×（２×２８））個の物理クラスター（Ｐｈｙｓｉｃａｌ Ｃｌｕｓｔｅｒ）から構成され、論理的には、三つのＡＤＩＰワード（ＡＤＩＰ word ＮＯ．１〜ＮＯ．３）から構成される。【０２３１】
１つのＡＤＩＰワードは、８３個のＡＤＩＰ単位（ＡＤＩＰ ｕｎｉｔｓ）から構成される。１つのＡＤＩＰ単位は、５６ｗｂｌ（ウォブル）から構成され、これは２つの記録フレーム（Ｒｅｃｏｒｄｉｎｇ ｆｒａｍe）に相当する。記録されるデータは、１５個のコードワード（ｃｏｄｅ ｗｏｒｄ）、即ち９ｎｉｂｂｌｅｓ（ニブル）の単位となる。従って、１つのＲＵＢは、１３９４４ウォブルに相当する区間となる。【０２３２】
１ＲＵＢに含まれる、６個の（即ち、Ｎｏ．１〜Ｎｏ．６の）アドレスワード（Address word）は夫々、７４個の（即ち、Ａ１〜Ａ７４の）アドレスマークサブユニット（サーボマークｓｕｂ ｕｎｉｔ）を含む。各サーボマークワードの先頭には、３０ｗｂｌ分のゼロユニット（Ｚｅｒｏ ｕｎｉｔ）が配置されている。【０２３３】
更に各サーボマークサブユニットは、４つのスロットから構成されており、最初の３つのスロット（Ａ  Ｓｌｏｔ）が、サーボマーク用スロット（即ち、「プリフォーマットアドレス用スロット」）に割り当てられる。これに続く１つのスロット（Ｂ  Ｓｌｏｔ）がチルト検出用スロット（即ち、チルト検出パターン用スロット）に割り当てられる。即ち、１つのサーボマークサブユニットは、３個のＡ  Ｓｌｏｔと１個のＢ  Ｓｌｏｔの合計４スロットに相当するので、合計で、｛（１＋８）×３｝＋（１＋３）＝３１ｗｂｌから構成されている。【０２３４】
よって、本例では、１つのＲＵＢの長さは、２｛（３１×７４）×３＋（３０×３）｝＝１３９４４より、１３９４４ｗｂｌに相当している。また、本例では、各スロットの先頭に位置する１つのウォブルの長さＤは、Ｄ＝１ｗｂｌ＞１．２μｍ（光スポットの最大径）とされている。【０２３５】
このように、プリアドレス構成例について言えば、１つのＲＵＢ相当に対して、６アドレス構成であり、各々のアドレスは、70ユニットより構成されている。そして、アドレスデータ（37ビット）より構成され、（１  Ｓｌｏｔ  Ｄａｔａ）×37Ｕｎｉｔｓ＝２ビット×37ユニット＝74ビットとなる。【０２３６】
因みに、ＥＣＣブロックの構成については、例えば、７４ｂｉｔｓ中７２ｂｉｔｓ（＝８ｂｉｔｓ×９）を使用して、５Ｂｙｔｅｓ  ｒａｗ  ｄａｔaとして、４ＢｙｔｅｓをＥＣＣコードとして利用する。【０２３７】
例えば、符号Ｃ０、…、Ｃ９  （Ｐａｒｉｔｙ  Ｃ５・・・Ｃ８)について、以下のように、Ｒｅｅｄ−Ｓｏｌｏｍｏｎコードを生成する。【０２３８】
【数１】
2011128985.tif 000003
＝{Ｉ(Ｘ)・Ｘ}ｍｏｄ{ＧＥ(Ｘ)}【０２３９】
【数２】
2011128985.tif 000004
【０２４０】
【数３】
2011128985.tif 000005
ここで、αは、原始元
Ｇｐ(ｘ)＝Ｘ８＋Ｘ４＋Ｘ３＋Ｘ２＋１
このように１ＲＵＢ単位での構成例によれば、他の記録層１３への記録データフォーマットが、例えばＢＤ−Ｒフォーマット準拠であるとした場合、サーボ用領域２２に設けるウォブルの周期は、記録層１３のデータフォーマットの構成単位と所定の整数比の関係にある。パターン領域２３の区間及び配置する位置も、ウォブルの周期と所定の関係になるように配置されている。このため、サーボ用領域２２の目印領域から検出したウォブル信号から、パターン領域２３の所定の位置を特定できる。よって、後述の記録再生装置が、特定パラメータ検出エラー検出をサンプルするタイミングを容易に作成することができる。【０２４１】
特に、ガイド層１２の読取用の第１ビームＬＢ１が、ＢＤ−Ｒフォーマット用の読取ビームより低密度用であるために発生する新たな問題を解決する手段を講じたとしても、記録用プリフォーマットとして必要なプリアドレス等のデータを、所望の情報量形成しておくことができる。１ユニット内に、４スロットとビーム径による影響を除去するための緩衝領域Ｄ（即ち、鏡面領域２１の一部）を設けたので、このプリフォーマットデータの取得に際し、隣接トラックに配置されたサーボ用領域２２及びパターン領域２３の影響を除去することができ、ピックアップ１０２のビーム径による影響も除去することができ、安定的にプリフォーマット情報を取得することができる。【０２４２】
本実施例では特に、Ａ１〜Ａ７４のアドレスサブユニット（Address sub-unit）が、交互に、往路用（即ち、往路用の記録層用）と復路用（即ち、復路用の記録層用）に割り当てられている。【０２４３】
図２１に、スロット３００Ａ（即ち「Ａ  Ｓｌｏｔ」）の構成例を示す。【０２４４】
図２１において、スロット３００Ａは、９ロケーションから構成される。これらのうち、最初の１ロケーションは、ビームサイズ等から生ずる影響を回避するための緩衝領域に割り当てられる。残りの８ローケーションは、以下の目的のための物理形状（領域２）配置用領域に割り当てられる。即ち、トラッキングサーボ用サンプルエラー信号生成のため及びプリフォーマットアドレスデータの一部を構成するためである。１グループは、ｍ個のスロット（本実施例ではｍ＝３）から構成される．
例えば、ｍの値は、所定の条件から決定される。サーボ用領域２２は、少なくとも１グループ内の何れかの１つのスロットに配置される。スロット３００Ａ（即ち「Ａ  スロット」）についての配置条件（ｍの値決めを含む）については、後に、図２２を参照して、説明する。【０２４５】
図２１において、サーボ用領域２２には、目印情報として、スロット単位でウォブルが形成されている。サンプルサーボマーク３００Ｓも、サーボ用領域２２における図中左側の領域（サーボ用領域を兼ねるサーボ用領域２２）に広く分散される形で、各トラックＴＲ（Ｔｒａｃｋ１〜Ｔｒａｃｋ７）に、トラック方向（図９中、左右方向）に離散的に且つ径方向（図中、上下方向）に２トラック分の間隔を隔てて、スロット単位で形成されている。【０２４６】
サーボ用領域２２内には、このようにサンプルサーボマーク３００Ｓが所定規則で広く分散配置された形で、スロット３００Ａ（即ち「Ａ  Ｓｌｏｔ（図１１参照）」）が配置されており、パターン領域２３内には、スロット３００Ｂ（即ち「Ｂ  Ｓｌｏｔ」）が、概ね半径方向に揃う形で、配置されている。パターン領域２３の前後には、３ウォブル分だけ、重なりエリア４００として確保されている。【０２４７】
本実施例では、トラックＴＲ上におけるチルト検出信号のトラック方向の長さと、記録層１３に夫々記録されることになるデータのフォーマットにおける、例えばＥＣＣブロック、ＲＵＢ（Recording Unit Block）、ＡＤＩＰ単位の如き、構成単位のトラック方向の長さとが、所定の整数比となるように構成するとよい。このようにすると、チルト検出信号の発生頻度と、トラックＴＲに対応する記録面内位置における記録層１３にデータを記録する周期とを、半径位置に寄らずに或いはトラック位置に寄らずに、一定の関係に維持することが容易となる。特にゾーンＣＡＶ方式を採用する場合、径位置によって、角速度が変化するにも拘らず、任意の径位置にて、検出されたチルト検出信号に基づき安定したチルト補正が実行可能となる。また、ゾーンＣＡＶ方式を採用する場合にも、ゾーン毎に問題なく、検出されたチルト検出信号に基づき安定したチルト補正が実行可能となる。【０２４８】
図２１において、パターン領域２３には、スロット３００Ｂにパターン信号として、チルト検出用パターンがスロット単位で形成されている。パターン領域２３内では、チルト検出用パターンとして、７本のトラックに跨る形で一つのパターンが構築されている。図中、右下に矩形内に示されたパターン領域２３として示されるように、本例では、サーボ用領域２２の直ぐ後に、光スポットＬＳ１の外輪円周の上半分（即ち、明環ＬＳ１ａ）をカバーするパターンが形成され、それに続いて若干の距離を隔てて、光スポットＬＳ１の外輪円周の下半分（即ち、明環ＬＳ１ａ）をカバーするパターンが形成されている。これらの二つのパターンから、一つのチルト検出パターンが構築されている。【０２４９】
ここで、図２２を参照して、スロット３００Ａについての配置条件（ｍの値決めを含む）を、説明する。【０２５０】
図２２に示すように、ｍ（但し、ｍは１グループを構成するスロットの個数）の決定条件は、先ず（１）ビームサイズと、記録層１３に記録するためのトラックピッチから、同時に読取る可能性のあるトラック数ｎを決定し、更にｍ＝（ｎ−１）／２として決定する。【０２５１】
このとき、サーボ領域２２の配置条件としては、１トラック前（内側の隣接トラック）、２トラック前（１トラック前の内側の隣接トラック）、…、ｍトラック前に既に配置されたサーボ用領域２２と、半径方向に重ならないように、「Ｓｌｏｔ  １」〜「Ｓｌｏｔ  ｍ+１」のうちの少なくとも一つに配置する。【０２５２】
本実施例では、ｎ＝５，ｍ＝２である。よって、「Ｓｌｏｔ  １」〜「Ｓｌｏｔ  ３」のの何れかに配置する。例えばスロット３００Ａ−１については、そこからの点線矢印で示したように、スロット「Ｓｌｏｔ１」からスロット「Ｓｌｏｔ２」に適応配置すればよい。例えばスロット３００Ａ−２については、そこからの点線矢印で示したように、スロット「Ｓｌｏｔ１」からスロット「Ｓｌｏｔ３」に適応配置すればよい。【０２５３】
図２１及び図２２に示した如き関係で、スロット３００Ａ及びスロット３００Ｂを配置することで、互いに異なる条件で配置したフォーマットに影響されることがなくなる。よって、これら二種類のスロットを、それぞれの目的に応じて、データの作り込み・記録用に適宜に用いることが可能となる。【０２５４】
パターン領域２３は、７トラックを一つのグループＧＲとして、センタートラック２３ＴＲにおいて、所望のチルトエラーが検出可能なように、パターン領域２３の所定の特定パラメータ検出パターンが形成されている（図２１参照）。このため、パターン領域３のセンタートラック２３ＴＲを追従すると、その位置での所定の特定パラメータ検出エラーが検出可能となる。【０２５５】
図２１において、複数トラックを１つのグループＧＲとする際に、そのトラック数は、トラックピッチ及び第１ビームＬＢ１のビーム径及びピックアップに対してディスクが傾いた場合の第１ビームＬＢ１のガイド層面上における拡がり等を考慮して決定された結果として、本実施例では７トラックとなっている。パターン領域２３に作り込まれるチルト検出用パターンは、トラックＴＲに対して左右対称の検出となるので、一般的には、トラック数は奇数となる。【０２５６】
このようにサーボ用領域２２は、パターン領域２３に属する７本のトラックＴＲのうち、特定パラメータ検出パターンによって、特定パラメータ検出エラーが検出可能なセンタートラックＴＲの、直前に配置されるので、読込みビームとしての第１ビームＬＢ１が、特定パラメータ検出エラー検出可能なセンタートラックＴＲに位置していることが認識できる。よって、特定パラメータ検出エラー検出のサンプルタイミングを容易に作成することができる。【０２５７】
他方、第１ビームＬＢ１が、複数のトラックから成る１つのまとまったパターン領域２３のセンタートラックＴＲにいない場合は、プッシュプル（Push-Pull）信号で検出されたウォブル信号がオフセットを持って検出されるので、第１ビームＬＢ１が、センタートラックＴＲにいないことを認識できる。【０２５８】
加えて、本実施例では、トラック方向及び径方向の双方について、離間したスロット内に、サンプルサーボマーク３００Ｓを配置したので（図２１参照）、第１ビームＬＢ１でガイド層１２のトラックＴＲを追従させながら、記録層１３へデータを記録させる際、プッシュプル信号をサンプリングすることによって又は位相差法（ＤＰＤ）により位相差信号をサンプリングすることによって、安定的に、連続したトラッキングエラー信号を生成することができる。例えば、左右の分割ディテクターからの差分であるプッシュプル信号の高域成分をＬＰＦ(Ｌｏｗ  Ｐａｓｓ  Ｆｉｌｔｅｒ)によって除去すれば、ウォブル成分及び不要な高域ノイズ成分を除去することが可能となる。ここで、偏心成分を含むトラッキングエラー信号を内周から外周に亘ってサンプルすることにより、連続して取得することが可能となり、記録層１３へ記録する際のトラッキングエラー信号として利用できる。【０２５９】
図２３に示すように、１スロット内におけるデータのアサイン（割り当て）の一例では、各スロットの９ビットのうち、最初の２ビット又は３ビットが、ＳＹＮＣ信号（即ち、トラッキングエラー信号を検出可能とするシンク信号）に割り当てられる。続く３ビットがスロット番号（Ｓｌｏｔ ＮＯ.）に割り当てられ、続く２ビットがデータ（即ち、制御用データ、アドレスデータなど）に割り当てられる。例えば、この２ビットのデータにより、データ値（Ｄａｔａ）「０」〜「３」が（次のスロット番号が「５」である場合に）、図中下半面に示した如きビット配列として夫々表現される。【０２６０】
因みに、ＥＣＣブロックの構成については、例えば、２０６bits中１９２ｂｉｔｓ（＝８ｂｉｔｓ×２４)を使用して、１２Ｂｙｔｅｓ  ｒａｗ  ｄａｔa＋１２ＢｙｔｅｓをＥＣＣコードとして利用する。【０２６１】
なお、本例では、１ウォブルは、６９×２＝１３８チャネルビットとされている。各スロットの最初の１つのウォブル（言い換えれば、１ビット）が、鏡面領域２１（図９参照）に割り当てられてよい。【０２６２】
図２４を参照して、スロット３００Ｂ（即ち「Ｂ  Ｓｌｏｔ」）の構成例を説明する。【０２６３】
図２４において、一つのスロットＢは、１スロットは、４つのロケーションから構成される。最初の１ロケーションは、ビームサイズ等から生ずる影響を回避するための緩衝領域である。残りの３ロケーションは、チルト検出パターン配置用領域である。１ユニットは、ｋトラックから構成れている。【０２６４】
ここで、「ｋ」の決定条件については、ビームサイズと記録層に記録するためのトラックピッチ及び、チルトした時の戻り光量に影響がでるトラックから、「ｋ」を決定すればよい。本実施例では、ｋ＝７である。パターン領域３の配置条件については、スロット３００Ａ（即ち「Ａ  スロット」）に対して、所定の割合でＢスロットを配置する（例えば、本実施例では、９対４の比率による配置とする）。【０２６５】
図２５を参照して、プリアドレス構成について更に説明を加える。ここに図２５は、スロットＡの構成例（往路／復路兼用構成）を示す。【０２６６】
図２５において、パターン領域２３に配置されたスロット３００Ｂの図中左側が、往路用アドレス配置とされており、この領域におけるサンプルサーボマーク３００Ｓは、例えば記録層１３の第１層目用の往路用アドレスである。これに対し、スロット３００Ｂの図中右側が、復路用アドレスとされており、この領域におけるサンプルサーボマーク３００Ｓは、例えば記録層１３の第２層目用の復路往路用アドレスである。往路用及び復路用に兼用されるスロット或いは記録情報については、兼用であるが故に、交互に配列されている。【０２６７】
往路用且つ復路用のプリアドレス構成としては、１ＲＵＢ相当に対して、６アドレス構成とされており、往路用に３アドレス構成とされ且つ復路用に３アドレス構成とされている。各々のアドレスは、（７４／２）＝３７サブユニットから構成されている。アドレスデータは、 (１Slot Data) ×(３７サブユニット)＝２Ｂｉｔ×３７＝７４ビットとなる。
ECC構成を、前述したように構成すれば、往路用、復路用別々に構成することができる。【０２６８】
以上のように、本実施例のプリアドレス構成例によれば、同心円又は螺旋状であって、かつゾーン内でＣＡＶ方式として、往路用アドレスと復路用アドレスを交互に配置するようにした」ので、１つのフォーマットで、往路用記録のためのプリフォーマットと復路用記録のためのプリフォーマットが１つのガイド層１２で兼用できる。【０２６９】
例えば、内周から外周に向かって記録する場合には、アドレスとして往路用プリフォーマット部のみを取得しつつ、往路、復路用のプリフォーマット部をトラッキング信号検出用に使用する。記録する際には、同心円の場合は、１トラックジャンプしつつ記録する。或いは、螺旋状の場合は、連続して記録する。外周から内周に向かって記録する場合には、アドレスとして復路用プリフォーマット部のみを取得しつつ往路、復路用のプリフォーマット部をトラッキング信号検出用に使用する。記録する際には、同心円の場合は、１トラックジャンプしつつ記録する。他方で、螺旋状の場合は、２トラックジャンプしつつ記録する。【０２７０】
以上図１〜図２５にて詳細に説明したように、本実施例のトラック形成方法（図９参照）によれば、記録層１３の記録済情報トラックが、内周から外周に向かって連続的に、螺旋状に形成されるように、記録済情報トラックに相当する位置に、例えば離散的に配置されたサンプルサーボマーク（図２１等参照）によりガイド層１２のトラックＴＲが形成される場合に、サーボ用領域２２とパターン領域２３とが、所定の位置又は間隔で、離散的に形成される。このため、後述の記録再生装置による特定パラメータ検出エラーの検出が、光ディスク１１の全面のどこにおいても可能となる。この結果、各記録層１３において記録若しくは再生できるトラックピッチや記録線密度（例えば、線記録密度、ピットピッチ或いは情報転送速度（即ち、記録線密度×移動速度））を、多層型の光ディスク１１における本来の目的である「高密度記録」と言える程度にまで高めつつ、記録層１３とは別のガイド層１２におけるチルト検出信号の安定的且つ効率的な取得により、高精度のチルト検出、高精度のチルト補正の施行が可能となる。【０２７１】
特に図２０〜図２５に示した実施例では、トラック方向及び径方向の双方について、離間したスロット内に、サンプルサーボマーク３００Ｓを配置したので、第１ビームＬＢ１でガイド層１２のトラックＴＲを追従させながら、記録層１３へデータを記録させる際、プッシュプル信号をサンプリングすることによって又は位相差法（ＤＰＤ）により位相差信号をサンプリングすることによって、安定的に、連続したトラッキングエラー信号を生成することができる。例えば、左右の分割ディテクターからの差分であるプッシュプル信号の高域成分をＬＰＦ(Ｌｏｗ  Ｐａｓｓ  Ｆｉｌｔｅｒ)によって除去すれば、ウォブル成分及び不要な高域ノイズ成分を除去することが可能となる。ここで、偏心成分を含むトラッキングエラー信号を内周から外周に亘ってサンプルすることにより、連続して取得することが可能となり、記録層１３へ記録する際のトラッキングエラー信号として利用できる。【０２７２】
特に図２０に示した如く、本実施例では、各スロット内のビットに、ＳＹＮＣ、データ等を割り当てており、ウォブル１波に対して、プリピットを形成するか又はしないとし、サーボ用領域２２或いはサンプルサーボマーク３００Ｓとしてプリフォーマットアドレス構成に必要な部分情報を所望のスロット内に適応配置できる。このプリピットは、有／無を判定するためで、本実施例のような光ディスク１１においては、ガイド層１２にデータを記録することがないので、当初の状態でＬＰＰを検出できればよい。このため、後に詳述する記録装置又は再生装置においてプリピット信号の検出が容易となる。【０２７３】
特に図２０及び図２１に示した実施例では、サーボ用領域２２或いはサンプルサーボマーク３００Ｓを含む一のスロットが、１トラック前の隣接トラックのみならず、２トラック前に配置されたサーボ用領域２２或いはサンプルサーボマーク３００Ｓを含む他のスロットと重ならないように適応配置される。よって、ガイド層１２を読み取るための第１ビームＬＢ１（例えば、赤色レーザ）が、ＢＤ−Ｒフォーマット用の第２ビームＬＢ２より低密度用であっても、ウォブル及びプリピットを検出する際に、隣接した複数のトラックＴＲに配置されたサーボ用領域２２による影響を回避することができる。よって、良好なプリフォーマットデータを取得できる。【０２７４】
なお、本実施例では、サーボ用領域２２は、目印情報が配置される領域を言うが、目印領域は、本発明にかかる「ガイド領域」或いは「サーボ用領域」を兼ねている。即ち、ガイド情報或いはサンプルサーボマークなどのトラッキングサーボ用の情報も、サーボ用領域２２内に記録されている。この意味では、サーボ用領域２２を、「サーボ用領域２２」と呼ぶこともできる。サーボ用領域２２１は、このように目印情報及びガイド情報の両方が混在して配置されることで両機能を兼ね備えている領域である。【０２７５】
先ず図２６及び図２７を参照して、ガイド層１２におけるゾーンＣＡＶ方式のトラックＴＲが同心円の場合における、トラックジャンプの発生及び往復記録動作について検討を加える。【０２７６】
図２６において、同心円のトラックＴＲの最内周から往路記録動作が開始され、図中「Ｓｔａｒｔ」地点から第１光ビームによるトラッキングが、「１の矢印」、「２の矢印」…「８の矢印」というように行われるとする。このとき、トラックジャンプＴＪが、外周側のトラックＴＲに対して行われると、その後における第１光ビームによるトラッキングは、若干の外周側において「９の矢印」、「１０の矢印」…というように行われる。このようにして内周から外周へ記録する場合には、トラックジャンプＴＪが何ら問題なく行われる。【０２７７】
図２７において、同心円のトラックＴＲの最外周から復路記録動作が開始され、図中「Ｓｔａｒｔ」地点から第１光ビームによるトラッキングが、「１の矢印」、「２の矢印」…「８の矢印」というように行われるとする。このとき、トラックジャンプＴＪが、内周側のトラックＴＲに対して行われると、その後における第１光ビームによるトラッキングは、若干内周側において「９の矢印」、「１０の矢印」…というように行われる。【０２７８】
このようにトラックＴＲが同心円であることを前提としても、内周から外周へ記録する場合及び外周から内周へ記録する場合、トラックジャンプＴＪが行われることで、往復記録が問題なく行われる。【０２７９】
次に図２８及び図２９を参照して、ガイド層１２におけるゾーンＣＡＶ方式のトラックＴＲが螺旋状の場合における、トラックジャンプの発生及び往復記録動作について検討を加える。【０２８０】
図２８において、螺旋状のトラックＴＲの最内周から往路記録動作が開始され、第１光ビームによるトラッキングが、「１の矢印」、「２の矢印」…「８の矢印」というように行われるとする。このとき、トラックジャンプＴＪが行われなくても、第１光ビームによるトラッキングは、若干の外周側において「９の矢印」、「１０の矢印」…というように外側へ移動可能である。このようにして内周から外周へ記録する場合には、トラックジャンプＴＪを行わなくても何ら問題は生じない。【０２８１】
図２９において、螺旋状のトラックＴＲの最外周から復路記録動作が開始され、図中「Ｓｔａｒｔ」地点から第１光ビームによるトラッキングが、「１の矢印」、「２の矢印」…「８の矢印」というように行われるとする。このとき、トラックジャンプＴＪが、トラック２本分だけ内周側のトラックＴＲに対して行われると、その後における第１光ビームによるトラッキングは、若干内周側において「９の矢印」、「１０の矢印」…というように行われる。【０２８２】
このようにトラックＴＲが螺旋状であることを前提としても、内周から外周へ記録する場合及び外周から内周へ記録する場合、トラックジャンプＴＪが行われることで、往復記録が問題なく行われる。【０２８３】
なお図２０〜図２９に示した、特定領域２４（図９〜図１９参照）を除く３つの領域だけでは、既に図１４等を参照して説明したように、トラッキングサーボの引き込み或いはトラックジャンプが適宜に行えない。これは、目標とするジャンプ先のトラックにて所望のトラッキングエラー信号が得られない場合が多いからである。これに対して、隣接トラックにサーボ用領域２２が配置されていることを識別するための手段として、例えばプリフォーマット情報に予め位置のデータを埋め込んでおくことも可能であろうが、情報の活用効率が落ちる等の大きな欠点が残る。【０２８４】
しかるに、本実施例では、図９から図１９を参照して説明したように特定領域２４を設けることで、トラッキングサーボの引き込み或いはトラックジャンプが適宜に行えるという実践上の大きな長所がある。
＜情報記録再生装置及び方法の実施例＞
次に、図３０から図３５を参照して、本発明に係る情報記録再生装置及び方法の実施例について説明する。【０２８５】
図３０において、記録再生装置１０１は、本発明に係る「情報記録装置」及び「情報再生装置」の一例たるディスクドライブとして構成されており、ホストコンピュータ２０１と接続されている。【０２８６】
記録再生装置１０１は、光ピックアップ１０２、信号記録再生部１０３、スピンドルモータ１０４、バス１０６、ＣＰＵ（ドライブ制御部）１１１、メモリ１１２、及びデータ入出力制御部１１３を備える。記録時には、光ピックアップ１０２が有する対物レンズ１０２Ｌ（図２参照）を介して、第１ビームＬＢ１及び第２ビームＬＢ２が照射され、再生時には、同じく対物レンズ１０２Ｌを介して、トラッキング用の光ビームを兼ねる第２ビームＬＢ２のみ、又は、第１ビームＬＢ１及び第２ビームＬＢ２の両方が照射されるように構成されている。【０２８７】
ホストコンピュータ２０１は、操作／表示制御部２０２、操作ボタン２０２、表示パネル２０４、バス２０６、ＣＰＵ２１１、メモリ２１２、及びデータ入出力制御部２１３を備えて構成される。記録時には、記録すべきデータが、データ入出力制御部２１３から入力され、再生時には、再生されたデータが、データ入出力制御部２１３から出力されるように構成されている。【０２８８】
光ピックアップ１０２は、第１ビームＬＢ１を発する赤色半導体レーザと、第２ビームＬＢ２を発する青色半導体レーザと、対物レンズ１０２Ｌを含む、プリズム、ミラー等から構成される合成分離光学系とを備える。光ピックアップ１０２は、共通の対物レンズ１０２Ｌを介して、第１ビームＬＢ１及び第２ビームＬＢ２を同軸的に且つ異なるフォーカスにて（図１及び図２参照）照射するように構成されている。【０２８９】
更に、光ピックアップ１０２は、第１ビームＬＢ１に起因する光ディスク１１からの反射光を、対物レンズ１０２Ｌを介して受光する、二分割或いは四分割のＣＣＤ等の受光素子と、第２ビームＬＢ２に起因する光ディスク１１からの反射光を、対物レンズ１０２Ｌを介して受光する、二分割或いは四分割のＣＣＤ等の受光素子とを含んで構成される。光ピックアップ１０２は、第２ビームＬＢ２を、記録時に相対的に高強度の記録用強度で変調可能であり、再生時に相対的に低強度の再生用強度に設定可能に構成されている。【０２９０】
光ピックアップ１０２及び信号記録再生部１０３は、少なくとも記録時に、ガイド層１２からの反射光を受光する受光素子からの受光信号により、例えばプッシュプル法又は位相差法（ＤＰＤ）で、トラッキングエラー信号を生成し、更に、プリピット信号或いはアドレス情報を再生可能に構成されている。【０２９１】
光ピックアップ１０２及び信号記録再生部１０３は、再生時に、記録層１３からの反射光を受光する受光素子からの受光信号により、例えばプッシュプル法又は位相差法でトラッキングエラー信号を生成し、例えば全光量に対応する信号としてデータ信号を生成するように構成されている。【０２９２】
或いは、光ピックアップ１０２及び信号記録再生部１０３は、再生時に、ガイド層１２からの反射光を受光する受光素子からの受光信号により、トラッキングエラー信号を生成し、記録層１３からの反射光を受光する受光素子からの受光信号により、データ信号を生成するように構成されている。【０２９３】
メモリ１１２及びメモリ２１２は、(i)記録再生装置１０１におけるＣＰＵ１１１等の各要素、及びホストコンピュータ２０１におけるＣＰＵ２１１等の各要素を、次に説明する記録再生動作が行われるように制御するためのコンピュータプログラム、並びに(ii)記録再生動作に必要な、制御データ、処理中データ、処理済みデータなどの各種データを、バス１０６、バス２０６等を介して一時的又は恒久的に保持するのに適宜用いられる。【０２９４】
本実施例では特に、記録再生装置１０１は、補正機構１０５を更に備える。補正機構１０５は、本発明に係る「処理手段」の一例であり、典型的には、チルト補正機構である。補正機構１０５は、チルト補正機構に加えて又は代えて、光ディスク１１の偏心補正、ディスク面の傾き補正機構、光学系の収差補正機構、光ビームの位相差補正やゆがみの補正機構、光吸収補正機構、ストラテジーの設定機構など各種の補正機構であってよい。補正機構１０５により、ガイド層１２から検出されたパターン信号（典型的にはチルト検出信号）に基づいて、光ピックアップ１０２について特定種類の処理（典型的にはチルト補正）が、施行される。例えば、チルト補正であれば、チルト検出信号が検出される都度に行われ、次にチルト検出信号が検出されるまでの期間は、チルトサーボがロックされる。【０２９５】
ここで図３１及び図３２を参照して、記録再生装置１０１のうち、補正機構１０５で実施される補正に係る部分の詳細について説明を加える。【０２９６】
図３１において、補正機構は、ＬＰＦ（ローパスフィルター）１２１、サンプル＆ホールド＆平滑化回路１２２、演算（減算）＆積分＆ホールド回路１２３、ＬＰＦ１３１、ウォブル検出器（１３２）、発信器１３３、及びサンプルタイミング生成回路１３４を備える。【０２９７】
先ず、ＬＰＦ１２１及びＬＰＦ１３１には、光ピックアップ１０２の受光素子からのプッシュプル信号（Ｐｕｓｈ‐ｐｕｌｌ信号）が夫々入力され、高域ノイズがカットされる。【０２９８】
続いて、一方で、ＬＰＦ１３１で高域ノイズがカットされた出力信号は、ウォブル検出器（１３２）により、ウォブル検出が行われ、検出されたウォブルに対応する周波数で発信器１３３における発信が行われる。【０２９９】
図３２に示した如く、ここでは、ディスクトラック形状におけるウォブルに対応する矩形波が、発信器１３３から出力される。【０３００】
図３１において、この発信出力に応じて、サンプルタイミング生成回路１３４により、サンプルタイミング信号が生成される。図３２に示した如く、サンプリングタイミング信号は、発信器１３３の出力パルスの中央に位置するサンプリングスイッチを閉じさせるための矩形パルスである。【０３０１】
他方で、ＬＰＦ１２１で高域ノイズがカットされた出力信号は、サンプル＆ホールド＆平滑化回路１２２によって、サンプリングされ、ホールドされ、更に平滑化される。この際、サンプリングのタイミングは、サンプルタイミング生成回路１３４により生成されたサンプルタイミング信号に従う。図３２に示した如く、サンプルタイミング信号に従えば、パターン領域２３から、パターン信号（例えば、チルト検出信号）をタイミングよく検出できる。【０３０２】
サンプル＆ホールド＆平滑化回路１２２からのサンプル１及びサンプル２である、出力信号は、演算（減算）＆積分＆ホールド回路１２３により、減算され、積分され、更にホールドされる。この結果、例えば７本のトラックに跨って一つのパターンをなすパターン信号として又はこのように得られたパターン信号に基づいて、特定パラメータ検出エラー信号が生成される。【０３０３】
特定パラメータ検出エラー信号が補正機構１０５に入力されると、その信号の値若しくは正負又は変調度合いなどの特性に応じて、補正機構１０５における駆動動作が行われる。例えば、チルト補正であれば、チルト補正用のアクチュエータにより、チルトエラーを小さくするように駆動が行われる。【０３０４】
以下、図３０に加えて、図３３から図３５を参照して、本実施例の記録再生装置１０１の各構成要素における構成及び動作を、記録再生装置１０１の全体動作と共に説明する。ここに図３３は、情報記録再生装置１０１における、記録再生動作を示し、図３４は、記録動作の一例の詳細を示し、図３５は、再生動作の一例の詳細を示す。【０３０５】
図３３において、先ず、記録再生装置１０１に対し、ユーザによる手動又は機械動作により、上述した本実施例に係るフォーマットの光ディスク１１が装着される（ステップＳ１１）。【０３０６】
すると、ユーザによる表示パネル２０４を見ての操作ボタン２０３上での操作などに応じた動作開始コマンドが、ドライブ側の操作／表示制御部２０２及びＣＰＵ１１１、並びにホスト側のＣＰＵ２１１等により発生される。この動作開始コマンドを受けて、信号記録再生部１０３による制御下で、スピンドルモータ１０４による光ディスク１１の回転が開始される。これと相前後して、信号記録再生部１０３による制御下で、光ピックアップ１０２による光照射が開始される。更に、ガイド層１２に対する読取用サーボ系が動作される。即ち、第１ビームＬＢ１が照射され、ガイド層１２に集光されて、トラッキング動作が開始される（ステップＳ１２）。【０３０７】
なお、この動作開始コマンドを含めた各種コマンド、ユーザデータや制御データを含む各種データの受け渡しは、ホスト側のバス２０６及びデータ入出力制御部２１３、並びにドライブ側のバス１０６及びデータ入出力制御部１１３を介して行われる。【０３０８】
続いて、ガイド層１２上で、第１ビームＬＢ１によるトラックＴＲへの照射が続けられ、ウォブル信号及びプリピット信号（更に、これらの少なくとも一方からプッシュプル法又はＤＰＤ法で得られるトラッキングエラー信号）が、サーボ用領域２２から検出される。更に、これらの信号の少なくとも一方として予め記録されたディスク管理情報が、ドライブ側のＣＰＵ１１１又はホスト側のＣＰＵ２１１等により取得される。【０３０９】
なお、ディスク管理情報は、ガイド層１２における、最内周側に位置するリードイン領域、ＴＯＣ（Ｔａｂｌｅ Ｏｆ Ｃｏｎｔｅｎｔ）領域などにまとめて、記録され読み出されてもよい。その内容は、既存のＤＶＤ、ＢＲディスク等におけるディスク管理情報に準拠したものでよい。管理情報については別途、記録層に特別に設けられたリードイン領域、ＴＯＣ領域などに予め若しくは別途先行して記録されており、これが本時点で又は任意の時点で読み出されてもよい。【０３１０】
次に、ドライブ側のＣＰＵ１１１又はホスト側のＣＰＵ２１１等により、要求されている動作が、データ記録であるか否かが判定される（ステップＳ１４）。ここで、データ記録である場合（ステップＳ１４：Ｙｅｓ）、新規なる光ディスク１１に対する記録処理が実行される（ステップＳ１５）。この記録処理については、後に詳述する（図３４参照）
他方、ステップＳ１４の判定にてデータ記録でない場合（ステップＳ１４：Ｎｏ）、又はステップＳ１５にて新規なる光ディスク１１に対する記録処理が完了された場合、ドライブ側のＣＰＵ１１１又はホスト側のＣＰＵ２１１等により、要求されている動作が、データ再生であるか否かが判定される（ステップＳ１６）。ここで、データ再生である場合（ステップＳ１６：Ｙｅｓ）、新規なる光ディスク１１に対する再生処理が実行される（ステップＳ１７）。この再生処理については、後に詳述する（図３５参照）。【０３１１】
ステップＳ１６の判定にてデータ再生でない場合（ステップＳ１６：Ｎｏ）、又はステップＳ１７にて新規なる光ディスク１１に対する再生処理が完了された場合、イジェクト（Ｅｊｅｃｔ）、即ちトレイの排出などが、操作ボタン２０３等を介して要求されているか否かが判定される（ステップＳ１８）。ここで、イジェクトが要求されていなければ（ステップＳ１８：Ｎｏ）、ステップＳ１４に戻って、再び、それ以降のステップが実行される。【０３１２】
他方、ステップＳ１８の判定にてイジェクトが要求されている場合に（ステップＳ１８：Ｎｏ）、イジェクト動作が実行され（ステップＳ１９）、光ディスク１１に対する一連の記録再生処理が完了する。【０３１３】
次に図３４を参照して、新規の光ディスク１１に対する記録処理（図３５のステップＳ１５）の一例について、説明する。【０３１４】
図３４において、記録処理が開始されると、先ず、ＣＰＵ１１１及び信号記録再生部１０３による制御下で、ガイド層１２上において、第１ビームＬＢ１によるトラックＴＲへの照射が続けられたまま（即ち、トラッキング動作が実行されたまま）、ウォブル信号及びプリピット信号が、サーボ用領域２２から検出される。これにより、ＣＰＵ１１１等により、トラックＴＲ上におけるアドレス情報が取得される。このアドレス情報を参照することで、ＣＰＵ２１１等により、データの記録を開始すべきアドレスとして指定された、所望の記録アドレスがサーチされる。即ち、第１ビームＬＢ１がそのアドレス位置へと移動される。このサーチ動作により、光ピックアップ１０２内にて対物レンズ１０２Ｌ等の光学系を第１ビームＬＢ１と共通する第２ビームＬＢ２も（図１及び図２参照）、記録層１３上でそのサーチされた記録アドレスに対応する記録面内における平面位置へと移動される（ステップＳ２１ａ）。【０３１５】
続いて、ゾーンＣＡＶ方式の光ディスク１１におけるゾーンの判定が行われ、判定されたゾーンに応じて、スピンドルサーボ制御が行われて、ゾーンに適した回転速度とされる（ステップＳ２１ｂ）。【０３１６】
続いて、ＣＰＵ１１１及び信号記録再生部１０３による制御下で、光ピックアップ１０２によって、データを記録すべき所望の記録層１３へと、第２ビームＬＢ２のフォーカスサーボがかけられる（ステップＳ２２）。【０３１７】
続いて、光ピックアップ１０２によって、第２ビームＬＢ２のフォーカスサーボが閉じられた状態で、第１ビームＬＢ１によるトラックＴＲに対するトラッキングサーボが継続される。即ち、ガイド層１２に対するトラッキングサーボにより、所望の記録層１３に対するトラッキングサーボが間接的に行われる（ステップＳ２３ａ）。【０３１８】
続いて、特定パラメータ検出結果に基づいて補正機構１０５にて、補正が行われる（図３１及び図３２参照）。この補正は、チルト検出信号などのパターン信号の検出に応じて断続的に又は定期的若しくは不定期的に行われる。例えば、チルト補正であれば、チルトエラー信号に応じてチルト補正が行われ、補正後にチルトサーボがロックされ次の補正の機会が待たれる（ステップＳ２３ｂ）。【０３１９】
このステップＳ２３ｂにおける補正は、少なくとも部分的に、次のステップＳ２３ｃにおける、データを記録する工程中に実行されてもよい。【０３２０】
続いて、第２ビームＬＢ２を、記録すべきデータ値に応じて変調しながら照射することで、所望の記録層１３へのデータの記録が開始される（ステップＳ２３ｃ）。【０３２１】
続いて、ＣＰＵ１１１等により、トラック切替位置であるか否かが判定される（ステップＳ２０１）。ここで、トラック切替位置である場合（ステップＳ２０１：Ｙｅｓ）、トラックジャンプが行われる（ステップＳ２０２）。【０３２２】
続いて、ＣＰＵ１１１等により、光ピックアップ１０２がゾーン切替位置であるか否かが判定される（ステップＳ２０３）。ここでゾーン切替位置である場合（ステップＳ２０３：Ｙｅｓ）、新たなゾーンに対応した回転速度となるように、スピンドルサーボ制御が行われて、ゾーンに適した回転速度とされる（ステップＳ２０４）。【０３２３】
ステップＳ２０４の後、若しくはステップＳ２０３の判定にてゾーン切替位置でない場合（ステップＳ２０３：Ｎｏ）、又はステップＳ２０１の判定でトラック切替位置でない場合（ステップＳ２０１：Ｎｏ）、記録層１３へのデータの記録が継続される（ステップＳ２０５）。【０３２４】
続いて、ＣＰＵ１１１等により、所定量の記録が終了したか否かがモニタリングされる（ステップＳ２４）。ここで、記録が終了しない限り、記録層１３へのデータの記録が継続される（ステップＳ２４:Ｎｏ）。【０３２５】
ここで、記録が終了すると（ステップＳ２４：Ｙｅｓ）、記録したデータに応じて、管理情報が更新される（ステップＳ２５）。管理情報は、複数の記録層１３の少なくとも一つに設けられたリードイン領域、ＴＯＣ領域などにまとめて記録されてよい。その位置は内周側であってもよいが外周側や途中であってもよいし、多少分散された形で記録されてもよい。これに加えて又は代えて、メモリ１１２、メモリ２１２等内に設けられており、光ディスク１１に紐付けられた管理情報が更新されてもよい。【０３２６】
以上により、新規の光ディスク１１に対する一連の記録処理（図３３のステップＳ１５）が完了する。【０３２７】
次に図３５を参照して、新規の光ディスク１１に対する再生処理（図３３のステップＳ１７）の一例について、説明する。この例は、記録処理時のみならず、再生処理時に第１ビームＬＢがトラッキング等のために用いられる例である。【０３２８】
図３５において、ＣＰＵ１１１及び信号記録再生部１０３による制御下で、光ピックアップ１０２によって、ガイド層１２へと、第１ビームＬＢ１のフォーカスサーボがかけられ、これと相前後して或いは並行して、第１ビームＬＢ１によるトラックＴＲへのトラッキングサーボがかけられる。更に、ＣＰＵ１１１等により、トラックＴＲ上におけるウォブルやプリピットから、アドレス情報が取得される。このアドレス情報を参照することで、ＣＰＵ２１１等により、データの再生を開始すべきアドレスとして指定された、所望の再生アドレスがサーチされる。即ち、第１ビームＬＢ１がそのアドレス位置へと移動される。このサーチ動作により、光ピックアップ１０２内にて対物レンズ１０２Ｌ等の光学系を第1ビームＬＢ１と共通する第２ビームＬＢ２も（図１及び図２参照）、記録層１３上でそのサーチされた記録アドレスに対応する記録面内における平面位置へと移動される（ステップＳ４１）。【０３２９】
続いて、トラッキングサーボがかけられたまま、ＣＰＵ１１１及び信号記録再生部１０３による制御下で、光ピックアップ１０２によって、データを再生すべき所望の記録層１３へと、第２ビームＬＢ２のフォーカスサーボがかけられる（ステップＳ４３）。【０３３０】
続いて、光ピックアップ１０２によって、第1ビームＬＢ１にてトラッキングサーボが閉じられており且つ第２ビームＬＢ２にてフォーカスサーボが閉じられた状態で、第２ビームＬＢ２に起因する反射光を、対物レンズ１０２Ｌを介して受光することで、所望の記録層１３からのデータの再生が開始される（ステップＳ４３）。【０３３１】
続いて、ＣＰＵ１１１等により、所定量の再生が終了したか否かがモニタリングされる（ステップＳ４４）。ここで、再生が終了しない限り、記録層１３からのデータの再生が継続される（ステップＳ４３:Ｎｏ）。【０３３２】
ここで、再生が終了すると（ステップＳ４４：Ｙｅｓ）、新規の光ディスク１１に対する一連の再生処理（図３３のステップＳ１７）が完了する。【０３３３】
なお、図３５に示した再生処理の変形例としては、再生処理時に第１ビームＬＢがトラッキング等のために、用いられない例がある。即ち、この変形例の場合、記録処理時と異なり、第２ビームＬＢ２がトラッキング用にも用いられる。但し、この変形例によれば、再生時に、次に説明する如き特定領域２４（図９等参照）を利用してのトラッキングサーボの引き込みやトラックジャンプを実行できなくなる。このため、この変形例の場合、記録層１３に記録された記録済情報トラックを利用して、別途、トラッキングサーボの引き込みやトラックジャンプを実行することになる。【０３３４】
次に、トラッキングサーボの引き込み処理について、図３６のフローチャートを参照して説明する。この処理は、上述の如き、情報記録中や情報再生中に適宜実行されるものである。【０３３５】
図３６において、先ず、本処理の初期状態としては、トラッキングサーボがオープンの状態である。【０３３６】
先ず、記録中又は再生中に、第１ＳＹＮＣパターン領域２４−１（図１０等参照）からの第１ＳＹＮＣ信号「ＳＹＮＣ１」が検出される否かがモニタリングされ（ステップＳ１４１：ＮＯ）、検出されると（ステップＳ１４１：ＹＥＳ）、サーボ引き込み動作が開始される（ステップＳ１４２）。ここでは、本体部領域２４−２（図１０等参照）におけるパターンが検出され、十分な振幅を持つゼロクロス信号が得られる。【０３３７】
続いて、トラッキングサーボへの引き込みが完了されたか否かがモニタリングされる（ステップＳ１４３）。【０３３８】
ここで、引き込みが完了していない間は（ステップＳ１４３：ＮＯ）、第２ＳＹＮＣパターン領域２４−３（図１０等参照）からの第２ＳＹＮＣ信号「ＳＹＮＣ２」が検出される否かがモニタリングされ（ステップＳ１４４）、ここで、第２ＳＹＮＣ信号が検出されると（ステップＳ１４４：ＹＥＳ）、今回の周回における特定領域２４が終わってしまうことになるので（図１１〜図１３参照）、サーボ引き込み動作が一旦中止され、再び、ステップＳ１４１へ戻る。即ち、次の周回における特定領域２４の利用が試みられる。或いは、サーボ用領域２２での可能な引込み動作に切り替えることもできる。【０３３９】
即ち、第２ＳＹＮＣ信号「ＳＹＮＣ２」が検出されるまでにサーボ引込み動作が完了すれば問題はないが、仮に、完了できなかった場合でも、第２ＳＹＮＣ信号「ＳＹＮＣ２」が検出されることで特定領域２４が終了することが認識できるので、今回の特定領域２４を利用してのサーボ引込み動作は強制終了して、周回遅れで再実行することも含めて、他の選択肢を遅延無く実行できる。【０３４０】
他方、ここで、第２ＳＹＮＣ信号が検出されない間は（ステップＳ１４４：ＮＯ）、ステップＳ１４２に戻って、サーボ引き込み動作が継続される。【０３４１】
ステップＳ１４３の判定で、引き込みが完了されたことが確認されれば（ステップＳ１４３：ＹＥＳ）、引き込みは無事完了したものとして、トラッキングサーボの引き込みに関する一連の処理が終了する。これにより、目標のトラックに対するトラッキングサーボが閉じられ、その後における、記録時や再生時におけるトラッキング動作等が続けられる。【０３４２】
次に、トラックジャンプ処理について、図３７のフローチャートを参照して説明する。この処理は、上述の如き、情報記録中や情報再生中に適宜実行されるものである。【０３４３】
図３７において、先ず、本処理の初期状態としては、トラッキングサーボがサーボクローズの状態である。【０３４４】
図３７において、先ず、記録中又は再生中に、第１ＳＹＮＣパターン領域２４−１（図１０等参照）からの第１ＳＹＮＣ信号「ＳＹＮＣ１」が検出される否かがモニタリングされ（ステップＳ５１：ＮＯ）、検出されると（ステップＳ５１：ＹＥＳ）、トラッキングサーボがホールドされる（ステップＳ５２）。【０３４５】
続いて、第１ＳＹＮＣパターン領域２４−２から本体部領域２４−２（図１０等参照）におけるパターンに対応するＲＦ信号（和信号）の判定によって（ステップＳ５３）、「まもなくグルーブ」と判断されるか（ステップＳ５４）又は「まもなくランド」と判断される（ステップＳ６４）。【０３４６】
ここで「まもなくグルーブ」と判断された場合（ステップＳ５４）、グルーブトラッキングがオンされ（ステップＳ５５）、ハーフトラックジャンプが開始される（ステップＳ５６）。【０３４７】
続いて、本体部領域２４−２（図１０等参照）におけるパターンが検出され、トラッキングエラー信号（図１５参照）がゼロクロスする否かがモニタリングされる（ステップＳ５７：ＮＯ）。【０３４８】
ゼロクロスが確認されると（ステップＳ５７：ＹＥＳ）、ハーフトラックジャンプが終了されると共にランドトラッキングがオンされる（ステップＳ５８）。【０３４９】
或いは「まもなくランド」と判断された場合（ステップＳ６４）、ランドトラッキングがオンされ（ステップＳ６５）、ハーフトラックジャンプが開始される（ステップＳ６６）。【０３５０】
続いて、本体部領域２４−２（図１０等参照）におけるパターンが検出され、トラッキングエラー信号（図１５参照）がゼロクロスする否かがモニタリングされる（ステップＳ６７：ＮＯ）。【０３５１】
ゼロクロスが確認されると（ステップＳ６７：ＹＥＳ）、ハーフトラックジャンプが終了されると共にグルーブトラッキングがオンされる（ステップＳ６８）。【０３５２】
以上により、トラックジャンプに関する一連の処理が終了する。その後、目標のトラックに対するトラッキングサーボが閉じられ、その後における、記録時や再生時におけるトラッキング動作等が続けられる。【０３５３】
以上図３０〜図３７を参照して、詳細に説明したように、情報記録時や再生時に、トラッキングサーボの引き込み及びトラックジャンプを適宜実行できる。【０３５４】
特に、本実施例では、記録層１３に記録されるデータのＥＣＣの並びを、半径方向に揃う部分の直前に特定領域２４を設けることにより、内周から外周、或いは、外周から内周に記録する際のいずれの場合も、この特定領域２４を認識して、トラックジャンプ行うタイミングを得ることが可能となる。【０３５５】
また、特定領域２４の本体部については、グルーブとランドとの交互構成のパターンを採用しているので、どこでも容易に隣接トラックにジャンプすることができる。【０３５６】
更に、第１ＳＹＮＣパターン領域２４−１に、トラッキングサーボがオープン状態でも検出できる独自のパターンを配置したので、トラッキングサーボがオープン状態にあって、引込みをする際に、特定領域２４が開始されることが検出できる。しかも、その後の、本体部領域２４−２に配置されたグルーブとランドとの交互構成のパターンにおいて、より好ましくはグルーブ間に距離を設けることにより、トラックを横切る信号を確実に得ることができ、サーボの引込みを容易にできる。【０３５７】
加えて、第２ＳＹＮＣパターン領域２４−３に、トラッキングサーボがオープン状態でも検出できる独自のパターンを配置したので、トラッキングサーボが引込めていない状態でも、特定領域２４の終了位置を認識することができ、その後における、エリアに応じたサーボ引込み方法に変更することも可能となる。【０３５８】
しかも、複数トラックを１つのグループＧＲとして、パターン領域を配置したので、そのまとまったトラック内で、自由な配置が可能となり、記録再生装置１０１にて検出可能な、チルトエラー検出点等の特定パラメータ検出点の配置の自由度が確保できる。一つのパターン領域２３と隣接する他のパターン領域２３とは、独立しているので、相互に無関係にチルト検出パターン等の特定パラメータ検出パターンの配置が可能で、光ディスク１１の全面に亘って、全体としても、自由度のある配置が可能となる。【０３５９】
ガイド層１２として、高密度化された複数のトラックＴＲを同時に読込む記録再生装置１０１にとって、同時に読込む複数のトラックＴＲを１つのグループＧＲとしてパターン領域３が配置されているので、この形式での配置は、読込みが簡単で、極めて好都合な配置を実現できる。【０３６０】
更に、ガイド層１２においてグルーブをウォブルすることにより、サーボ用領域２２としたので、記録再生装置１０１によって、サーボ用領域２２にて検出したウォブル信号により、パターン領域２３の正確な位置が把握でき（図３１及び図３２参照）、検出したエラー信号サンプルタイミングを容易に生成することができる。この際特に、サーボ用領域２２のウォブルの周期と、パターン領域２３の区間とを、所定の整数比の関係にしたので（図８参照）、サンプルタイミングを容易に生成することができる。【０３６１】
次に図３８から図４１を参照して、トラッキングサーボが所定の周波数帯域で動作可能であるところの、トラック方向に沿って離散的に配置されるサーボ用領域２２の配置間隔或いは最長の配置間隔（即ち、本発明に係る「所定距離」の一例）を決定する方法を、トラッキングサーボ系と共に説明する。【０３６２】
図３８に示すように、トラッキングサーボ系は、減算器を含むエラー検出器（Error Detector）３０１と、サンプリングスイッチ、キャパシタ及びバッファを含むサンプラー（Sampler）３０２と、増幅器及びイコアライザー（Amplifier & Equalizer）３０３と、アクチュエータ（Actuator）３０４とを含む。【０３６３】
エラー検出器３０１には、トラッキングサーボ用の外乱が入力され、アクチュエータ３０４からのフィードバック信号が減算（マイナス加算）され、減算信号として出力される。エラー検出器３０１からの減算信号は、サンプラー３０２に入力される。【０３６４】
サンプラー３０２は、サンプル値をホールドする、いわゆる「零次ホールド回路」として構成されている。具体的には、サンプリングタイミングにて閉じるサンプリングスイッチと、これをホールドするキャパシタと、バッファとを備える。サンプラー３０２により、減算信号は、サンプリングスイッチにより、トラッキングサーボを動作させる周波数帯域に応じたサンプリングタイミングでサンプリングされ、更にキャパシタによりホールドされ、バッファによりバッファリングされる。サンプリングタイミングは、例えば、第１ビームＬＢ１を受光する受光素子にて検出されたウォブル信号及びプリピット信号などの、マーク信号により生成される。但し、サンプリングタイミングの生成方法は、これに限られず、後述する変形例等の媒体構成に応じて生成されてよい。また、サンプラー３０２の構成についても、これに限られることはなく、「１次ホールド回路」等でもよいことは言うまでもない。【０３６５】
このようにサンプリングされたサンプラー３０２からのバッファ出力は、増幅器及びイコアライザー３０３により増幅及びイコアライズされ、更に、アクチュエータ３０４に入力される。【０３６６】
この入力された増幅信号に応じて、アクチュエータ３０４により、光ピックアップ１０２内に設けられた、ガイド層１２上における第１ビームＬＢ１の照射位置（従って、記録層１３上における第２ビームＬＢ２の照射位置）が、径方向に移動される。アクチュエータ３０４からは、その変動に応じたフィードバック信号がエラー検出器３０１へとフィードバックされる。【０３６７】
ここで特に、図３９から図４１を参照して、サンプラー３０２におけるサンプリングタイミングについて検討を加える。【０３６８】
図３９は、エラー検出器３０１に入力される最大の外乱要素である偏心成分が変化した場合について、サンプラー３０２の動作出力を、模式的に示している。図３９から、時間に対して、トラッキングエラーが概ね一定周期でプラス側からマイナス側へと波打っている様子が分かる。【０３６９】
図４０は、サンプラー３０２により「零次ホールド」を行った場合における、伝達関数のボーデ線図（Ｂｏｄｅ Ｐｌｏｔ ｏｆ ｚｅｒｏ−ｏｒｄｅｒ ｈｏｌｄ）を示している。言い換えれば、ここでは、零時ホールドの周波数特性が示されており、特に、ゲイン特性（上側にある特性曲線）と位相（下側にある特性曲線）とが、ボーデ線図内に重ねて示されている。この例では、１ｍｓでサンプルした場合について示しているが、実際はもっと短い時間間隔で行われる。【０３７０】
図４０から、位相特性について、１ＫＨｚサンプリングした場合、１００Ｈｚでの信号は、位相における特性曲線部分１００１で示したように、位相が数度程度回ることが分かる。逆に、位相まわりを無視できる帯域として、仮に１００Ｈｚとすると、１０倍程度（１ＫＨｚ）以上のサンプル間隔が必要となる（即ち、１ＫＨzよりも高周波数でサンプリングすることが必要となる）とも言える。【０３７１】
図４１は、トラッキングサーボについて、ディスクの外乱特性と、トラッキングサーボのオープンループ特性との例を示している。この例では、「ディスク（即ち、光ディスク１１）の外乱特性」が、周波数２３．１Ｈｚまでは、片側３５μｍの偏心成分があり、加速度領域では１．１ｍ／Ｓ２ である。即ち、ディスクの外乱は、周波数２３．１Ｈｚまでは、特性図中で３５μｍに相当する６４ｄｂにて概ねフラットであり、それより高周波数側では、０．０２２μｍに相当する０ｄＢへと、１．１ｍ／Ｓ２の傾きにて下がっている。トラッキングサーボのオープンループ特性は、このようなディスクの外乱を抑圧可能な特性例として示されている。即ち、特性図中、いずれの周波数でも、オープンループ特性の方が高ゲイン側となるように設定されており、これにより、どの周波数帯域でも外乱を抑圧可能となる。なお、この例では、ｆ０（カットオフ帯域）＝２．４ＫＨｚとして示している。【０３７２】
図３９から図４１を参照して説明した本例の場合、「所定距離」は次のように決定される。【０３７３】
即ち、トラッキングサーボ帯域を、例えば、２．４ＫＨｚとすると、先に述べたホールド回路として実現されるサンプラー３０２による影響を無視できるためには、約１０倍である２４ｋＨｚに相当する 、時間間隔Ｔ＝１／（２４×１０３)＝４６．７ [μｓｅｃ]として求まる。この時間間隔Ｔと、光ディスク１１のスピンドルモータ１０４による回転線速度との関係から、トラック方向に離散的に相前後して並ぶ二つのサーボ用領域２２の配置間隔或いは配置ピッチ（図９参照）として、必要な最長の距離、即ち本発明に係る「所定距離」の一例が決定される。【０３７４】
例えば、線速 ｖ を４．９１７ｍ/ｓｅｃ  とすると、所定距離Ｌは、Ｌ＝ｖ×Ｔ  ≒２３０[μｍ]として求められる。即ち、トラックＴＲに沿って５スロットに一つの割合でサーボ用領域２２が入れられる場合、５スロットの長さが、この２３０[μｍ]よりも短くなるように、スロット構成が決定されたり、或いは、何スロットに一つずつサーボ用領域２２を入れるかが決定される。【０３７５】
なお、サーボ用領域２２の配置間隔（即ち、配置ピッチ）の決定方法は、本例に限られることはなく、図４０及び図４１に示した如き必要とされるサーボ帯域や、光ディスク１１のゾーンＣＡＶ方式における線速度等を考慮して決定すればよい。
＜各種変形例＞
以下、実施例の各種変形例について図４２から図４７を参照して説明する。【０３７６】
図４２は、上述した本実施例における光ディスク１１の、特定領域２４の変形例を示す。ここに図４２は、本変形例の特定領域２４の図１０と同趣旨の模式的な斜視図である。【０３７７】
図４２において、本変形例は、第１ＳＹＮＣパターン領域２４−１と第２ＳＹＮＣパターン領域２４−３との間は、ランド領域となる構成を採用している。更に、第１ＳＹＮＣパターン領域２４−１と第２ＳＹＮＣパターン領域２４−３とが存在しないトラックにグルーブ領域（図中、部分２００１など）を設ける構成を採用している。【０３７８】
本変形例によれば、先ず、トラッキングサーボがクローズ状態の場合に、第１ＳＹＮＣパターンが検出されると、その後の領域はランド領域の筈である。そこで、ランド上に、トラッキングサーボをかけるために、トラッキングサーボの極性を上述の実施例（図１０参照）の場合と比べて、反転しておけばよい。この際、プッシュプル信号で第１ＳＹＮＣパターンが検出され、ＲＦ信号にて、鏡面が検出された場合は、その後の領域はグルーブ領域の筈である。このため、グルーブ上にトラッキングサーボをかけるため、同様にトラッキングサーボの極性を、上述の実施例（図１０参照）の場合と比べて、反転しておけばよい。【０３７９】
次に、トラッキングサーボがオープン状態の場合に、上述の実施例（図１０参照）の場合と同様に、トラック横切り信号が検出できる。【０３８０】
このように本変形例によっても、基本的に、上述の実施例（図１０参照）の場合と同様の効果が得られる。【０３８１】
図４３は、上述した本実施例における光ディスク１１の、特定領域２４の変形例を示す。ここに図４３は、本変形例の特定領域２４の図１０と同趣旨の模式的な斜視図である。図４４は、本変形例において実行されるトラックジャンプの様子を太字矢印にて示す模式図である。図４５は、これに対応する三つの断面（Ａ断面、Ｂ断面及びＣ断面）におけるトラッキングエラー信号を示す、模式的な特性図である。【０３８２】
図４３において、本変形例はビームサイズ、即ち光スポットＬＳ１の径はそのままとして、例えば、記録層１３に記録するデータが高密度化されて、トラックピッチが狭くなった例である。【０３８３】
図４３において、｛第１ＳＹＮＣパターン領域２４−１、本体部領域２４−２、第２ＳＹＮＣパターン領域２４−３｝が、３トラックおきに配置されており、その間はLand 構成とされている。【０３８４】
更に、｛第１ＳＹＮＣパターン領域２４−１、本体部領域２４−２、第２ＳＹＮＣパターン領域２４−３｝は、矢印２００２で示したように、隣接３トラックにおいて、相互に重ならないように順次配置されている。【０３８５】
本変形例によれば、図４４及び図４５に示したように、先ず、トラッキングサーボがクローズ状態の場合には、所望のトラックへ、トラックジャンプする場合、現在トラック「Track4」上の場合で、トラック「Track5」にジャンプする場合は、中央の太字矢印で示すように「グルーブ領域（２）」で、キック付加及びトレース動作が実効される。或いは、トラック「Track6」にジャンプする場合は、右側の太字矢印で示すように「グルーブ領域（３）」で、キック付加及びトレース動作が実行される。或いは、トラック「Track7」にジャンプする場合は、左側の太字矢印で示すように「グルーブ領域（１）」で、キック付加及びジャンプ動作が実行される。いずれの場合にも、図４５から明らかなように、適切な振幅を有するトラッキングエラー信号が、Ａ断面、Ｂ断面及びＣ断面にて得られており、特定領域２４を利用することで、容易に実行可能である。【０３８６】
次に、トラッキングサーボがオープン状態の場合には、トラック横切り信号が検出できて、引込み動作は容易となるため、目的を達成することができる。実際にクローズできるトラックは、実施例より、やや制限がかかるが実践上問題ない。【０３８７】
このように本変形例によっても、基本的に、上述の実施例（図１０参照）の場合と同様の効果が得られる。特に、トラックジャンプについて、所望のトラックに容易にジャンプ可能なエリアが確保できる。【０３８８】
図４６は、上述した本実施例における光ディスク１１の、特定領域２４の変形例を示す。ここに図４２は、本変形例の特定領域２４の図１０と同趣旨の模式的な斜視図である。【０３８９】
図４２において、本変形例は、第１ＳＹＮＣパターン領域２４−１及び第２ＳＹＮＣパターン領域２４−３を、全てのトラックに同相に設ける例である。【０３９０】
本変形例によれば、概ね、上述の実施例（図１０参照）の場合と同様の効果が得られることに加えて、第１ＳＹＮＣパターン及び第２ＳＹＮＣパターンを検出する際のＳ／Ｎ（Signal to Noise）比が向上するという長所が得られる。但し、この場合には、矢印２００３で示したように、追従しているトラックが、第１ＳＹＮＣパターン領域２４−１の後に、グルーブであるかランドであるかの識別はできなくなる。【０３９１】
次に図４７は、上述した本実施例における光ディスク１１の基本的な層構成（図１及び図２参照）の変形例を示す。ここに図４７は、本変形例の光ディスクの図１と同趣旨の模式的な斜視図である。【０３９２】
図４７において、光ディスク１１の変形例では、二層のガイド層１２ａ及び１２ｂが設けられる。例えば、ガイド層１２ａのトラックＴＲ―ａに、内周から外周へ向うアドレス位置を示す第１アドレス情報を担持させる。ガイド層１２ｂのトラックＴＲ−bに、外周から内周へ向うアドレス位置を示す第２アドレス情報を担持させる。この場合更に、記録層１３についても、第１アドレス情報に従って記録される第１記録層と第２アドレス情報に従って記録される第２記録層とに使い分けをし、第１記録層に対するガイドは、ガイド層１２ａを用いて行い、第２記録層に対するガイドは、ガイド層１２ｂを用いて行う。このように構成すれば、一又は複数の第１記録層にて、内周から外周へ向って情報を記録し、一又は複数の第２記録層にて、外周から内周へ向って情報を記録する動作が、効率良くなる或いは容易となる。しかも、記録動作の信頼性及び安定性についても、二種類のアドレス情報を使い分けることによって、顕著に高められる。よって、連続して双方向に又は任意若しくは独立にて双方向に記録可能な光ディスク１１を実現可能となる。【０３９３】
例えば、記録層の１層目を内周から外周に向かって記録再生し、記録層の２層目を外周から内周に向って記録再生をすることにすれば、これら二層間で記録再生を切り替える時間は、ほぼ層間ジャンプを行うだけの時間で済むので、複数の記録層に跨るように連続して、記録再生を行う際に、極めて有利となる。言い換えれば、２層ディスクにおける所謂「Opposite 記録」或いは「Opposite再生」と同様の効果が得られる。即ち、記録するデータとして、ビデオデータ等のリアルタイムに連続したデータを本変形例の光ディスク１１を用いて、記録しておくと、再生時において、特に第１記録層の終わりから第２記録層の始まりにかけては、殆ど層間ジャンプの時間のみで到達できる。これは、図１に示した実施例の場合に、層間ジャンプと、光ピックアップ１０２の位置を、外周から内周に戻す時間が更に加算されることを考えると非常に有利である。図１に示した実施例の場合に、データを途切れなく再生するためには、多量のメモリーを記録再生装置１０１に備えればよい。【０３９４】
このように図４７の変形例を併用することで、安価に、容易に、再生装置において連続再生が可能となる。【０３９５】
以上詳細に説明したように、本実施例及び変形例によれば、トラックＴＲに沿ったサーボ用領域２２の配置間隔（配置ピッチ）を所定距離以下とし、更に、光ディスク１１の全面にサーボ用領域２２を（離散的に）配置したので、ガイド層１２の光ディスク１１の内周から外周に亘って、どの位置においても、サンプリングにより、連続したトラッキング信号を取得することができる。【０３９６】
加えて、記録層１３におけるデータフォーマットの構成単位とウォブルＷＢの１周期とを整数倍の関係とし、ウォブルＷＢの１周期の整数倍としてスロットを構成し、サーボ用領域２２をこの区間に対応させたので、隣接トラックＴＲにおけるサーボ用領域２２同士が重ならないような（即ち、ウォブル信号やプリピット信号にクロストークが発生しないような）適応配置が容易となる。このようにして得られるウォブル信号は、ＰＬＬ（Ｐｈａｓｅ  Ｌｏｃｋｅｄ  Ｌｏｏｐ）回路を介して、ロバスト性に優れたタイミング基準信号生成として、或いは、記録スタート時のタイミング信号生成として利用できる。【０３９７】
また、本発明は、請求の範囲及び明細書全体から読み取るこのできる発明の要旨又は思想に反しない範囲で適宜変更可能であり、そのような変更を伴う情報記録媒体、情報記録装置及び方法、並びに情報再生装置及び方法もまた本発明の技術思想に含まれる。
【符号の説明】
【０３９８】
１１  光ディスク
１２  ガイド層
１３  記録層
２１  鏡面領域
２２  サーボ用領域（目印領域）
２３  パターン領域
２４  特定領域
２４−１  第１ＳＹＮＣパターン領域
２４−２  本体部領域
２４−３  第２ＳＹＮＣパターン領域
ＴＲ  トラック
ＷＢ  ウォブル
ＬＬＰ１  ランドプリピット
ＬＢ１  第１ビーム
ＬＢ２  第２ビーム
１０２  光ピックアップ
１０２Ｌ  対物レンズ
１０１  記録再生装置
２０１  ホストコンピュータ
【図１】
2011128985.tif 000006
【図２】
2011128985.tif 000007
【図３】
2011128985.tif 000008
【図４】
2011128985.tif 000009
【図５】
2011128985.tif 000010
【図６】
2011128985.tif 000011
【図７】
2011128985.tif 000012
【図８】
2011128985.tif 000013
【図９】
2011128985.tif 000014
【図１０】
2011128985.tif 000015
【図１１】
2011128985.tif 000016
【図１２】
2011128985.tif 000017
【図１３】
2011128985.tif 000018
【図１４】
2011128985.tif 000019
【図１５】
2011128985.tif 000020
【図１６】
2011128985.tif 000021
【図１７】
2011128985.tif 000022
【図１８】
2011128985.tif 000023
【図１９】
2011128985.tif 000024
【図２０】
2011128985.tif 000025
【図２１】
2011128985.tif 000026
【図２２】
2011128985.tif 000027
【図２３】
2011128985.tif 000028
【図２４】
2011128985.tif 000029
【図２５】
2011128985.tif 000030
【図２６】
2011128985.tif 000031
【図２７】
2011128985.tif 000032
【図２８】
2011128985.tif 000033
【図２９】
2011128985.tif 000034
【図３０】
2011128985.tif 000035
【図３１】
2011128985.tif 000036
【図３２】
2011128985.tif 000037
【図３３】
2011128985.tif 000038
【図３４】
2011128985.tif 000039
【図３５】
2011128985.tif 000040
【図３６】
2011128985.tif 000041
【図３７】
2011128985.tif 000042
【図３８】
2011128985.tif 000043
【図３９】
2011128985.tif 000044
【図４０】
2011128985.tif 000045
【図４１】
2011128985.tif 000046
【図４２】
2011128985.tif 000047
【図４３】
2011128985.tif 000048
【図４４】
2011128985.tif 000049
【図４５】
2011128985.tif 000050
【図４６】
2011128985.tif 000051
【図４７】
2011128985.tif 000052
【国際調査報告】
2011128985.tif 000053
2011128985.tif 000054